(57)【要約】【課題】移動局（１２）は、同じセルラー周波数および通信プロトコルを用いて、移動局に移動識別番号を割り当てるセルラーネットワークと、コードレスセルラー基地局（１０）との両方と通信する。【解決手段】コードレスセルラー基地局は好適には公衆交換電話網（ＰＳＴＮ）１５に接続される。【選択図】図１
2007053811.tif 000002
【特許請求の範囲】
【請求項１】
副地域基地局と、セルラーネットワークと、を含み、
前記副地域基地局は、
状態更新メッセージを生成する第１の信号生成器と、
前記副地域基地局から前記セルラーネットワークにメッセージを送信する送信機と、を含み、
前記セルラーネットワークは、
前記副地域基地局からメッセージを受信する受信機と、
前記受信機によって状態更新メッセージが受信され、副地域基地局の動作パラメータの更新が要求されていない場合に、確認メッセージを生成する第１の信号生成器と、
セルラーネットワークによって位置更新メッセージが受信された場合に初期化メッセージを生成する第２の信号生成器であって、前記受信機によって前記状態更新メッセージが受信され、かつ副地域基地局の動作パラメータの更新が要求されている場合に前記初期化メッセージを生成する第２の信号生成器と、
を含むことを特徴とするセルラー通信システム。
【発明の詳細な説明】
【技術分野】
【０００１】
本発明は、デジタル無線通信システムに関する。特に、本発明はコードレス電話及びセルラーネットワークに関する。
【背景技術】
【０００２】
一般的な形態の無線通信は、ユーザの家や会社周辺での制限された距離の範囲内におけるコードレス電話ハンドセットとその関連する基地装置との間で生ずる通信である。典型的にはコードレス電話は公衆使用を避け、周波数帯域のラジオ周波数（ＲＦ）部分で動作する。また、ユーザの家や会社内で、コードレスハンドセットと関連する基地装置との間で信号が送信されればよいため、コードレス電話信号の出力は他の通信信号よりも低い。それ故、連邦通信委員会（ＦＣＣ）からはコードレス電話を操作するためには何らユーザライセンスが求められていない。最終的には、通信は関連する基地装置から公衆電話ネットワークの陸上線を介して発信先まで送られる。それ故、電話の呼のコストは、公衆交換電話網（ＰＳＴＮ）を所有するＬＥＣにより決定される。
【０００３】
無線通信の他の方法は、移動局からセルラー基地局に特定の周波数帯、例えば８２４〜８４９ＭＨｚと８６９〜８９４ＭＨｚで、ＦＣＣによるライセンスの下でセルラーオペレータにより音声とデータの送信ができるよう操作される、地域セルラー通信ネットワークである。帯域は一般的にセルラー周波数内の異なる周波数帯を各々用いる送信チャンネルと受信チャンネルとに分解される。基地局から移動局へのセルラー送信は８２４〜８４９ＭＨｚの間の周波数を占有し、各送信チャンネルは約３０ＫＨｚを占有する。移動局から基地局へのセルラー受信は、一般的に８６９〜８９４ＭＨｚの間の周波数を占有し、各受信チャンネルは約３０ＫＨｚを占有する。当業者に周知のように、送信及び受信帯域は各市場の２つのセルラーサービス提供者の間で分割されており、「Ａ」及び「Ｂ」帯として参照されている。このように、各提供者はサービスを提供する４１６組の送信及び受信周波数チャンネルを操作している。４１６の通信チャンネルの組の２１は通常は基地局から移動局へ制御信号を送信する制御チャンネルとして用いられ、３９５チャンネルだけがセルラー基地局から移動局に呼を送信するのに実際に利用される。セルラーサービス提供者は地域セルラーネットワークを介して通信することを許可された加入者をリスト化する。各加入者は地域セルラーネットワークとの通信が可能な移動局またはハンドセットを購入しなければならない。ハンドセットは製造当時電子シルアルナンバー（ＥＳＮ）が割り当てられる。ＥＳＮは一般的にハンドセットのＥＥＰＲＯＭなどの不揮発メモリに格納される。加入者は移動局を地域セルラーネットワークに登録し、移動局は該移動局がそれによってアクセスできる移動識別番号（ＭＩＮ）が割り当てられる。移動局の価格が下落し、通信コストが減少するに従って、地域セルラーネットワークに加入するユーザの数は増加している。
【発明の開示】
【発明が解決しようとする課題】
【０００４】
近年セルラーネットワークでの通信とＲＦコードレス電話機との通信とを切り替えることのできるハンドセットが開示されている。一旦、コードレス電話機の近くにハンドセットがあれば、電話機は公衆交換電話網（ＲＦコードレス電話機を経由）と地域セルラーネットワークの両者から呼を受信することができる。セルラー及びＲＦコードレス通信システムは通信に異なる周波数帯を用いるため、セルラー及びＲＦコードレス基地局との双方と通信可能なハンドセットは、幾つかの重要な追加のハードウェア及びソフトウェアを要求する。実際、両方のタイプの基地局と通信することができるハンドセットはコードレス周波数で通信することのできる１つの送受信機と、セルラー周波数で通信することのできる１つの送受信機と共に、各送受信機間における分離インターフェースハードウェアと、ハンドセット主制御ハードウェアと、を要求する。さらに、ハンドセット主制御ハードウェアはＲＦコードレス電話基地局と通信し、セルラーネットワークと通信するために必要とされる異なる通信プロトコルを認識し、それらにおいて通信することができなければならない。両方の基地局と通信するために要求される追加のハードウェアはハンドセットの大きさと重量を増加させる。さらに、追加のハードウェアは熾烈な価格競争をしている市場においてハンドセットのコストを増加させている。
【課題を解決するための手段】
【０００５】
本発明の望ましい実施例は、コードレスセルラー基地システムを含む。コードレスセルラー基地局はここで移動局としても参照されるセルラーネットワーク互換移動機と通信することができる。コードレスセルラー基地局は副地域基地局としても参照され、望ましくは、公衆交換電話網の陸上線に接続され、陸上線番号または電話番号が割り当てられる。移動局はセルラーネットワークに登録され、移動識別番号が割り当てられる。移動局は同じセルラー周波数範囲及び通信プロトコルを用いて、通常の地域セルラー基地局及びコードレスセルラー基地局と好適に通信するこができる。移動局がセルラーネットワークと通信する時、地域セルラーサービスモードにあるものと参照される。移動局がコードレスセルラー基地局と通信する時、それはコードレスセルラー電話陸上線サービスモードにあるものと参照される。
【０００６】
本発明の移動局はコードレスセルラー基地局と、同じ周波数範囲及び同じ通信プロトコルを用いるセルラーネットワークの地域セルラー基地局と、好適に通信する。望ましい実施例においては、用いられる通信プロトコルはそのまま完全にここに引用により組み込まれる通信インターフェース基準、ＩＳ−１３６、パート１及び２と親和的である。ＩＳ−１３６、パート１及び２、基準は、２０００６ ワシントンＤＣ Ｎ．Ｗ． ペンシルバニア アベニュー ２００１の電信電話工業協会（ＴＩＡ）エンジニアリング部から利用することができる。この基準は一部分においてＴＤＭＡ（時分割多元接続）デジタル通信に対して規定したものであり、当業者に周知である。ＩＳ−１３６標準は、標準に従って製造されたどのセルラーシステムのサービスも取得できるよう、セルラー移動遠隔通信システム間の互換性を確実にするために設計されている。移動局は同一の周波数範囲及び同一の通信プロトコルを用いて、コードレスセルラー基地局及びセルラーネットワークの地域セルラー基地局と通信するので、コードレスセルラー基地局とセルラーネットワークの両者と通信するため、デジタル送受信機のような類似のハードウェアと類似のソフトウェアとを用いて移動局を製造してもよい。それ故、移動局の総寸法及び重量は、ＩＳ−１３６標準と互換性のある通常のセルラー電話と比して増加しない。さらに必要な追加のハードウェア及び追加のソフトウェアの量を削減することにより、望ましい実施例の移動局のコストは通常のＩＳ−１３６に親和的な移動局によりもあまり高くはない。コードレスセルラー基地局は移動局と通信することができ、移動局と公衆通信交換ネットワークとの間の管路として振る舞うことができる。さらに、移動局はＩＳ−１３６に親和的であるとともに、アナログ及びデジタルの地域セルの双方と通信することができるにも拘らず、移動局はデジタル制御チャンネルと対応するデジタルトラフィックチャンネルとを用いるコードレスセルラー基地局と通信することが望ましい。移動局との通信にアナログ及びデジタルのチャンネルでなくデジタルチャンネルを用いることにより、コードレスセルラー基地局を操作するために要求されるハードウェア及びソフトウェアはさらに削減され、こうして製造コストが削減される。
【０００７】
本発明の１つの態様においては、安全なシステムを維持するため、コードレスセルラー基地局はその動作が可能になる前にセルラーネットワークにまず登録されなければならない。望ましい実施例においては、セルラーネットワークはコードレスセルラー基地局にその動作のための、認証済み周波数のリストなどの動作パラメータを供給し、コードレスセルラー基地局はネットワーク認証なしでは動作しない。ネットワーク認証処理が完了した後、コードレスセルラー基地局は移動局の登録を可能にする。望ましい実施例においては、特定のコードレスセルラー基地局に対する登録権を受け取れば、移動局は自動的にコードレスセルラー基地局の付近に移動局が来た時、コードレスセルラー基地局を登録する。コードレスセルラー基地局のユーザの数が増加しているため、少なくとも幾つかのコードレスセルラー基地局が互いに近くで操作されることが起り得る。例えば隣の家に基地局が存在する場合、隣の一つは不意に意図せず他のセルラー基地局に自動的に登録することができるため、コードレスセルラー基地局の近くにきた移動局ユーザに対して自動的な登録を可能とすることは望ましくない。本発明の自動登録の特色により、コードレスセルラー基地局は特定のコードレスセルラー基地局に予め登録されたユーザに対する自動登録を好適に制限することができる。事前登録を要求することにより、常習的なユーザに対する自動登録の便利さを依然として提供しつつ、自動登録が発生する以前に近くのコードレスセルラー基地局の事故的な自動登録を回避する。加えて、移動局がコードレスセルラー基地局に事前に登録されておらず、どのチャンネルでコードレスセルラー基地局を探すかが分かっていれば、そのコードレスセルラー基地局の自動登録を行わない。
【０００８】
本発明の他の態様においては、コードレスセルラー基地局はコードレスセルラー基地局に対する登録権が予め許諾された移動局の移動システム識別番号を格納するコードレスセルラー基地局登録リストを、メモリの半永久的な部分に維持する。各入力において、コードレスセルラー基地局登録リストはコードレスセルラー基地局に関する移動局の状態を示す状態レコードと、移動局識別番号と、を格納する。好ましくは、コードレスセルラー基地局に関し、「待機」、「活動」及び「休止」状態として参照される移動局の３つの状態がある。休止状態は既にコードレスセルラー基地局に登録された移動局が現在コードレスセルラー基地局に登録されていない旨を示す。待機状態は移動局が現在登録されコードレスセルラー基地局に登録されており、現在発呼中ではないこと、すなわち移動局はコードレスセルラー基地局を介して呼を受け取りまたは発呼することを待って「待機」していることを示している。活動状態は移動局がコードレスセルラー基地局に登録されており現在コードレスセルラー基地局により制御されて通話中であることを示している。好ましい実施例においては、１０台までの移動局の状態がコードレスセルラー基地局により監視できる。
【０００９】
本発明の他の態様においては、現在通話に関係していない移動局が予め登録されたコードレスセルラー基地局の範囲に入ってきた時、好ましい実施例に従って、それは地域セルラーサービスモードからコードレス電話陸上線サービスモードに自動的にユーザの干渉なしに切り替わる。一旦コードレスセルラー基地局に対して移動局がコードレス陸上線サービスモードに切り替わったことを確認すると、コードレスセルラー基地局は位置更新メッセージを供給するためにセルラーネットワークと通信する。もし移動局が進行中の会話を有する場合は、移動局はコードレス電話陸上線サービスモードに切り替わる前に完了のためのコールを待ち、更新メッセージを転送するコールを送信する。
【００１０】
一旦セルラーネットワークが呼転送更新を受け取ると、セルラーネットワークは全ての移動局の移動識別番号に対する全ての呼をコードレスセルラー基地局に関連する陸上線番号に発送する。加えて、移動局がコードレスセルラー基地局の範囲内にある間は、移動局から生じた全ての呼はコードレスセルラー基地局を介して関連する陸上線に送信される。好ましい実施例においては、地域セルラーネットワークとコードレスセルラー基地局環境との間に通話の受け渡しがない。例えば、ある呼がコードレスセルラー基地局によって発せられ、移動局がコードレスセルラー基地局の範囲の外の領域に移動したならば、セルラーネットワークに移される代りに呼は切断される。変形実施例においては、地域セルラーネットワークとコードレスセルラー基地局環境との間の通話の受け渡しは可能にされる。
【００１１】
例えば、コードレスセルラー基地局によって呼が発せられ、移動局がコードレスセルラー基地局の範囲の外の領域に移動したならば、その呼はコードレスセルラー基地局とその関連する陸上線からセルラーネットワークに自動的に移される。
【００１２】
こうしてセルラーネットワークはセルラー基地局を介して呼を発送し、受け渡しが、通常のセルラーシステムにおいて実施されるよう、ユーザの移動局に対して実行される。
【００１３】
移動局がコードレスセルラー基地局に登録され、移動局の動作モードに無関係に移動局識別番号に対する呼を移動局のユーザが常に受け取ることを確実にする時、セルラーネットワークと通信することによって、コードレスセルラー基地局はセルラーネットワークに移動局識別番号に対する呼を何処に発送するかを好適に伝えることができる。
【００１４】
典型的には、移動局がコードレスセルラー基地局との接触を断つ時、コードレスセルラー基地局は、関連する陸上線番号に移動局識別番号に対する呼を転送することを取り消すため、セルラーネットワークに対しネットワーク転送取消しメッセージを送信する。コードレスセルラー基地局には、初期認証メッセージの間、ネットワークが通知されることを欲する、登録／登録解除の活動タイプが通知される。ネットワークが接触を欲する登録解除の事象のタイプの幾つかの例としては、移動局が電源オフされた時、すなわち電源低下の登録解除、またはコードレスサービスモードの手動の取消し、すなわち強制取消し解除による場合がある。
【００１５】
電源オフ以外の理由によってコードレスセルラー基地局との接触を移動局が断つ時、移動局は典型的には地域セルラーネットワークのローカル地域セルラー基地局に登録する。一旦移動局が地域セルに登録されると、ユーザの移動識別番号に対する呼はセルラーネットワークによって直接に移動局に発送される。
【００１６】
本発明の他の態様においては、コードレスセルラー基地局は同時に２以上の動作中の移動局を処理することができる。２つの移動局が活動中としてリストされている時、コードレスセルラー基地局は２つの移動局に対するオーディオ信号のギャップを埋め、移動局のそれぞれが通常の陸上線の拡張のように振る舞うようにする。第１の実施例においては、各移動局は陸上線の発呼者から及び他の移動局からの音声信号の和である音声信号を受信する。第２の実施例においては、コードレスセルラー基地局は、陸上線の発呼者からの音声信号と１つの移動局からの音声信号とを比較し、最も大音声のものが他の移動局に送信される。移動局のそれぞれからの音声信号は互いに足し合わされ、陸上線に送信される。こうして、陸上線の発呼者は移動局の会話の両者の足し合わせを聴き、一方、各移動局は他の移動局または陸上線の発呼者のうち信号が大音量である方のみを聴く。第３の実施例においては、コードレスセルラー基地局は移動局からの信号のいずれか最も大音量であるかを決定するための検出器を用い、最も大音量の受信信号を陸上線の発呼者に送信する。移動局のユーザは陸上線の相手方の音声を聴くことができる。しかし、彼等は他の移動局のユーザによって何がしゃべられているかを聴くことはできない。
【００１７】
コードレスセルラー基地局は住居や小さなオフィス環境内で動作するよう設計される。この動作中のＲＦ環境は、潜在的には非常にノイズの多いものとなる可能性がある。何故なら、周波数の使用は地域セルラーネットワークの計画に対して明白に調整されておらず、コードレスセルラー基地局の動作のために割り当てられた専用の周波数がないからである。コードレスセルラー基地局は地域セルラーネットワークによって使用される同一のセルラー帯に共通に存在しなければならず、地域セルラーネットワークをバックグラウンド妨害の資源と見なす。コードレスセルラー基地局は、コードレスセルラー基地局が決定できるものである限り、隣接する地域セルまたは他の隣接するコードレスセルラー基地局によって用いられている周波数を選択することによって、セルラーネットワークによる電力妨害を避けることを試みる。
【００１８】
本発明の他の態様においては、コードレスセルラー基地局はセルラー帯の周波数をスキャンし、全ての時点においてセルラーネットワークとの通信に対する最良及びその次に良好なセルラー周波数を決定する回避機構を実行する。コードレスセルラー基地局は周期的に、コードレスセルラー基地局の認証された周波数の各々に対する受信信号強度（ＲＳＳ）の測定、及び通話が進行中の時には現在動作中の周波数におけるワード誤り率（ＷＥＲ）の測定を行う。これは当業者に知られている測定である。コードレスセルラー基地局は格納されているスコア増加テーブルに基づいてＲＳＳ測定をスコア増加または減少値に変換する。各測定の後、現在のスコア増加／減少値は以前のスコア値を調整する。周波数に対するスコアは所与の周波数におけるノイズと妨害との和の計量基準となる。こうして、チャンネルが選択されるとすれば、スコア自身はチャンネル中に生じる現実の妨害というよりもむしろ妨害の可能性の基準となる。それ故、この文章を通じ、あるチャンネルの妨害の測定についての議論は、チャンネルが動作の為に選択されたならば、このチャンネルの妨害の可能性の測定に解釈されるべきである。こうして、妨害スコアは、高いスコアがより多い妨害を表し、低いスコアがより少ない妨害を表し、その周波数上に生ずる妨害可能性を表す。妨害が存在しない場合、測定がなされるにつれスコア値は徐々に０に向って減少する。
【００１９】
コードレスセルラー基地局は妨害スコア値の測定を動作周波数の選択に用いる。最も低い妨害スコアを有するものから周波数を選択することによって、かつ以下に記される適切なチャンネル放棄のしきい値を用いることによって、コードレスセルラー基地局は、公衆または民間のセルラーネットワークの近くで既に用いられ、或いは範囲内のコードレスセルラー基地局によって既に用いられている周波数での送信を避けるよう試みる。好ましくは、コードレスセルラー基地局はその初期動作周波数に最も低い妨害スコアを有する周波数を選択する。コードレスセルラー基地局１０はそのバックアップ周波数に、スコアが高しきい値（Ｈｔ）より下である特定数のダウンリンク周波数を選択する。通話が進行中であるか否か、またはプライマリの移動局が登録されているか否かにしたがって、現在の動作周波数の妨害スコアが第１低しきい値（Ｌｔ）または高しきい値（Ｈｔ）より上になる場合、コードレスセルラー基地局１０は以下に詳細に説明するようにその動作周波数を自動的に第１バックアップ周波数に切り替える。コードレスセルラー基地局１０はまた、そのバックアップ周波数に対する妨害スコアが高しきい値（Ｈｔ）より上になるとバックアップ周波数リストからバックアップ周波数を除去する。
【００２０】
本発明の他の態様においては、コードレスセルラー基地局は高しきい値（Ｈｔ）より下のスコア値を有する特定数の周波数を設けることを必要とする。もし十分な数の周波数が利用できない場合、コードレスセルラー基地局はセルラーネットワークに問題を通知する。１つの実施例においては、コードレスセルラー基地局が問題をセルラーネットワークに通知する時、セルラーネットワークはコードレスセルラー基地局に代案の認証された周波数のリストを供給する。他の実施例においては、セルラーネットワークは一時的に、必要な高しきい値（Ｈｔ）未満のスコア値を有する周波数の数を少なくする。こうして、コードレスセルラー基地局が動作を継続させることを可能とする。さらに別の実施例においては、十分でない数の周波数しか利用可能でない場合、コードレスセルラー基地局は周波数測定を継続し、十分な数のクリアな周波数が利用できるまで送信を中止する。
【００２１】
セルラーネットワークはまずコードレスセルラー基地局に認証メッセージ中に動作のためのセルラー帯の動作周波数のリストを供給する。１つの実施例においては、リストはセルラー帯における全ての可能な音声チャンネルを含んでいる。他の実施例においてはリストは全体のセルラー帯のうち小部分を含んでいる。
【００２２】
本発明の他の態様においては、コードレスセルラー基地局は周期的にコードレスセルラー基地局ビジター位置登録機（ＣＣＢＳ ＶＬＲ）に発呼する。ＣＣＢＳ ＶＬＲは、コードレスセルラー基地局に登録された巡回中の移動局の位置を追跡するために用いられるデータベースである。１つの実施例においては、ＣＣＢＳ ＶＬＲはコードレスセルラー基地局によって報告されるセルラー周波数に対する妨害スコアに関するデータを受信するための付加的な格納スペースを含んでいる。コードレスセルラー基地局から初期の呼を受信した後、セルラーネットワークは、妨害スコアデータを受信する準備がなされている旨を示すメッセージをコードレスセルラー基地局に対して送信する。次に、コードレスセルラー基地局は、全ての認証された周波数に関する全ての妨害スコアを、ＣＣＢＳ ＶＬＲに対しダウンロードする。ＣＣＢＳ ＶＬＲは妨害スコア情報をセルラーネットワークのデータ収集ノードに転送する。セルラーネットワークは、地域セルに対し動作周波数を割り当て、または再度割り当てる際の補助のために、この妨害スコアを用いる。
【００２３】
本発明の他の態様においては、セルラーネットワークとコードレスセルラー基地局との間の、位置更新またはネットワーク取消し処理の間等の接触中、コードレスセルラー基地局に新しい認証メッセージを送ることにより、コードレスセルラー基地局の動作パラメータを更新することができる。新しい認証メッセージはセルラーネットワークに対して送信される要求に応じて送信されてもよい。更新はコードレスセルラー基地局周辺のエリアにおけるサービスの変化に適用させ、セルラーネットワークの変化した特徴部分に従ってコードレスセルラー基地局を更新するよう、コードレスセルラー基地局の動作を修正するために有意義である。例えば、セルラーネットワークは、位置更新／呼転送の特徴部分にアクセスするためにコードレスセルラー基地局が発呼する電話番号を、一時的に変更してもよい。あるいは、セルラーネットワークはコードレスセルラー基地局の許される周波数を修正してもよい。
【００２４】
本発明の他の態様においては、セルラーネットワークが周期的にコードレスセルラー基地局の動作パラメータを変更することを可能とするために、コードレスセルラー基地局は好ましくはコードレスセルラー基地局が最後にセルラーネットワークに接触されるまでの時間をカウントダウンする予めセットされたタイマを含む。タイマが終了した時、コードレスセルラー基地局は自動的にセルラーネットワークに発呼する。好ましい実施例においては、タイマは３０日間にセットされ、こうすれば、例えば登録された移動局に対する位置更新を要求するため等で、コードレスセルラー基地局がセルラーネットワークに最近３０日間接触していないならば、コードレスセルラー基地局は自動的にセルラーネットワークに接触する。それに応じ、セルラーネットワークはコードレスセルラー基地局に新しい認証メッセージを送ることが必要かどうかを決定する。もし新しい認証メッセージが要求されれば、セルラーネットワークはコードレスセルラー基地局にメッセージを送信する。もし新しい認証メッセージが要求されていなければ、セルラーネットワークはコードレスセルラー基地局にリターンリザルトメッセージを送信する。セルラーネットワークからいずれかのメッセージを受信する際、コードレスセルラー基地局のタイマは３０日に再設定される。コードレスセルラー基地局の詐欺的使用を回避するのに有用である。例えば、もし所有者がサービスに対する料金を払わず、またコードレスセルラー基地局から離れてしまって電話を使用することを止めていれば、コードレスセルラー基地局はセルラーネットワークに決して接触しないため、セルラーネットワークがコードレスセルラー基地局の動作を取り止めることは困難である。自動的接触の特徴によれば、コードレスセルラー基地局は自動的にプリセットタイマにより特定される時間内セルラーネットワークに接続する。ネットワークはもし必要であれば、不払いの顧客のコードレスセルラー基地局からの全ての動作周波数を取り除く新しい認証メッセージを送信する。こうして、コードレスセルラー基地局を動作不能にする。
【００２５】
本発明の他の態様においては、コードレスセルラー基地局に登録されている移動局によって発呼がなされた時、コードレスセルラー基地局はまずコードレスセルラー基地局の登録テーブルに待機モートでリストされている他の移動局の１つのＭＩＮに電話番号が適合するかどうかを調べる。待機モードでリストされている移動局の１つに対するＭＩＮに電話番号が適合していれば、コードレスセルラー基地局はその移動局に選択呼出しして、２つの移動局間での内部通話を起動する。内部通話の特徴は、以下に詳細に記される。内部通話は陸上線を用いず、直接に陸上線に対して修正された電話拡張は、陸上線を介して発呼及び着呼できる。
【００２６】
本発明の他の態様においては、ユーザがコードレスセルラー基地局に予め登録されていない移動局を使用したい時、初期登録処理を起動するコードレスセルラー基地局の初期登録ボタンをユーザが押下する。そして、移動局のユーザは移動局がコードレスセルラー基地局にテスト登録メッセージを送信する移動局上のテスト登録機能キーを押下する。テスト登録メッセージはＩＳ−１３６標準により特定されている。コードレスセルラー基地局はテスト登録メッセージが移動局から特定期間好ましくは３０秒以内に受信されたかどうかを確認する。テスト登録メッセージが受信されれば、コードレスセルラー基地局は登録リストが一杯になっているか否かを決定する。追加の移動局に対して登録リストに余地がない場合、コードレスセルラー基地局は休止中の非プライマリ移動局をリストから削除する。もし休眠中である非プライマリ移動局がない場合、コードレスセルラー基地局は拒絶の旨のテスト登録応答を移動局に送信し初期登録の試みが終了される。もし追加の移動局に対する登録リストに余地があれば、コードレスセルラー基地局は移動局に許諾の旨のテスト登録応答を送信する。許諾の旨のテスト登録応答を受信する際、移動局は後に移動局に格納される工程の旨のテスト登録応答メッセージ内のコードレスセルラー基地局によって送信される１組の英文字を表示する。望ましい実施例においては、表示される英文字は「コードレス（Cordless）」の文字を形成する。この時、移動局はコードレスセルラー基地局へのコードレス登録を試みてもよい。もしユーザが登録を試みることを望むならば、移動局は登録メッセージをコードレスセルラー基地局に送信する。もし登録が望まれていないならば、何らメッセージはコードレスセルラー基地局に送信されない。一旦コードレスセルラー基地局が登録メッセージを受信すると、コードレスセルラー基地局は登録処理を完了し、移動局に登録許可メッセージを送信する。その次の自動的な登録の試みにおいては、一旦移動局がコードレスセルラー基地局の住宅システムＩＤ（ＲＳＩＤ）を認識すると、移動局がコードレスセルラー基地局に自動的に登録されたことを示すよう「コードレス」のような格納された英文字を表示する。
【００２７】
本発明の他の態様においては、コードレスセルラー基地局は２つの離れたアンテナ、送信（Ｔｘ）アンテナと受信（Ｒｘ）アンテナ、を用いる。望ましくは、コードレスセルラー基地局のカバーレチエリアは小さいため、送信及び受信アンテナは単純なアンテナである。望ましい実施例においては、送信アンテナ及び受信アンテナはコードレスセルラー基地局において物理的に分離されている。さらに、ディプレクサの必要を避けるため、それら信号は分離されたパスでセルラー送受信機に送信される。これにより設計を簡素化し、製造コストを削減することができる。
【００２８】
本発明の他の態様においては、コードレスセルラー基地局によって移動局の送信を受信し、ノイズ測定をするため単独の受信機が好適に用いられる。こうしてコードレスセルラー基地局のコストを省き、コードレスセルラー基地局のサイズを小さくする。移動局から正確に信号を受信するため、コードレスセルラー基地局の受信機の感度は周囲の環境におけるノイズを測定するための感度よりも明らかに低くてよい。移動局の送信を受信することを受信機が待機している時、より高出力の送信を受信することができるよう受信機の感度が下げられる。受信機が妨害測定を行っている時、受信機の感度は低出力送信を受信することができるよう、受信機の感度は増加される。通常の受信及び妨害測定に対し受信機の感度を変化させることによって、コードレスセルラー基地局はそれらのタスクに対して同一の受信機を好適に用いることができる。
【発明を実施するための最良の形態】
【００２９】
システム動作の一般説明
図１および図２に示す無線通信システムの好適な実施形態は、コードレスセルラー基地局１０を含む。コードレスセルラー基地局はセルラーネットワーク互換型移動局１２と通信可能である。コードレスセルラー基地局１０は、選択的アクセス基地局とも呼ばれ、公衆交換電話網（ＰＳＴＮ）１５上の陸上線１４に接続され、陸上線識別番号（ＬＬＮ）すなわち電話番号が割り当てられる。また、コードレスセルラー基地局１０には、識別用に製造時に電子シリアル番号が割り当てられる。電子シリアル番号は、通常はコードレスセルラー基地局の永久メモリに記憶されるので、未認可の人物が不正に変更できないようになっている。移動局１２はセルラーネットワーク１６に登録され、移動局の電話番号である移動局識別番号（ＭＩＮ）が割り当てられる。また、移動局には、製造時に電子シリアル番号（ＥＳＮ）が割り当てられる。通常、ＥＳＮは移動局の永久メモリに記憶される。当業者には公知のように、セルラーネットワーク１６は公衆交換電話網に接続され、セルラーネットワーク１６の発呼者と公衆交換電話網（ＰＳＴＮ）１５の発呼者との間で通話をルーティングする。
【００３０】
移動局１２は、セルラーネットワーク１６上のセルラー基地局１８およびコードレスセルラー基地局１０の両方と通信が可能である。移動局１２がセルラーネットワーク１６と通信中の場合は、移動局は地域セルラーサービスモードであると呼ばれる。移動局１２がコードレスセルラー基地局１０と通信中ならば、移動局はコードレス電話線サービスモードであると呼ばれる。
【００３１】
移動局１２が、好適な実施形態に従って以下に詳述するように移動局がすでに登録されているコードレスセルラー基地局１０の範囲内に入ると、移動局１２はユーザの介入なく自動的に地域セルラーサービスモードからコードレス電話線サービスモードに切り替わる。移動局１２がコードレス陸上線サービスモードに切り替わったことを移動局１２がコードレスセルラー基地局１０に確認すると、コードレスセルラー基地局１０はセルラーネットワーク１６に通信して、通話転送更新メッセージを送る。通話転送更新メッセージは、セルラーネットワーク１６が移動局１２へのすべての着信を、コードレスセルラー基地局１０に関連した陸上線番号へルーティングするよう要求する。また、移動局１２がコードレスセルラー基地局１０の範囲内にいる間は、移動局１２からのすべての発呼は、コードレスセルラー基地局１０を介して関連の陸上線１４を通り、ＰＳＴＮ１５へと送信される。好適には、地域セルラーネットワーク１６環境とコードレスセルラー基地局１０環境との間では、通話の受け渡しはない。例えば、コードレスセルラー基地局１０を介して発呼が行われ、移動局１２がコードレスセルラー基地局のセル１７の範囲外へ出ると、通話はセルラーネットワーク１６へ転送されずに切断される。別の実施形態では、地域セルラーネットワーク１６環境とコードレスセルラー基地局１０環境との間で通話の受け渡しができる。例えば、コードレスセルラー基地局１０を介して発呼が行われ、移動局１２がコードレスセルラー基地局のセル１７の範囲外へ出ると、通話は自動的にコードレスセルラー基地局１０およびその関連する陸上線１４を通ってセルラーネットワーク１６へ切り替えられる。セルラーネットワーク１６は、その後、従来のセルラーシステムにおける隣接セル間の通話受け渡し処理と同様に、コードレスセルラー基地局１０を介してユーザの移動局１２へ通話をルーティングする。
【００３２】
一般に、移動局１２がコードレスセルラー基地局１０との接続を切ると、コードレスセルラー基地局１０はネットワーク転送取消しメッセージをセルラーネットワーク１６に送り、移動局識別番号への着信をコードレスセルラー基地局１０に関連した陸上線番号に転送するのを取り消す。コードレスセルラー基地局１０は、初期認証メッセージの間に、ネットワーク１６がどのようなタイプの登録／登録抹消活動の通知を望んでいるかを通知される。ネットワーク１６が通知を望む登録抹消イベントのタイプの例には、移動局１２がオフにされた場合、つまりパワーダウン登録抹消、またはコードレスサービスモードの手動取消し、つまり強制登録抹消、等がある。移動局１２がパワーオフ以外の理由でコードレスセルラー基地局１０との接続を切ると、移動局１２は地域セルラーネットワーク１６のローカル地域セルラー基地局に登録することができる。移動局１２が地域セルに登録されると、ユーザの移動識別番号への着信は、セルラーネットワーク１６によって直接、移動局１２へルーティングされる。
【００３３】
コードレスセルラー基地局
コードレスセルラー基地局（ＣＣＢＳ）ハードウェア
コードレスセルラー基地局１０は、デジタルセルラー送受信機を使用して、陸上線１４を介して移動局１２と通信する。コードレスセルラー基地局は、時分割多元接続（ＴＤＭＡ）を利用して移動局１２と通信を行う。
【００３４】
好適な実施形態では、コードレスセルラー基地局１０のハードウェアは移動局に使用するハードウェアと非常に似ているが、コードレスセルラー基地局１０の機能性は地域セル用の基地局に似ている。コードレスセルラー基地局と一般的な基地局との大きな違いは、コードレスセルラー基地局には好適には送受信機が１台しかなく（従って一度に１組の送受信周波数チャンネルしか使用できず）、このためデジタル通信だけをサポートする点である。このような違いのために、コードレスセルラー基地局は家庭用に適した大きさに製造できる。図３に示すように、ＣＣＢＳは、マイクロプロセッサすなわちマイクロコントローラ２０と、関連したメモリ記憶領域２１と、ベースバンドモデム２２と、セルラー送受信機２３と、送信（Ｔｘ）アンテナ２４と、受信（Ｒｘ）アンテナ２５と、ユーザインターフェースハードウェア２６と、モデム２７と、スイッチ２８と、標準電話インターフェースハードウェア２９とを含む。プロセッサ２０は、周知の態様でメモリ２１、ユーザインターフェース２６、モデム２７、ベースバンドモデム２２、およびセルラー送受信機２３と通信する。プロセッサ２０は、コードレスセルラー基地局ハードウェアの高周波部分の動作、すなわちベースバンドモデム２２およびセルラー送受信機２３の動作、を制御する。プロセッサ２０はまた、通話処理タスクおよびセルラーネットワーク１６との通信に関連した管理タスクの動作制御を行う。最後に、プロセッサ２０はユーザインターフェース２６を制御する。好適には、デジタルセルラー送受信機２３とプロセッサ２０とで、ＩＳ−１３６標準エアーインターフェース通信プロトコルを用いて移動局と通信する。関連メモリ記憶領域２１は永久メモリ記憶および一時的メモリ記憶のどちらも可能である。
【００３５】
ベースバンドモデム２２は好適にはデジタル信号プロセッサ（ＤＳＰ）を用いて実現される。好適には、コードレスセルラー基地局１０で使用されるベースバンドモデム２２はローカルセルラー基地局１８で使用されるのと同じタイプの機能を提供する。ベースバンドモデム２２は、ＩＳ−１３６標準に従う時分割多元接続（ＴＤＭＡ）プロトコルを実現するために用いられる。さらに、当業者に公知のように、ベースバンドモデム２２は音声信号の符号化を行い、陸上線と移動局との間でアナログ音声メッセージをデジタル圧縮符号化してセルラーチャンネルを通じてより迅速に送信できるようにする。好適な実施形態ではＶＳＥＬＰ符号化が用いられるが、国際電気通信連合（ＩＴＵ）圧縮符号化方式等の、当業者に公知の他の圧縮符号化方式を用いてもよい。ベースバンドモデム２２は最後に、基地局が行う共通の信号処理機能である、ノイズ信号と音声信号とを区別する音声検出機能、および移動局１２のマイクロフォンが拾い上げるエコーを軽減するエコー取消機能に関連した信号処理機能を提供する。
【００３６】
セルラー送受信機２３は送信機（Ｔｘ）３０と受信機（Ｒｘ）３１とを含む。好適な実施形態ではセルラー送受信機２３はデジタル送受信機である。より好適な実施形態では、デジタルセルラー送受信機２３は時分割多元接続（ＴＤＭＡ）型送受信機である。好適には送信機３０は移動局１２で使用される送信機と同じである。好適には送信機の機能性は、以下に挙げる例外以外はＩＳ−１３８デジタル基地局用の最低性能要求標準に従う。ＩＳ−１３８標準は当業者に周知の標準であり、本願に引用して援用する。ＩＳ−１３８標準は電信電話工業協会（ＴＩＡ）エンジニアリング部門（２００１ Ｐｅｎｎｓｙｌｖａｎｉａ Ａｖｅｎｕｅ，Ｎ．Ｗ．，Ｗａｓｈｉｎｇｔｏｎ，Ｄ．Ｃ．２０００６）から入手可能である。第１の例外は、コードレスセルラー基地局１０の出力電力は基地局周囲の狭いエリア内の移動局１２とだけ通信を行うよう設計されているため、コードレスセルラー基地局は標準的セルラー基地局よりも出力電力が大幅に低いことである。好適には送信機３０の出力電力は６．３ｍＷである。別の実施形態では、送信機３０の出力電力は約１０ｍＷである。送受信機のＩＳ−１３８標準に対する他の例外は、コードレスセルラー基地局の周波数許容値は１００万分の１．０（ｐｐｍ）であり、通常、時間スロット４は同期ワードの送信時以外はサイレントである、という点である。これについては以下に詳述する。受信機３１は標準的な携帯電話で使用される受信機と同じであり、コードレスセルラー基地局１０の受信機３１は、近隣の他の基地局信号がサーチできるように移動受信帯域における受信感度が極めて高い。有利な点は、１台の受信機を用いて移動局からの送信の受信とノイズ測定との両方ができるため、コードレスセルラー基地局の費用を削減し、かつサイズを小さくできることである。好適な実施形態では、受信機のダイナミックレンジは約７０ｄＢであり、つまり受信機は７０ｄＢ以内の信号受信が可能である。移動局１２からの信号を正確に受信するためには、コードレスセルラー基地局１０の受信機３１の感度は周囲の環境中のノイズ測定感度よりも大幅に低くなければならない。これは移動局が基地局と非常に近い所で使用されることが予想されるためである。従って、受信機３１が移動局からの送信を待機している間は、受信機の感度はより高出力の送信を受信できるように低くなっている。好適な実施形態では、受信機の７０ｄＢダイナミックレンジは、移動局１２からの−２０ｄＢｍから−９０ｄＢｍの送信を受けるようにスケーリングされる。受信機３１が妨害測定を行うために待機している間は、受信機３１の感度はより低出力の送信を受信できるように上げられる。好適な実施形態では、受信機３１の７０ｄＢダイナミックレンジは、−４６ｄＢｍから−１１６ｄＢｍの送信を受信できるようにスケーリングされる。他の実施形態では、ＣＣＢＳは非線形フロントエンド受信機を用いてより広いダイナミックレンジを与える。当業者には理解できると考えるが、ＣＣＢＳはイコライザを必要としないために、上記の好適な受信機をこの非線形フロントエンド受信機と容易に交換することができる。
【００３７】
デジタル送受信機２３だけを用いて移動局１２と通信を行うため、コードレスセルラー基地局１０のハードウェアおよびソフトウェアを簡易化でき、これによりコードレスセルラー基地局１０の製造費用を低減できる。ＩＳ−１３６標準は、デジタルチャンネル上ではＴＤＭＡデジタルモードで動作し、アナログチャンネル上ではアナログモードで動作する基地局および移動局を必要とする。デジタルチャンネル上でデジタルモードでのみ動作するコードレスセルラー基地局を提供することが好ましいが、コードレスセルラー基地局はアナログおよびデジタル両方のモードで動作できるようにしてもよい。
【００３８】
コードレスセルラー基地局１０のカバーエリアは狭いため、送信（Ｔｘ）アンテナ２４および受信（Ｒｘ）アンテナ２５は簡単なアンテナである。好適な実施形態では、送信アンテナ２４と受信アンテナ２５とは、コードレスセルラー基地局１０上で物理的に離れている別個のアンテナである。さらに、信号は別の経路を通って送受信機２３に送られるため二重化器の必要がなく、これにより設計を簡易化し製造コストを下げることができる。しかし、送信および受信機能に共通のアンテナを使用することが望ましい場合もあり、この共通アンテナの実施形態では、コードレスセルラー基地局のハードウェアに二重化器が加えられる。二重化器は、周波数の異なる信号を同一のアンテナを介して同時に送受信することが可能な周知の装置である。一実施形態では、送信アンテナおよび受信アンテナはコードレスセルラー基地局の外に出ない内部アンテナである。
【００３９】
ユーザインターフェースハードウェア２６は、キーパッド３２とディスプレイ３３との間をインターフェースできる。好適な実施形態では、キーパッド３２は標準的電話機の２０キーからなるキーパッドを含む。他の実施形態では、キーパッド３２は追加の機能キーを含んでもよい。ディスプレイ３３は、好適には、各種の情報をユーザに表示できるＬＣＤディスプレイである。簡略化した実施形態のディスプレイ３３は、複数の７セグメントディスプレイ、または１つ以上の単純なＬＥＤを含んでもよい。標準電話インターフェースハードウェア２９は、当該技術分野で公知の制御信号および通信プロトコルを用いて、陸上線１４およびＰＳＴＮ１５との通信を行うために使用される。好適には、標準電話インターフェースハードウェア２９は標準的な４線／２線ハイブリッド装置を含み、コードレスセルラー基地局からの４線上の信号を陸上線通信の２線標準に変換する。さらに、電話インターフェースハードウェア２９は、着信検出を行い、かつコントローラ２０の命令下で加入者回線を閉じる。好適な実施形態では、ＰＳＴＮ１５は、コードレスセルラー基地局１０を標準２５００シリーズ電話機と考える。従って、例えば基地局１０は有利にはパルスおよびＤＴＭＦダイヤリングの両方をサポートする。コードレスセルラー基地局１０はまた、データを通常の電話線を介して送信するために使用する標準データモデム２７を含む。これによりコードレスセルラー基地局１０と関連の陸上線１４を使用する別のシステムとの間にモデムリンクを確立できる。
【００４０】
最後に、コードレスセルラー基地局ハードウェアは電源３４を含む。電源３４は、コードレスセルラー基地局１０の上記の各ハードウェア要素に供給する電圧規定し調整する回路を含む。家庭の壁面のソケット等のメインソースから電力を得るために少なくとも１つの接続が確立される。電源３４はまた、電池を接続し充電することが可能な別の接続を含んでもよい。
【００４１】
コードレスセルラー基地局の動作
図１よび図２を再び参照する。コードレスセルラー基地局１０は、以下に詳述する機能を支持する。ネットワーク許可処理は、コードレスセルラー基地局１０とセルラーネットワーク１６との通信を初期化する。ネットワーク許可処理が完了すると、コードレスセルラー基地局１０は移動局１２を登録してコードレスセルラー基地局１０と共に使用できるようにする。移動局１２を以下に詳述するようにコードレスセルラー基地局１０に登録することによって、移動局１２はその移動局識別番号宛ての通話を、コードレスセルラー基地局１０に関連した陸上線番号で受信できる。コードレスセルラー基地局１０は、一番最近コードレスセルラー基地局１０との登録権を与えられた移動局１２のリストを維持する。
【００４２】
好適な実施形態では、移動局１２がある特定のコードレスセルラー基地局１０の登録リストに載っている間に、移動局１２がそのコードレスセルラー基地局１０に近付くと、移動局１２は自動的にコードレスセルラー基地局１０に登録される。このように移動局１２がコードレスセルラー基地局１０と自動的に登録できるのは、移動局１２が以下に詳述するようにコードレスセルラー基地局の近くの地域セルラーネットワークサービス１６に関する情報を記憶しているためである。移動局１２が、最近登録を行ったコードレスセルラー基地局１０の近くの地域セルラーネットワーク１６の一部に位置していると認識すると、移動局はコードレスセルラー基地局１０のサーチを開始する。コードレスセルラー基地局１０は、移動局１２が位置を求められるように当業者には周知のデジタル制御チャンネル信号（ＤＣＣＨ）を常に発信している。移動局１２がコードレスセルラー基地局１０を発見すると、以下に詳述する自動登録処理が開始され、これにより移動局１２はその移動局識別番号宛の通話をコードレスセルラー基地局１０に関連した陸上線番号で受信することができる。
【００４３】
コードレスセルラー基地局１０の有利な点は、所定時間に最大１０台までの移動局１２の登録をサポートできること、言い換えれば、最大１０台までの移動局１２がコードレスセルラー基地局１０と通信して、地域セルラーネットワーク１６にそれぞれの移動局１２への通話をコードレスセルラー基地局１０に関連した陸上線番号に転送させられることである。移動局１２がコードレスセルラー基地局１０に登録されているが通話中ではない場合、移動局１２は「待機」状態、つまり発呼または受呼準備をして待機中であると考えられる。コードレスセルラー基地局１０に関連した陸上線に着信があると、コードレスセルラー基地局１０はセルラー基地局１８が移動局１２を呼び出すのと同じ当業者に公知の呼出し方法を用いて、登録されている全ての移動局１２を呼び出し、全ての移動局１２が「鳴り」、着信を知らせる。着信に答えるためには、移動局のユーザの誰か一人が移動局ハンドセット１２上の送信キーを押すと、そのユーザがコードレスセルラー基地局１０を介して接続されて着信を受ける。移動局１２が送信キーを押して着信を受けるか、または発呼を行う場合、移動局１２は「活動」状態、つまり能動的に通話を処理中であると考えられる。好適な実施形態のコードレスセルラー基地局は、２台の「活動」状態の移動局をサポートできる。つまり、最大２台までの移動局がコードレスセルラー基地局１０を通じて互いに通信し合うか、または陸上線上の発呼者と通信できる。このように、好適な実施形態では、着信に応答した最初の２台の移動局が着信に接続される。それ以外の移動局は締め出され、そのうちのいずれかの移動局が着信に答えようとしても、そのユーザに電話によってエラーが表示されてしまう。より多くの「活動」状態の移動局１２を受け入れるために、当業者に公知のように追加の送受信機、通話処理ハードウェアおよびソフトウェアをコードレスセルラー基地局１０に追加してもよい。
【００４４】
コードレスセルラー基地局１０が２台の移動局１２をサポートできる理由は、情報の送受信に１つのＴＤＭＡフレームの時間スロットを用いているためである。ＩＳ−１３６標準に従うと、ＴＤＭＡ信号は、図４に示すように時間スロット１から時間スロット６（３７−４２）と呼ばれる６つの時間スロットを持つ。コードレスセルラー基地局の受信時間フレーム３５中で、移動局１２は各時間スロット（３７−４２）において次のような情報を受信する。時間スロット１（３７）では、コードレスセルラー基地局１０は、地域セル１８のデジタルセルラー基地局が移動局１２からデジタル制御チャンネル（ＤＣＣＨ）メッセージを受信するのと同じ方法で、ＩＳ−１３６標準に従って移動局１２からＤＣＣＨメッセージを受信する。例えば、ＤＣＣＨメッセージは、移動局１２がコードレスセルラー基地局１０との登録の維持のためにコードレスセルラー基地局１０と交換が必要な情報を含む。時間スロット２（３８）および時間スロット５（４１）では、コードレスセルラー基地局１０は第２の移動局（ＭＳ２）から音声データを受信する。時間スロット３（３９）および時間スロット６（４２）では、コードレスセルラー基地局１０は第１の移動局（ＭＳ１）から音声データを受信する。時間スロット４（４０）では、コードレスセルラー基地局１０が移動局１２から受信するデータがないため、空白の時間スロットとして示す。
【００４５】
コードレスセルラー基地局の送信時間フレーム３６では、各時間スロット３７−４２においてコードレスセルラー基地局１０は次のような情報を送信する。時間スロット１（３７）では、コードレスセルラー基地局１０は、地域セルラーネットワークのデジタルセルラー基地局がデジタル制御チャンネル（ＤＣＣＨ）情報を送信するのと同じ方法で、ＩＳ−１３６標準に従ってＤＣＣＨメッセージを送信する。例えば、ＤＣＣＨメッセージは、移動局１２がコードレスセルラー基地局１０の近くにいると認識した場合にそのコードレスセルラー基地局１０との登録のために必要な情報を含む。時間スロット２（３８）および時間スロット５（４１）では、コードレスセルラー基地局１０は第２の移動局（ＭＳ２）へ音声データを送信する。時間スロット３（３９）および時間スロット６（４２）では、コードレスセルラー基地局１０は第１の移動局（ＭＳ１）へ音声データを送信する。デジタル制御チャンネル（ＤＣＣＨ）は好適にはハーフレートデジタル制御チャンネルであるため、ＤＣＣＨは時間スロット４（４０）では送信される必要はない。従って、通常、時間スロット４は、移動局がコードレスセルラー基地局との送信同期を補助する同期ワードだけを送信する。しかし、送信が同期している場合にコードレスセルラー基地局１０が別のコードレスセルラー基地局１０によって間違って検出されないという事態を避けるために、コードレスセルラー基地局１０は時間スロット４で同期ワードに加えてアイドルコードをランダムに送信する。時間スロット４でアイドルコードをランダムな間隔で時々送信することによって、ＣＣＢＳがこれと同期して送信を行っているコードレスセルラー基地局の１つによって検出される可能性が高まる。同期ワードを送信する以外の時間については、時間スロット４（４０）は、コードレスセルラー基地局１０が存在する環境に関するノイズ情報を収集するためにサイレントである。このようにランダムに選択されたフレームにおいて、コードレスセルラー基地局１０は時間スロット４（４０）でサイレントではなくアイドルコードを送信して、近隣のコードレスセルラー基地局１０に自分の存在を知らせる。このアイドルコード送信の平均レートは、２５６ＴＤＭＡフレームに１回から、８ＴＤＭＡフレームに１回である。アイドルコードが送信されるフレームは、非決定論的方法または擬似ランダム決定方法によって選択され、異なるコードレスセルラー基地局１０にはそれぞれ異なる選択パターンを与える。
【００４６】
移動局１２がコードレスセルラー基地局１０の範囲外に出ると、コードレスセルラー基地局１０は、以下に詳述するように移動局１２の移動局識別番号宛の着信の転送を取消すように、地域セルラーネットワーク１６に自動的にメッセージを送る。好適な実施形態では、移動局１２が通話中の場合は、通話は中断され、移動局１２は地域セルラーネットワーク１６を通じて発呼し直さなければならない。他の実施形態では、地域セルラーネットワーク１６を通じて移動局１２に自動的に通話を転送して通話を維持する。いずれにしても、移動局１２がコードレスセルラーネットワーク１６の範囲から出てしまうと、移動局１２は地域セルラーネットワーク１６と自動的に登録して、従来のセルラーサービス方法で着信を受ける。
【００４７】
移動局
移動局ハードウェア
好適な実施形態では、移動局１２のハードウェアは、図５に示すように、プロセッサ４６と、関連のメモリ記憶領域４７と、デジタルセルラー送受信機５０と、アナログセルラー送受信機５２と、ユーザインターフェースハードウェア４４と、ハンドセット入出力制御ロジック４５と、を含む。有利には、デジタルセルラー送受信機５０とアナログセルラー送受信機５２とは、実際にはコードレスセルラー基地局と同様に、同一のセルラー送受信機中に組み入れられるが、理解を容易にするために、図５には２つの別個の装置を示す。プロセッサ４６は上記の各要素と通信する。関連メモリ記憶領域４７は、永久的および一時的メモリ記憶が可能である。デジタルセルラー送受信機５０は受信機（Ｒｘ）４８と送信機（Ｔｘ）４９とを含む。好適な実施形態では、デジタルセルラー送受信機５０は時分割多元接続（ＴＤＭＡ）型送受信機である。アナログセルラー送受信機５２は受信機（Ｒｘ）５３と送信機（Ｔｘ）５４とを含む。ユーザインターフェースハードウェア５０はキーパッド５５とディスプレイ５６との間をインターフェースできる。好適な実施形態では、キーパッド５５は少なくとも標準的な電話機の２０キーからなるキーパッドを含む。他の実施形態では、キーパッド５５は追加の機能キーを含んでもよい。ディスプレイ５６は、好適には、各種の情報をユーザに表示できるＬＣＤディスプレイである。ディスプレイ５６は、より簡略化した実施形態では、複数の７セグメントディスプレイを含んでもよい。ハンドセット入出力制御ロジック４５は、当業者に公知のように、従来の移動局１２のハンドセット上の標準的な電話マイクロフォンピックアップ６０とスピーカ５９との間をインターフェースする。好適には、移動局１２は、本願に引用により援用する移動局標準に要求されるＩＳ−１３７性能要求を全て満たす。ＩＳ−１３７標準は、電信電話工業協会（ＴＩＡ）エンジニアリング部門（２００１ Ｐｅｎｎｓｙｌｖａｎｉａ Ａｖｅｎｕｅ，Ｎ．Ｗ．，Ｗａｓｈｉｎｇｔｏｎ，Ｄ．Ｃ．２０００６）
から入手可能である。
【００４８】
移動局の動作
図１および図２を再び参照する。移動局１２は、好適には、セルラーネットワーク１６の地域セル１８中でデジタルチャンネルまたはアナログチャンネルのいずれかにアクセス可能な二重モードセルラーハンドセットを含む。移動局１２は、同じセルラー周波数範囲および１つの通信プロトコルを用いて、セルラーネットワーク１６すなわちローカルセル１８、およびコードレスセルラー基地局１０と通信する。好適な実施形態では、移動局１２はＩＳ−１３６エアーインターフェース標準を用いて、セルラーネットワークおよびコードレスセルラー基地局１０の両方と通信する。ＩＳ−１３６標準は、時分割多元接続（ＴＤＭＡ）デジタルセルラー移動電気通信システム用の互換性標準を設定し、移動局１２がこの標準に従って製造されたどのセルラーシステムにおいてもサービスを受けることができるようにする。好適な実施形態では、コードレスセルラー基地局１０はＩＳ−１３６標準からＴＤＭＡデジタルプロトコルだけを使用するため、移動局１２はそのデジタル送受信機５０（図５）だけを用いてコードレスセルラー基地局１０と通信する。しかし他の実施形態では、移動局は、他の通信標準、例えばやはり電信電話工業協会（ＴＩＡ）から入手可能な暫定標準ＰＮ−３３８８等の１．９ＧＨｚ動作に従う標準に準じてもよい。
【００４９】
好適には、移動局１２はその最後のネットワーク登録を優先し、つまり移動局１２に電源が投入されると、移動局１２は自動的にその最後の動作周波数に同期し、その周波数の制御チャンネルに登録を試みる。その周波数の制御チャンネルを見つけられなかった場合は、移動局は他の周波数をスキャンして最適な制御チャンネルを見つける。多くの場合、移動局はセルラーネットワーク１６中の一番近い地域セルラー基地局１８に登録する。以下に詳述するように地域セルラーネットワークと登録した後、移動局１２が自動的に登録権を与えられているコードレスセルラー基地局１０に近づくと、移動局１２は自動的に地域セルラーネットワーク１６との登録から外れ、コードレスセルラー基地局１０に登録する。上記で簡単に述べたが、以下に詳述するように、移動局１２は最近登録したコードレスセルラー基地局１０が含まれるエリア中のセルラーサービスに関する情報を記憶している。このため、移動局１２は現在含まれている地域セル１８についての情報をたえず比較し、それが一番最近登録したコードレスセルラー基地局１０の１つを含む可能性があるセルかどうかを判断する。もし移動局１２が最近登録したコードレスセルラー基地局１０を含む可能性のある地域セル１８の中にいれば、移動局はそのコードレスセルラー基地局１０の動作パラメータに関して記憶している情報を用いてコードレスセルラー基地局１０の場所を突き止めようと試みる。
【００５０】
このように、移動局１２は、最近登録した１つ以上のコードレスセルラー基地局１０に関する動作周波数および他の情報の半永久的記憶専用の部分をメモリ４７（図５）中に含む。好適には、移動局１２は、図６に示すように以前に登録した約３機のコードレスセルラー基地局に関する情報を記憶するコードレスセルラー基地局記憶テーブル７８を、ＥＥＰＲＯＭ中に半永久的に保持する。現在のところ３機のコードレスセルラー基地局１０の記憶が好ましいが、追加のコードレスセルラー基地局１０の記憶に適したアプリケーションも可能である。一番上の行８０は「プライマリ」コードレスセルラー基地局についてのデータを含む。「プライマリ」コードレスセルラー基地局とは、例えば、ユーザが最も頻繁にアクセスし、このサービスへの加入に関する請求書が送付されるユーザの自宅または職場のコードレスセルラー基地局１０である。ユーザはどのコードレスセルラー基地局が「プライマリ」基地局であるかを指定する。好適な実施形態では、移動局１２を最初にコードレスセルラー基地局１０に登録した後、ユーザは特定のキーストローク処理、有利には移動局のキーパッドで数字の１のキーに続いて＃キーを入力し、これにより現在使用中のコードレスセルラー基地局１０を「プライマリ」コードレスセルラー基地局に指定することができる。第２行目および第３行目８２、８４は、有利には、最近使用した非プライマリコードレスセルラー基地局１０のうち使用時期の新しい順に２台の基地局のデータを含む。移動局１２は、一番上の行８０には常にプライマリコードレスセルラー基地局１０についての情報を維持する。移動局１２は、それ以下の行については順序を必要に応じて入れ替えて管理し、２行目８２が一番最近使用した非プライマリコードレスセルラー基地局１０についてのデータを含み、３行目８４がその前に使用した非プライマリコードレスセルラー基地局１０についてのデータを含むようにする。
【００５１】
テーブル７８は、水平方向に第１部分８５と第２部分８７とに分割される。テーブル７８の第１部分８５は、コードレスセルラー基地局１０に関する情報、例えばコードレスセルラー基地局の識別番号、およびそのコードレスセルラー基地局１０について最後にわかっている動作チャンネルおよびバックアップチャンネル等を記憶する。テーブル７８の第２部分８７は、コードレスセルラー基地局１０が存在する地域セル１８のセルラーサービスに関する情報を記憶する。
【００５２】
テーブル７８の第１部分８５は、好適には、コードレスセルラー基地局１０に関する以下の情報、すなわち住宅用システムＩＤ（ＲＳＩＤ）８６と、動作チャンネルｆo８８と、バックアップチャンネルｆ1，ｆ2，およびｆ3９０−９４と、国コードＣＣ９６と、システム動作コードＳＯＣ９８と、を含む。ＲＳＩＤはコードレスセルラー基地局１０を識別する１６ビットのシリアル番号である。ＲＳＩＤは、初期許可処理の間に、セルラーネットワーク１６によってコードレスセルラー基地局に割り当てられる。ＲＳＩＤ８６は、ＩＳ−１３６標準に従ってコードレスセルラー基地局１０からデジタル制御チャンネル（ＤＣＣＨ）を介して放送され、移動局１２がコードレスセルラー基地局１０を認識し、かつその基地局に登録を試みることができるようにする。移動局１２は、コードレスセルラー基地局１０との最初の登録後、テーブル７８中にＲＳＩＤを復元し、移動局１２が次にコードレスセルラー基地局１０の範囲内に入った時にその基地局を突き止める補助として使用する。チャンネル情報は、現在または最後にわかっている動作チャンネルｆ0８８と、コードレスセルラー基地局１０が動作し得る他の３つのチャンネルｆ1，ｆ2，およびｆ3９０−９４とである。これら他のチャンネルは、コードレスセルラー基地局のデジタル制御チャンネル（ＤＣＣＨ）が最も検出され易いチャンネルである。これらのチャンネルは、以下に詳述する処理を用いる妨害環境の測定に基づいてコードレスセルラー基地局１０によって決定される。好適には、コードレスセルラー基地局１０はコードレスセルラー基地局の動作用の他のチャンネル群を含む近隣リストを放送する。その後、この近隣リストは移動局によって記憶される。他の実施形態では、これらの他のチャンネルは、移動局１２がコードレスセルラー基地局１０に登録されている間に、コードレスセルラー基地局１０からデジタル制御チャンネル（ＤＣＣＨ）を介して定期的に送信されるデータまたは他の配信パケットを介して、コードレスセルラー基地局１０から移動局１２に与えられる。国コードＣＣ９６は、コードレスセルラー基地局１０が接続されている陸上線１４用の国コードである。システムオペレータコードＳＯＣ９８は、サービスプロバイダー用のシステムオペレータコードである。セルラーネットワークの場合は、ＭｃＣａｗネットワークは他のサービスプロバイダーと同様に独自のコードを持つ。
【００５３】
国コードＣＣ９６、システムオペレータコードＳＯＣ９８、およびＲＳＩＤ８６をまとめて、以後、「拡張ＲＳＩＤ」１００と称する。好適には、移動局１２が以前に登録したコードレスセルラー基地局１０の場所を突き止めたかどうかを判断しようとする際、移動局１２は記憶している「拡張ＲＳＩＤ」１００をコードレスセルラー基地局１０から放送される拡張ＲＳＩＤと比較する。好適な実施形態では、移動局１２が、記憶している拡張ＲＳＩＤ１００がコードレスセルラー基地局が放送する拡張ＲＳＩＤと一致するかどうか比較する際、次の規則が適用される。すなわち、移動局１２がコードレスセルラー基地局１０のＣＣ９６を以前に入手していなかった場合、移動局１２はこれら２つのＣＣが公知であり一致しているとして扱う。実際には未知のＣＣ９６はワイルドカードとして扱われる。
【００５４】
ＲＳＩＤ８６自体ではなく拡張ＲＳＩＤ１００を使用することにより、移動局１２が記憶しているのと同じＲＳＩＤを偶然保有している誤った領域中のコードレスセルラー基地局１０に間違って登録しないように、より高度な保護を提供できる。例えば、米国内のあるコードレスセルラー基地局１０と同一のＲＳＩＤ８６を持つカナダの人物のコードレスセルラー基地局１０に移動局１２を登録しようとは思わないはずである。拡張ＲＳＩＤ１００を用いて、国コードＣＣ９６、システム動作コードＳＯＣ９８およびＲＳＩＤ１００を検査することにより、このようなエラーをなくすことができる。
【００５５】
テーブル７８の第２部分８７は、コードレスセルラー基地局１０が存在する地域セル１８に関する次の情報、すなわちセルのシステム識別子ＳＩＤ１０２と、セル１８をさらに特徴付ける複数の公衆サービスプロファイルＰＳＰＯ，ＰＳＰ１，ＰＳＰ２，およびＰＳＰ３ １０４−１１０と、を含む。システム識別子ＳＩＤ１０２は、コードレスセルラー基地局１０が位置するセルラーネットワーク１６内の都市部エリアについての識別番号である。地域セルラーネットワーク１６の各都市部エリアにはそれぞれ独自のＳＩＤ１０２が割り当てられる。移動局１２はＳＩＤを用いて、移動局１２が、公知のコードレスセルラー基地局１０を含む可能性のあるエリア中にいる場合を判断する。ある都市部エリア内にはその中で動作する複数のセル１８が存在する場合がある。従って、さらに利用可能な情報を使用して、所望のコードレスセルラー基地局が位置するセルだけの識別を補助することが有利である。公衆サービスプロファイルは、デジタル領域セルの場合は、好適にはデジタル制御チャンネル（ＤＣＣＨ）のチャンネル番号、およびコードレスセルラー基地局が最後に位置していた地域セルについての８ビットデジタル認証カラーコード（ＤＶＣＣ）を含む。ＤＶＣＣは基地局から移動局へ送られ、符号化されて符号化デジタル認証カラーコード（ＣＤＶＣＣ）となる。
【００５６】
このＣＤＶＣＣは、８ビットのＤＶＣＣと、基地局が生成した４つの保護ビットとを含む１２ビットデータフィールドである。ＣＤＶＣＣは、各時間スロット中に移動局と基地局との間でやりとりされる。ＣＤＶＣＣは、基地局と移動局との間で正しいデータが復号されていることを示すために使用される。これらの数字は当業者には周知である。アナログ地域セルの場合は、公衆サービスプロファイルは、好適には地域セル用のアナログ制御チャンネル（ＡＣＣＨ）番号と、コードレスセルラー基地局１０が最後に位置していた地域セルについてのデジタルカラーコード（ＤＣＣ）とを含む。ＤＣＣは、ある移動局が適当な基地局を捕えたことを検知するために使用される転送アナログ制御チャンネル上に、基地局から送信されるデジタル信号である。これらの番号は当業者に周知である。公衆サービスプロファイルを記憶する目的は、所望のコードレスセルラー基地局１０が位置する地域セルラーサービスに関する追加情報を入手し、これによりそのコードレスセルラー基地局に対応する正しい地域セルを特定しやすくすることである。
【００５７】
移動局１２はテーブル７８のＰＳＰ１０４−１１０を満たす役割を担う。このために、好適な実施形態では、移動局１２はコードレスセルラー基地局１０から放送された近隣リストを受信し、この近隣リストからＰＳＰを推測する。通常は基地局によって放送される近隣リストメッセージは、ＩＳ−１３６標準によって特定され、チャンネル群を好適なチャンネル群、好適でないチャンネル群、および通常のチャンネル群に指定できる。好適なチャンネルと指定されたチャンネルは、受信中の移動局の動作チャンネルをこの好適なチャンネルに切り替えさせることが可能である。好適でないチャンネルおよび通常チャンネルは、このような迅速な移動局の動作は必要としない。コードレスセルラー基地局は、この事前に規定されたＩＳ−１３６に従う放送された近隣リストメッセージを利用するが、この近隣リストメッセージ上で近隣仲間（ピア）セル群の形成に関する情報を送信する代りに、コードレスセルラー基地局は、ＣＣＢＳのカバーエリアに重なるセルに関するＰＳＰ情報、およびＣＣＢＳが切り替えを選択しうるバックアップチャンネルに関する情報を送信する。さらに、コードレスセルラー基地局は、バックアップチャンネルではないがＣＣＢＳが移動局に通知したいチャンネルを含んでもよい。放送される近隣リスト上で最大４つまでのＰＳＰが送信され、好適ではないチャンネルと指定される。近隣リストのこれ以外の部分は、全て通常チャンネルとして示されるバックアップチャンネルおよびその他のチャンネルから構成される。コードレスセルラー基地局１０から近隣リストを受信すると、移動局１２は好適ではないチャンネルとして示されるチャンネルのＰＳＰ情報を抽出し、この情報をコードレスセルラー基地局用の記憶テーブル７８に記憶する。
【００５８】
ＣＣＢＳは次の処理を用いて、ＣＣＢＳが含まれるまたはＣＣＢＳ近隣の公衆セルを決定して、近隣リストメッセージ中に好適ではないチャンネルとして載せるチャンネルを決定する。ＣＣＢＳはセルラースペクトル中の全てのチャンネルをスキャンし、各チャンネル毎に受信信号強度（ＲＳＳ）測定を行う。ＣＣＢＳはＲＳＳ測定値が最も高いチャンネルの活動を考慮し、そのチャンネルの活動が公衆デジタル制御チャンネルによるものかどうかを判断する。信号が公衆デジタル制御チャンネルによるものでない場合は、ＣＣＢＳは２０ｄＢのしきい値に達するまでＲＳＳ測定値が次に高いチャンネルへと切り替えて行く。信号が公衆デジタル制御チャンネルによるものであれば、ＣＣＢＳはこのチャンネルを、そのカバーエリアがＣＣＢＳを含むまたはＣＣＢＳ近隣の公衆セル用の活動デジタル制御チャンネルとして記憶する。ＣＣＢＳは、ＣＣＢＳが含まれるまたはＣＣＢＳ近隣の公衆セルについて最大４つまでの活動デジタル制御チャンネルの情報を集め、この情報を放送する近隣リストメッセージで送信する。
【００５９】
他の実施形態では、移動局１２は、移動局が新しい地域セル１８に入る度に、地域セル１８についての公衆サービスプロファイルを集める。コードレスセルラー基地局１０との登録時に、移動局１２は、現在および以前に集めた公衆サービスプロファイル（ＰＳＰ）を以前に記憶した公衆サービスプロファイルと比較し、これらの公衆サービスプロファイルの一方または両方がまだテーブル７８にない場合はテーブル７８を更新する。公衆サービスプロファイルを変更する理由は、サービスを提供する地域セルが変わるかもしれない場所にコードレスセルラー基地局１０が位置する、つまりコードレスセルラー基地局が、最大４つの近隣セルのサービス範囲が重なり合う場所に位置するかもしれないためである。最大４つの公衆サービスプロファイルを記憶することにより、移動局１２がコードレスセルラー基地局１０に近付く際にどのセルが移動局１２にサービスするかには関係なく、移動局１２はコードレスセルラー基地局１０の位置を突き止める必要があることを認識する。一番最近収集された公衆サービスプロファイルは常にＰＳＰ0として記憶される。公衆サービスプロファイルに変更があると、以前にＰＳＰ0として記憶されていた公衆サービスプロファイルはＰＳＰ1として、ＰＳＰ1として記憶されていた公衆サービスプロファイルはＰＳＰ2として、という風に記憶されていく。
【００６０】
本願では、ＳＩＤ１０２とＰＳＰとの組み合わせを示すために「拡張公衆サービスプロファイル」１１２という用語を使用する。移動局１２は、ＰＳＰを検査する前に、コードレスセルラー基地局１０を含む地域セル１８のＳＩＤと現在のＳＩＤとが一致することを確認する。ＳＩＤの一致が検出されると、ＰＳＰが一致しているかどうかが検査される。拡張ＰＳＰ１１２は、移動局１２が特定のコードレスセルラー基地局１０の探索を開始する前に一致しておく必要がある。例えば、移動局１２は現在含まれているセルのＳＩＤをチェックして、それを移動局１２が登録しているコードレスセルラー基地局１０の各ＳＩＤと比較し、公知のコードレスセルラー基地局１０をもっていると思われるＳＩＤに移動局１２が含まれているかどうかを判断する。このため移動局１２は、知らないＳＩＤを持つどこか遠い町にいる間は、特定のコードレスセルラー基地局１０の探索は行わない。さらに、ＳＩＤの使用によって、移動局１２のユーザが別の町または州にいる間に、移動局１２が間違ってコードレスセルラー基地局１０に登録してしまう可能性を下げる。このリスクをさらに下げるために、好適な実施形態では、拡張ＰＳＰはコードレスセルラー基地局が含まれる国コードＣＣも含み、これによりＳＩＤが一致しても移動局が違う国にいる時は、移動局がコードレスセルラー基地局を探索しないようにする。
【００６１】
コードレスセルラー基地局の特徴
コードレスセルラー基地局の初期許可
安全なシステムの維持のため、コードレスセルラー基地局１０はまず、その使用許可のためにセルラーネットワーク１６に登録する。実際には、セルラーネットワーク１６は、動作用に許可された動作周波数リスト等の一定の動作パラメータをコードレスセルラー基地局１０に与えるため、コードレスセルラー基地局１０はネットワークの許可なしには動作できない。
【００６２】
好適には、顧客がコードレスセルラー基地局１０を購入すると、販売者はセルラーネットワーク１６に連絡して、コードレスセルラー基地局１０に関するある情報、例えばコードレスセルラー基地局１０の電子シリアル番号や、ユーザがコードレスセルラー基地局１０を接続しようとする陸上線番号などを知らせる。販売者はまた、通話転送機能への加入のために主たるユーザの移動局１２の移動識別番号（ＭＩＮ）をセルラーネットワークに送ることが求められる。
【００６３】
コードレスセルラー基地局１０が設置場所に設置されると、ユーザはコードレスセルラー基地局１０をユーザの陸上線１４に関連した電話ジャック５８、および一般的な壁面ソケット等の電源（図示せず）に接続する。好適な実施形態では、ユーザはコードレスセルラー基地局１０上のネットワーク許可機能キー６２を押す。他の実施形態では、コードレスセルラー基地局１０が電源に接続されると、コードレスセルラー基地局１０は自動的にセルラーネットワーク許可処理を初期化する。また有利には、システムは、ネットワーク許可処理を手動で初期化する命令として、例えば４６４８＃等の電話のキーパッド（図３）上の特定の番号および記号列を受け取る。
【００６４】
図７に示すように、新しいコードレスセルラー基地局１０のネットワーク許可処理について説明する。自動ネットワーク許可処理が初期化されるか、または手動キーストロークコマンドが押下されると、ステップ６４で、プロセッサ４６はコードレスセルラー基地局（ＣＣＢＳ）１０上の標準電話インターフェースハードウェア２９を用いて、陸上線１４を介してリモートネットワーク更新番号等のプリセットされたセルラーネットワーク許可電話番号に発呼する。好適には、セルラーネットワーク許可番号はコードレスセルラー基地局１０の半永久的メモリに記憶される。
【００６５】
セルラーネットワーク（ＣＮ）１６がコードレスセルラー基地局１０からの発呼に応答すると、セルラーネットワーク１６は、モデムセットアップステップ６６で、陸上線１４上でコードレスセルラー基地局１０とのモデムリンクを開始する。このモデムリンクは、ＡＴ＆Ｔ８００トランザクション・アクセス・サービス・オプションを用いて確立することができ、または別のモデムプールによっても与えられる。コードレスセルラー基地局１０はセルラーネットワーク１６とのモデムリンクのセットアップを最低２度試みる。コードレスセルラー基地局１０のモデム２７とセルラーネットワーク１６のモデム２７とが同期すると、モデムリンクが確立される。モデムリンクの確立は最低２度、試行される。モデムリンクが確立されると、コードレスセルラー基地局１０はステップ６８で許可要求メッセージを送る。許可要求メッセージは、コードレスセルラー基地局の識別用の電子シリアル番号を含む。ネットワークは、電子シリアル番号で識別されるコードレスセルラー基地局１０が、コードレスセルラー基地局の購入時にセルラーネットワークに通知された陸上線番号から発呼していることを確認する。好適には、コードレスセルラー基地局は、ＰＳＴＮ１５からの電話線の通話番号識別（ＣＮＩ）機能を利用し、受信中の通話が実際には地域セルラーシステムに記憶された陸上線１４上にあることを確認する。モデムリンクが確立された陸上線番号が、記憶された陸上線番号と同じであれば、セルラーネットワーク１６はコードレスセルラー基地局１０から初期認証メッセージ（ＡＵＴＨ）を受け取り、初期許可メッセージ（ａｕｔｈ）をステップ７２でコードレスセルラー基地局１０に送る。
【００６６】
セルラーネットワーク１６は、許可メッセージ中にコードレスセルラー基地局１０用の一定の動作パラメータをダウンロードする。好適な実施形態では、許可メッセージは以下を含む。すなわち、（ａ）プライマリＭＩＮ、（ｂ）ＣＣＢＳ−ＩＤ（ＣＣＢＳがＣＣＢＳ ＶＬＲとの今後の通信で使用するパスワード）、（ｃ）公衆ＳＩＤ（ＳＩＤ）（該ＣＣＢＳが動作すべきシステムＩＤ）、（ｄ）住宅用ＳＩＤ（ＲＳＩＤ）（該ＣＣＢＳを識別する住宅用システムＩＤ）、（ｅ）ＣＣＢＳ＿Ａｕｔｈ＿Ｃｏｕｎｔ（不正使用防止に使用する初期値）、（ｆ）登録／登録抹消フラグ（ＣＣＢＳ ＶＬＲが通知を希望する登録および登録抹消のＣＣＢＳへの表示）、（ｇ）許可周波数（セルラー基地局が動作許可を受けている周波数のリスト）、（ｈ）リモートネットワーク更新番号１（ＲＮＵＮ１）（ＣＣＢＳがＣＣＢＳとのさらなる通信用に使用する番号）、（ｉ）リモートネットワーク更新番号２（ＲＮＵＮ２）（リモートネットワーク更新番号１が機能しない場合にＣＣＢＳが使用すべき別番号）、（ｊ）ＬＬＮ（該ＣＣＢＳが動作すべき陸上線番号）、（ｋ）ＳＯＣ（セルラープロバイダー用のシステムオペレータコード）、（ｌ）許可電力（許可された動作電力レベル）、（ｍ）送信信号強度（該ＣＣＢＳが動作すべき最大信号強度）、および（ｎ）受信信号強度（該ＣＣＢＳが移動セットチャンネルを考慮する最小信号強度）、である。好適な実施形態では、動作周波数はセルラースペクトル中の周波数の一部である。ただし動作周波数は、セルラースペクトル中の全周波数を含んでもよい。許可電力レベルは、ＣＣＢＳの動作が許可される電力レベルである。一実施形態では、ユーザは、ユーザが受信を希望し、かつサービスレベル毎に異なる料金が課されるサービスレベルのオプションをもつ。例えば、ユーザはＣＣＢＳのカバーエリアを、狭いカバーエリア、通常のカバーエリア、または広いカバーエリアから選択することができ、各カバーエリアは対応した許可または許可電力レベルを持つ。ユーザが要求するサービスレベルに応じて、対応する許可電力レベルが許可メッセージ中でＣＣＢＳに送られる。許可ステップ（ａｕｔｈ）の間に受信したパラメータは、コードレスセルラー基地局１０のメモリに記憶され、動作に使用される。好適には、パラメータはＥＥＰＲＯＭ中に記憶される。コードレスセルラー基地局１０は、ステップ７４でセルラーネットワーク１６に結果返送メッセージを送って、許可メッセージの受信を確認する。結果返送メッセージが受信されて初期化処理が完了すると、コードレスセルラー基地局１０またはセルラーネットワーク１６のいずれかがステップ７６でコールを解放する（コール解放）。上記のコードレスセルラー基地局１０初期化の試みのいずれか１つでも失敗すれば、初期化処理はセルラーネットワーク１６によって取り消され、許可ステップは一定期間の後に再試行される。二度目の試みも失敗に終った場合は、ユーザは陸上線１４上で別の発呼を行ってセルラーネットワーク１６に再びコンタクトし、初期化処理をもう一度行うことを要求できる。
【００６７】
ネットワーク許可が完了すると、セルラーネットワーク１６は、コードレスセルラー基地局の独自の識別パスワード番号の永久記録と、コードレスセルラー基地局１０に関連したプライマリ移動局１２の移動局ＩＤ番号と、コードレスセルラー基地局１０に関連した陸上線番号とを保有する。一実施形態では、コードレスセルラー基地局１０がセルラーネットワーク１６とのネットワーク許可処理が成功すると、コードレスセルラー基地局１０上のインジケータが光ってコードレスセルラー基地局１０の使用が許可されたことを示す。
【００６８】
他の実施形態では、ネットワーク許可処理は上記とほぼ同じだが、ただし許可処理を開始するには、ユーザは、ユーザの標準電話陸上線１４上でセルラーネットワーク許可電話番号に電話を掛け、セルラーネットワーク１６にコードレスセルラー基地局１０が接続している陸上線番号（ＬＬＮ）を伝える。セルラーネットワーク（ＣＮ）１６は、コードレスセルラー基地局１０が接続されている公衆交換電話網（ＰＳＴＮ）１５上の陸上線番号に発呼する（初期発呼）。ユーザはこの電話には応答せず、代りにコードレスセルラー基地局１０上の陸上線通信ハードウェア２９（図３）がこの発呼に応答できる。こうしてコードレスセルラー基地局１０とセルラーネットワーク１６との間に電話リンクが確立されると、モデムリンクをセットアップし、図７に示す流れに沿って上述した許可処理へと進む。
【００６９】
コードレスセルラー基地局の登録リスト
コードレスセルラー基地局のユーザ数が増加すると、近隣の家々にコードレスセルラー基地局１０が設置されている可能性が益々高くなる。このような場合、コードレスセルラー基地局１０の近くにくる全ての移動局１２を自動的に登録するのは望ましくない。有利には、好適な登録方式では、コードレスセルラー基地局１０は以前に登録権が与えられているユーザにのみアクセス可能である。コードレスセルラー基地局１０はメモリ２１（図３）の半永久的部分にコードレスセルラー基地局の登録リスト１１３を維持し、これはこのコードレスセルラー基地局１０との登録権が以前に与えられている移動局１２の移動システム識別番号を記憶する。自動登録が開始される前に移動局１２の事前登録を要求することにより、使用頻度の高いユーザには自動登録の便宜を残したまま、近隣のコードレスセルラー基地局１０との誤った自動登録を防止できる。
【００７０】
図８に示すように、コードレスセルラー基地局の登録リスト１１３は、好適には第１部分１１４と第２部分１１５とに分割される。コードレスセルラー基地局１０との登録権が自動的に与えられる「プライマリ」移動局１２の移動局識別番号ＭＩＮは、リスト１１３の第１部分１１４に記憶される。プライマリユーザはコードレスセルラー基地局１０の所有者であり、通常はコードレスセルラー基地局１０のサービスに対する料金が課せられる人物である。コードレスセルラー基地局１０に一番最近登録した「非プライマリ」移動局１２の移動局識別番号ＭＩＮは、リスト１１３の第２部分１１５に記憶される。好適な実施形態では、コードレスセルラー基地局１０は、有利には、コードレスセルラー基地局の登録リスト１１３にＭＩＮが記憶されている限られた台数の移動局１２にのみ自動的に登録権を与えることができる。好適には、コードレスセルラー基地局１０は、２人のプライマリユーザおよび８人の非プライマリユーザに登録権を与えることが可能である。しかし、所望する使用方法によってはユーザの数はこれより上下してもよい。
【００７１】
リストの第１部分１１４に記載されるプライマリユーザは、好適には、認可業者からの介入、または地域セルラーネットワーク１６との通信がなければ変更不能である。一番最近に自動登録権を与えられた非プライマリ移動局を記載するリスト１１３の第２部分１１５は、有利には、コードレスセルラー基地局１０への登録時期が近い順に維持される。従って、リスト１１３の第２部分１１５が既に満杯の場合は、リストの最後の非プライマリ移動局、つまり一番以前に自動登録を与えられた移動局がリスト１１３から外され、新しい移動局に自動登録権が与えられると、その移動局が第２部分１１５すなわち非プライマリ登録リストの一番上に置かれる。
【００７２】
コードレスセルラー基地局１０はまた、有利には、最近自動登録権を与えられた非プライマリ移動局１２を記載するリスト１１３の第２部分１１５のＬＣＤディスプレイを提供できる。この実施形態では、ユーザはコードレスセルラー基地局上の機能キーを押して、非プライマリ移動局を記載するリスト１１３の第２部分１１５を表示する。リスト１１３の第２部分１１５が表示されると、ユーザは表示された移動局識別番号のリストをスクロールして、ユーザが削除したい番号を選択する。ユーザはその後、コードレスセルラー基地局１０上の削除と書かれた機能キーを押すか、または他の実施形態では、コードレスセルラー基地局１０のキーパッドから３３５＃等のキー列を入力して、ハイライトされた番号を自動登録リスト１１３の第２部分１１５から削除できる。
【００７３】
入力毎に、コードレスセルラー基地局の登録リスト１１３は、コードレスセルラー基地局に関する移動局の状態を示すステータス記録１１６、および移動局識別番号の記録１１７を記憶する。好適には、コードレスセルラー基地局１０に関する移動局１２の状態は「待機」、「活動」、および「休止」状態と呼ばれる３つの状態がある。テーブル１１３に「Ｄ」で示す休止状態は、以前にコードレスセルラー基地局１０に登録されている移動局１２が現在はコードレスセルラー基地局１０に登録されていないことを示す。テーブル１１３の「Ｓ」で示す待機状態は、移動局１２が現在コードレスセルラー基地局１０に登録されているが、通話中ではない、つまり移動局１２が「待機状態」であり、コードレスセルラー基地局１０を介して受信または発信を待機中であることを示す。テーブル１１３の「Ａ」で示す活動状態は、移動局１２がコードレスセルラー基地局１０に登録されており、かつ現在コードレスセルラー基地局１０によって制御される通話中であることを示す。先に述べたように、好適な実施形態では、最大２台までの移動局１２が一度に活動状態として記載できる。
【００７４】
初期登録
以前にコードレスセルラー基地局１０に登録されていない移動局１２をユーザが使用しようとする場合、図９および図１０に示すように次の初期登録処理が行われる。図９は、移動局１２とコードレスセルラー基地局１０との間でやり取りされるメッセージを示す。図１０は、初期登録を行うためにコードレスセルラー基地局１０中で発生する過程を示す。図９のステップ１１９において、ユーザはコードレスセルラー基地局１０の初期登録ボタン１１１（図２）を押す。図１０のフローチャートのアクションブロック１２０では、初期登録ボタンの押下が検知され、制御はアクションブロック１２１へ進む。アクションブロック１２１では、コードレスセルラー基地局１０は新規登録（ｎｅｗ＿ｒｅｇ）タイマーをセットする。好適には、新規登録タイマーは３０秒にセットされる。
【００７５】
コードレスセルラー基地局１０の初期登録ボタン１１１の押下後、移動局１２のユーザはステップ１０９で移動局上でテスト登録処理を起動する。好適な実施形態では、テスト登録処理は移動局１２のテスト登録機能キーを押すことによって起動される。他の実施形態では、ユーザは、移動局のキーパッド上で８７８＃等の特定のキー列を押して、移動局１２のテスト登録処理を開始してもよい。テスト登録機能が開始されると、移動局１２は各チャンネルの受信信号強度ｓ〜ｎを測定し、その測定値を記憶する。移動局はその後、受信信号強度が一番強いチャンネルを検査して、デジタル制御チャンネル（ＤＣＣＨ）があるかどうかを判断する。ＤＣＣＨがなければ、移動局は次に受信信号強度の強いチャンネルを検査する。ＤＣＣＨがあれば、移動局はそのシステムＩＤがそのチャンネルを個人システムのものと識別しているかどうかを判断する。個人システムであれば、移動局は図９のステップ１２２でテスト登録メッセージ（ＴＲ）を送信して、その装置に登録を試みる。テスト登録メッセージはＩＳ−１３６標準によって特定される。
【００７６】
図１０の決定ブロック１２３で、コードレスセルラー基地局１０は、移動局１２からテスト登録メッセージが受信されているかどうかをチェックする。テスト登録メッセージが受信されていれば、制御は決定ブロック１２４へ進む。テスト登録メッセージが受信されていなければ、制御は決定ブロック１２５へ進み、ここでコードレスセルラー基地局は新規登録タイマー（ｎｅｗ＿ｒｅｇ）が期限切れしていないかどうかをチェックする。タイマーが切れていなければ、制御は決定ブロック１２３へ戻る。タイマーが切れていれば、初期登録の試みは終了する。
【００７７】
決定ブロック１２４では、コードレスセルラー基地局１０は、図８の登録リストが満杯であるかどうかを判定する。登録リストに未だ余地がある場合は、制御はアクションブロック１２６へ進む。登録リストが満杯の場合は、制御は決定ブロック１２７へ進む。決定ブロック１２７では、コードレスセルラー基地局１０は、登録リスト中の非プライマリ移動局１２の１つが休止状態であると示されていないかどうかを判断する。非プライマリ移動局１２の１つが休止状態であると示されれば、制御はアクションブロック１２８へ進む。休止状態であると示される非プライマリ移動局１２がなければ、制御はアクションブロック１２９へ進む。アクションブロック１２９では、テスト登録拒否の応答が移動局に送られ、初期登録過程は放棄される。アクションブロック１２８では、非活動時間が最も長い非プライマリ移動局１２が登録リストから外され、制御はアクションブロック１２６へ進む。好適な実施形態では、非活動時間が最も長い非プライマリ移動局は、登録リストの一番最後の非プライマリ移動局である。
【００７８】
アクションブロック１２６では、登録を要求している移動局の移動局識別番号が登録リストに加えられる。次に、アクションブロック１３０では、コードレスセルラー基地局１０はテスト登録許可応答メッセージ（ＴＲＲ）を移動局１２に送り、制御は決定ブロック１３３へ進む。
【００７９】
コードレスセルラー基地局からテスト登録許可または拒否の応答を移動局に送信する様子は、図９のステップ１３１に示す。移動局がテスト登録拒否応答を受け取る場合、またはまったくテスト登録応答を受け取らない場合は、移動局は次に受信信号強度の強いチャンネルを検査し、上記の処理を繰り返して、そのチャンネルが個人システムのものであるかどうかを判断し、もしそうであればテスト登録メッセージ（ＴＲ）を送ってその装置に登録を試みる。
【００８０】
ＩＳ−１３６標準に従ってテスト登録許可の応答を受信すると、移動局１２はテスト登録メッセージにコードレスセルラー基地局１０から送信された１組の英字を表示する。好適な実施形態では、表示される英字は「ｃｏｒｄｌｅｓｓ」であり、この時点で移動局はコードレスセルラー基地局とのコードレス登録の受理または拒否を決定できる。ユーザが登録を受理したい場合は、キーパッドの９＃等の特定のキー列を押す。ユーザが登録を受理すると、移動局は図９のステップ１３２でコードレスセルラー基地局に登録メッセージ（Ｒ）を送信する。ユーザが登録を拒否したい場合は、ユーザはキーパッドで６＃等の別の特定キー列を押すか、または他の実施形態では、どのキーも押さない。登録が拒否された場合は、コードレスセルラー基地局１０にはメッセージは送られない。
【００８１】
一方、決定ブロック１３３では、コードレスセルラー基地局１０は、移動局から登録メッセージが受信されたかどうかをチェックする。登録メッセージ（Ｒ）が受信されていれば、制御はアクションブロック１３４へ進む。登録メッセージ（Ｒ）が受信されていなければ、制御は決定ブロック１３５へ進み、コードレスセルラー基地局１０は、ｎｅｗ＿ｒｅｇタイマーが切れていないかどうかをチェックする。ｎｅｗ＿ｒｅｇタイマーが切れていなければ、制御は決定ブロック１３３へ戻り、コードレスセルラー基地局は移動局からの登録メッセージ（Ｒ）の受信のチェックを続行する。コードレスセルラー基地局１０が移動局１２から応答を受信していない状態でｎｅｗ＿ｒｅｇタイマーが切れていれば、制御はアクションブロック１３６へ進み、初期登録の試みは取り消される。
【００８２】
アクションブロック１３４では、ｎｅｗ＿ｒｅｇタイマーが止められ、制御はアクションブロック１３７へ進む。アクションブロック１３７では、図９のステップ１３８に示すように、コードレスセルラー基地局は登録許可メッセージ（ＲＡ）を移動局に送り、制御はアクションブロック１３９へ進む。アクションブロック１３９では、移動局１２の状態は待機モードとして更新され、初期登録処理が完了する。アクションブロック１４０では、コードレスセルラー基地局１０は図１３に関して以下に説明するネットワーク更新試行処理へ進む。
【００８３】
移動局１２がコードレスセルラー基地局１０との初期登録を完了すると、移動局１２は初期登録処理を踏まずにコードレスセルラー基地局１０と自動的に登録する。こうして、移動局１２が好適な実施形態に従って自動登録権が与えられたコードレスセルラー基地局１０の範囲内に入り、かつ移動局１２が現在は通話中でない場合は、移動局１２はユーザからの介入を受けることなく、自動的に地域セルラーサービスモードからコードレス電話陸上線サービスモードへと切り替わる。移動局１２とコードレスセルラー基地局１０との自動登録については次に詳述する。
【００８４】
移動局とコードレスセルラー基地局との自動登録
移動局１２は、移動局１２が通話中でない場合にのみ、コードレスセルラー基地局１０の位置を突き止めようとする。現在通話中でない移動局１２が自動登録権を与えられているコードレスセルラー基地局１０の範囲内に入ると、移動局１２は好適には、自動的にセルラーネットワークから登録を抜け、コードレスセルラー基地局１０に登録する。コードレスセルラー基地局１０は、有利には一度に２台までの移動局１２と通信可能である。コードレスセルラー基地局１０は、そのデジタル制御チャンネル（ＤＣＣＨ）が１つ以上の移動局１２をサポートしているかどうかを表示する。好適な実施形態では、コードレスセルラー基地局１０は、そのデジタル制御チャンネル（ＤＣＣＨ）が現在サポートしている各移動局１２の移動識別番号を表示する。コードレスセルラー基地局１０は、移動局１２からいつでも登録要求および他の正当な要求を受信する準備ができている。
【００８５】
一般に、コードレスセルラー基地局１０との自動登録が達成可能であるかどうかは、コードレスセルラー基地局１０からの送信信号の強度に左右される。好適には、コードレスセルラー基地局１０は約６．３ｍＷの信号の送信が可能である。これをコードレスセルラー基地局１０の自動登録の範囲に変換すると、約５００フィート〜１，０００フィートとなる。登録範囲の幅は、コードレスセルラー基地局のＤＣＣＨで放送される値、天候の変化、周囲のＥＭＩ妨害、およびコードレスセルラー基地局１０が位置する建物のレイアウトおよび規模、によるものである。
【００８６】
移動局によるコードレスセルラー基地局の位置追跡
図１０に示すように、移動局１２が制御チャンネルによってサービスされており、かつ現在通話中でない場合は、移動局１２は新たな制御チャンネルを選択する毎にコードレスセルラー基地局１０の存在をサーチする。新たなチャンネルが選択されると、決定ブロック１４０において、コードレスセルラー基地局は新たなデジタル制御チャンネルが選択されたかどうかをチェックする。決定ブロック１４０で新たなデジタル制御チャンネルが入手されていれば、制御はアクションブロック１４２へ進む。決定ブロック１４０で新たなデジタル制御チャンネルが入手されていなければ、制御は決定ブロック１４１へ進む。決定ブロック１４１で新たなアナログ制御チャンネルが入手されていれば、制御はアクションブロック１４２へ進む。アクションブロック１４１で新たなアナログ制御チャンネルが入手されていなければ、制御は決定ブロック１４０へ戻る。
【００８７】
アクションブロック１４２では、移動局１２の現在の拡張公衆サービスプロファイルと、記憶したコードレスセルラー基地局１０毎に移動局のテーブル７８（図６）に記憶されている全ての拡張公衆サービスプロファイルとが比較される。アナログ制御チャンネルについては、拡張公衆サービスプロファイルは、好適には上述したようにＣＣ、ＳＩＤ、ＡＣＣＨチャンネル番号、および制御チャンネル用のＤＣＣを含む。デジタル制御チャンネルについては、拡張公衆サービスプロファイルは、好適には上述したようにＣＣ、ＳＩＤ、ＤＣＣＨチャンネル番号、およびＤＶＣＣを含む。決定ブロック１４４で拡張ＰＳＰが一致すれば、制御はアクションブロック１４６へ進む。決定ブロック１４４で拡張ＰＳＰの一致がなければ、制御はアクションブロック１４８へ進む。
【００８８】
アクションブロック１４６では、拡張ＰＳＰが一致すると、移動局１２は以前に登録したコードレスセルラー基地局１０の近くにいる可能性がある。当業者に公知のように、移動局には近隣リスト（ＮＬ）と呼ばれる周波数リストがセルラーネットワーク１６によって与えられる。当業者に公知のように、近隣リストは近隣のセルが動作する周波数のリストであり、現在のセルの信号強度が最適でなくなると移動局が制御用に近隣セルの選択を行うのを補助する。一般的な移動局１２では、移動局は近隣リストに記載されたチャンネルをスキャンして、現在の制御チャンネルよりも強力な制御チャンネルが近隣セルのチャンネルにあるかどうかを判断する。よりクリアーなチャンネルが見つかると、移動局は自動的に新しい制御チャンネル上に「留まる」。こうして、アクションブロック１４６では、拡張ＰＳＰが一致すると、移動局１２は有利には、コードレスセルラー基地局１０のデジタル制御チャンネル（ＤＣＣＨ）が検出された記憶済みのプライマリおよびその他のコードレスセルラー基地局の周波数、すなわち拡張ＰＳＰの一致が検出されたテーブル７８（図６）の各行のｆ0，ｆ1，ｆ2，ｆ3を、拡張近隣リスト（ＥＮＬ）を構成する近隣リスト（ＮＬ）に加える。こうして、アクションブロック１４８では、近隣リストの各周波数が次々にスキャンされ、よりクリアーな制御チャンネルがあるかどうかが判断される。移動局がスキャン中の近隣リストの周波数の１つにおいて、コードレスセルラー基地局のＲＳＩＤ等の、ＩＳ−１３６標準に従う個人システム識別子が検出されれば、移動局１２はその制御チャンネルに同期して、それが移動局が認識する識別子かどうかをチェックする。
【００８９】
決定ブロック１５０では、移動局は制御チャンネルについて入手した識別子と、スキャン中のコードレスセルラー基地局についての拡張ＲＳＩＤとを比較する。
上記のように、拡張ＲＳＩＤは、好適には、コードレスセルラー基地局１０の国コード（ＣＣ）、システムオペレータコード（ＳＯＣ）、および１６ビット住宅用システムＩＤ（ＲＳＩＤ）である。拡張ＲＳＩＤの一致が検出されれば、制御はアクションブロック１５４へ進む。拡張ＲＳＩＤの一致が検出されなければ、制御はアクションブロック１５２へ進み、移動局は近隣リストに記載されているいずれかの周波数の信号強度がチャンネルの変更を保証するのに十分強いかどうかをチェックする。決定ブロック１５２でチャンネルの１つの信号強度が新しいチャンネルを選択するのに十分強ければ、制御は決定ブロック１４０へ戻る。決定ブロック１５２でチャンネルの変更を保証するのに十分強度の強いチャンネルが存在しなければ、制御はアクションブロック１４８へ戻り、近隣リスト中のチャンネルのスキャンが続行される。
【００９０】
アクションブロック１５４では、移動局は地域セルラーネットワークとの登録から外れる。制御はアクションブロック１５６へ進み、移動局は図１２に関連して以下に説明するＣＣＢＳ登録処理を用いて、コードレスセルラー基地局１０との登録を試みる。登録がうまくいけば、移動局はコードレスセルラー基地局のデジタル制御チャンネル（ＤＣＣＨ）上に留まる。
【００９１】
コードレスセルラー基地局（ＣＣＢＳ）の自動登録
移動局１２が、上記の処理を用いてコードレスセルラー基地局１０の近くにいると判断すると、移動局１２は図１２に示す処理を用いてコードレスセルラー基地局１０との登録を試みる。まず、決定ブロック１５８で、コードレスセルラー基地局１０は、移動局１２の移動局識別番号（ＭＩＮ）とコードレスセルラー基地局１０の自動登録リスト中に記憶したＭＩＮとが一致するかどうかをチェックする。移動局のＭＩＮと記憶したＭＩＮの１つとが一致すれば、制御はアクションブロック１６０へ進む。移動局１２のＭＩＮと記憶したＭＩＮの１つとが一致しなければ、制御はアクションブロック１６２へ進む。アクションブロック１６２では、自動登録の試みが拒否され、制御はアクションブロック１６４へ進み、自動ＣＣＢＳ登録処理は終了する。
【００９２】
アクションブロック１６０では移動局１２の自動登録の試みが受領される。次に決定ブロック１６６では、コードレスセルラー基地局１０は図８の登録リストで移動局の状態をチェックする。移動局１２が休止モード、つまり活動または待機モードではないと記載されていれば、制御はアクションブロック１７２へ進む。移動局１２が休止状態ではないと記載されていれば、制御はアクションブロック１６８へ進む。アクションブロック１６８では、自動ＣＣＢＳ登録処理が完了したと考えられ、制御はアクションブロック１７０へ進んで、自動ＣＣＢＳ登録処理が終了する。
【００９３】
アクションブロック１７２では、移動局１２の状態が待機モードとして更新される。アクションブロック１７４では、自動ＣＣＢＳ登録処理が完了したと考えられ、制御はアクションブロック１７６へ進む。アクションブロック１７６では、コードレスセルラー基地局１０は、図１３に関連して以下に説明するネットワーク更新試行処理に進む。
【００９４】
ネットワーク更新試行
図１３は、コードレスセルラー基地局がセルラーネットワークにコンタクトして、最近の移動局の登録を知らせるのに用いるネットワーク更新試行処理を示す。決定ブロック１９０では、コードレスセルラー基地局１０に関連する陸上線１４の状態がチェックされ、ネットワーク通話転送処理が初期化可能かどうかを判断する。決定ブロック１９０で陸上線１４の状態がアイドル状態であれば、制御はアクションブロック１９２へ進み、図１４ａおよび図１４ｂに関連して説明するネットワーク通話転送処理が開始される。決定ブロック１９０で、陸上線１４の状態がアイドルでなければ、制御は決定ブロック１９４へ進む。決定ブロック１９４では、陸上線の状態がチェックされ、通信線がビジーであるかどうかが判断される。陸上線１４がビジーであれば、制御は決定ブロツク１９５へ進む。陸上線がビジーでなければ、制御は決定ブロック１９６へ進む。決定ブロック１９６では、陸上線の状態がチェックされ、通信線が鳴っているかどうかが判定される。陸上線が鳴っていなければ、制御はアクションブロック１９５へ進む。陸上線が鳴っていれば、制御は決定ブロック１９８へ進む。決定ブロック１９８では、コードレスセルラー基地局の第１および第２の移動局用の音声チャンネルがチェックされ、呼出し中の通話に移動局を加える余地があるかどうかがチェックされる。もし両方のチャンネル共ビジーであれば、例えば２つの移動局間でインターコム通話が進行中であれば、制御はアクションブロック１９５へ進む。どちらのチャンネルもビジーでなければ、制御はアクションブロック２００へ進む。アクションブロック２００では、新たに加えられた移動局が当業者に公知の方法で呼び出され、ユーザが移動局１２上の送信キーを押せば、現在呼び出し中の通話に加入できる。移動局が応答してもしなくても制御はアクションブロック１９５へ進む。
【００９５】
アクションブロック１９５では、コードレスセルラー基地局と陸上線とがどちらもフリーになりネットワーク通話転送処理を開始できるようになるまで、ネットワーク通話転送処理は待ち行列に入れられる。ネットワーク通話転送処理について、図１４ａおよび図１４ｂに関連して以下に説明する。
【００９６】
移動局登録後
移動局１２が、新規の非プライマリコードレスセルラー基地局で以前にはリストになかったコードレスセルラー基地局に登録されると、図６を再び参照して、移動局１２はこのコードレスセルラー基地局１０のデータを、プライマリコードレスセルラー基地局の行８０のすぐ下の一番最近の非プライマリコードレスセルラー基地局の行８２に置く。以前の一番最近の非プライマリコードレスセルラー基地局のデータは、その前の非プライマリコードレスセルラー基地局の行８４に移される。最も古くに使用された非プライマリコードレスセルラー基地局の行、つまり以前には二番目に最近のコードレスセルラー基地局であった行は失われる場合がある。一番最近の非プライマリコードレスセルラー基地局の行８２について、移動局１２は移動局が登録を外れたばかりのセルラーネットワークに関するデータをテーブル７８に置く。そのコードレスセルラー基地局が既にリストに含まれている場合は、新しい情報が古い行の情報と交換されるだけである。移動局１２は、コードレスセルラー基地局から集めた情報を、一番最近の行のＣＣセルに現在の国コードを、ＳＯＣセルに現在のシステムオペレータコードを、およびＳＩＤセルに現在のシステム識別子を入れる。さらに、上述したように、コードレスセルラー基地局１０から受信した放送された近隣リストから移動局の公衆サービスプロファイルが推測される。
【００９７】
移動局１２がコードレスセルラー基地局１０に登録されると、移動局１２はコードレス電話の移動局として機能し、これをコードレス電話の陸上線サービスモードで動作している、と呼ぶ。コードレスモードでは、移動局は、コードレスセルラー基地局１０に接続された陸上線を介して基本および上級電話サービスを提供する。移動局は、通話待機、三者間通話、パーティーラインサービス（複数の陸上線番号が１つの陸上線にアクセスできるようにすること）、および個別呼出しサービス（着信番号に応じて呼出しパターンを変えること）等の、移動局がコードレスモードで動作する場合に地上ネットワークサービスによって提供される上級電話サービスをサポートする。
【００９８】
ネットワーク通話転送
移動局１２がコードレスセルラー基地局１０にうまく登録された後、好適な実施形態では、コードレスセルラー基地局１０はセルラーネットワーク１６に通話転送更新メッセージを送り、登録された移動局１２の移動局識別番号への全ての着信をコードレスセルラー基地局１０に関連した陸上線番号にルーティングするよう要求する。上記のように、ＣＣＢＳ ＶＬＲは、初期許可メッセージ中で、ＣＣＢＳ ＶＬＲが通知を望む登録／登録抹消活動のタイプをコードレスセルラー基地局に報せる。例えば、ＣＣＢＳ ＶＬＲが通知を希望する登録／登録抹消の種類には、パワーダウン登録、パワーアップ登録、位置エリア、強制登録、定期的登録、登録抹消、新規システムの登録、ＡＣＣからＤＣＣＨ、またはＴＭＳＩタイムアウト、等がある。ＣＣＢＳ ＶＬＲが位置エリアの登録を通知して欲しい場合は、図１４ａに示す位置更新または通話転送処理が実行される。コードレスセルラー基地局（ＣＣＢＳ）１０は、ネットワークコンタクトコールステップ２０２（ネットワークコンタクト更新コール）で、記憶したリモートネットワーク更新番号をＰＳＴＮ１５を介してダイヤルして（コードレスセルラー基地局（ＣＣＢＳ）１０はまずリモータネットワーク更新番号１を試し、もしこの番号がビジーの場合は、リモートネットワーク更新番号２を試す）、セルラーネットワーク（ＣＮ）１６にコンタクトする。このコールに応答すると、セルラーネットワーク１６はステップ２０６でモデムリンクをセットアップする。認証ステップ（ＡＵＴＨ）２０８では、コードレスセルラー基地局１０は許可タイマーをスタートさせ、更新すべき移動システム識別番号、コードレスセルラー基地局識別番号、およびコードレスセルラー基地局認証カウントを含む認証メッセージをセルラーネットワーク１６に送る。コードレスセルラー基地局認証カウントは、不正使用防止メカニズムとしてコードレスセルラー基地局１０がこの陸上線番号に対して行った更新回数の実行カウントを維持する。セルラーネットワーク１６は、発呼したコードレスセルラー基地局１０の陸上線番号についてのＰＳＴＮ１５からの通話番号ＩＤ（ＣＮＩ）を、セルラーネットワーク１６のデータベースに記憶されたコードレスセルラー基地局１０の陸上線番号と比較し、コードレスセルラー基地局１０から与えられた更新すべき移動システム識別番号と、コードレスセルラー基地局識別番号と、コードレスセルラー基地局認証カウントとがセルラーネットワーク１６に記憶した値と一致することを確認する。認証メッセージが処理され確認されると、ステップ２１０でコードレスセルラー基地局１０に結果返送メッセージが送られ、コードレスセルラー基地局の認証カウントが更新される。またセルラーネットワークは、コードレスセルラー基地局１０が特定の時間期間内にセルラーネットワークにメッセージを送信するかどうかを判断するために、メッセージ受信タイマーをセットする。認証メッセージが確認できない場合、つまり上記の値のいずれかが一致しない場合は、セルラーネットワーク１６はモデム接続を切断し、コールを解放し、処理から離れる。
【００９９】
一方、コードレスセルラー基地局１０はセルラーネットワーク１６からの結果返送メッセーの受信を待機している。認証タイマー期間内に結果返送メッセージが受信されない、またはエラー結果が受信される場合は、コードレスセルラー基地局１０はエラーを処理し、特定の時間期間経過後にセルラーネットワーク１６と新たな接続を試みることができる。
【０１００】
結果返送メッセージを受け取ると、コードレスセルラー基地局１０は認証タイマーを止め、位置更新タイマーをスタートさせ、ステップ２１２でモデムリンクを介してセルラーネットワーク１６に位置更新メッセージを送る。好適な実施形態では、位置更新メッセージは、通話を転送する登録済みの移動局１２の移動局識別番号（ＭＩＮ）と、コードレスセルラー基地局１０が接続されている陸上線番号とを含む。セルラーネットワーク１６はコードレスセルラー基地局１０から位置更新情報を受信し、その情報がセルラーネットワーク１６に記憶しているパラメータと一致することを確認し、メッセージ受信タイマーを止める。コードレスセルラー基地局１０から受信したパラメータがセルラーネットワーク１６に記憶しているパラメータと一致しない場合は、セルラーネットワーク１６はコードレスセルラー基地局１０にエラーメッセージを送り、メッセージ受信タイマーをリセットする。メッセージ受信タイマーが切れてもコードレスセルラー基地局１０からメッセージが受信されない場合は、セルラーネットワーク１６は結果返送メッセージを再送し、メッセージ受信タイマーを再度リセットし、応答を待つ。
【０１０１】
二度のタイムアウト後にコードレスセルラー基地局１０からメッセージが受信されなければ、ネットワーク１６はモデム接続を切断し、コールを解放し、処理を離れる。コードレスセルラー基地局１０から受信したパラメータがセルラーネットワーク１６に記憶したパラメータと一致する場合は、セルラーネットワーク１６は移動局に関してコードレスセルラー基地局ビジターロケーションレジスタ（ＣＣＢＳ ＶＬＲ）に記憶した情報を更新し、ステップ２１４でモデムリンクを介してコードレスセルラー基地局１０に結果返送メッセージを送り、情報の受理を確認する。
【０１０２】
この間、コードレスセルラー基地局１０はセルラーネットワーク１６からの結果返送メッセージの受信を待機している。位置更新タイマー期間内に結果返送メッセージが受信されない場合、またはエラー結果が受信された場合は、コードレスセルラー基地局１０はエラーを処理し、特定の時間期間の経過後に位置更新メッセージの再送を試みることができる。コードレスセルラー基地局１０が結果返送メッセージを受信すると、位置更新タイマーは止められる。セルラーネットワーク１６は通話転送更新処理を終え、セルラーネットワーク１６またはコードレスセルラー基地局１０のどちらかがステップ２２０でコールを解放する（コール解放）。
【０１０３】
図１４ｂは、通話転送処理の他の実施形態を示し、このうちステップ２０２−２１２は図１４ａの処理と同じである。位置更新メッセージを受信し、メッセージ中の情報を記憶したパラメータと比較して一致が検出され、ネットワークが移動局の位置に関する情報を更新すると、セルラーネットワークはコードレスセルラー基地局１０に更新された許可メッセージを送る必要があるかどうかをチェックする。図１４ａのように結果返送メッセージ２１４を送る代りに、セルラーネットワークが許可メッセージを送る必要がある場合は、セルラーネットワーク１６は、上述した初期確認メッセージと同じく、コードレスセルラー基地局識別番号と、動作周波数を含む許可されたパラメータすなわち動作パラメータのリストとを含むコードレスセルラー基地局許可メッセージを送り、結果返送タイマーをセットする。
【０１０４】
位置更新タイマーが切れてもセルラーネットワーク１６からメッセージが受信されない場合は、コードレスセルラー基地局１０は位置更新メッセージを再送し、タイマーをリセットし、応答を待つ。二度のタイムアウト後もセルラーネットワーク１６からメッセージが受信されない場合は、コードレスセルラー基地局１０はモデム接続を切断し、コールを解放し、処理を離れる。無効の許可メッセージを受信した場合は、コードレスセルラー基地局１０はセルラーネットワークに許可エラーメッセージを送り、タイマーをリセットし、新たな許可メッセージの受信を待つことができる。
【０１０５】
ステップ２１６でコードレスセルラー基地局１０がモデムリンクを介して有効な許可メッセージを受信すると、コードレスセルラー基地局１０はメッセージ中で受信したように動作パラメータを更新し、許可タイマーを止める。セルラーネットワーク１６は、コードレスセルラー基地局許可メッセージ中でコードレスセルラー基地局の全ての動作周波数を取り除くことによって、コードレスセルラー基地局１０を動作不能にできる。これは未許可のユーザのサービスを取り消す簡単な方法である。また、ネットワーク１６は、コードレスセルラー基地局１０の動作パラメータをコードレスセルラー基地局許可メッセージで更新することができる。例えば、セルラーネットワーク１６は、コードレスセルラー基地局１０に与えられているクリアーな周波数の数が不十分であると判断すると、コードレスセルラー基地局１０の動作周波数のリストを更新できる。コードレスセルラー基地局１０は、ステップ２１８でセルラーネットワーク１６に結果返送メッセージを送って、許可メッセージの受理を確認する。結果返送タイマーが切れる前に結果返送メッセージを受信できなければ、セルラーネットワーク１６はＣＣＢＳ許可メッセージを再送し、結果返送タイマーをリセットし、応答を待つ。二度のタイムアウト後もコードレスセルラー基地局１０から結果返送が受信されなければ、セルラーネットワーク１６は通話転送更新を取り消し、モデム接続を切断し、コールを解放し、処理を離れる。結果返送メッセージが受信されれば、セルラーネットワーク１６は通話転送更新処理を終了し、セルラーネットワーク１６またはコードレスセルラー基地局１０のどちらかがステップ２２０でコールを解放する（コール解放）。
【０１０６】
通話転送更新過程の完了後は、セルラーネットワーク１６は登録された移動局１２の移動局識別番号への全ての着信を、コードレスセルラー基地局１０に関連した陸上線番号にルーティングする。図１５に示すように、セルラーネットワーク１６は次の各コンポーネント、すなわち移動交換コンプレックス（ＭＳＣ）２２２、ホーム位置レジスタ（ＨＬＲ）２２４、従来のビジター位置レジスタ（ＶＬＲ）２２６、およびコードレスセルラー基地局ビジター位置レジスタ（ＣＣＢＳ ＶＬＲ）２２８に分割できる。移動交換コンプレックス２２２、ホーム位置レジス２２４、およびビジター位置レジスタ２２６は、当業者に公知のように標準セルラーネットワーク中に通常現存するものとほぼ同じである。本発明は、コードレスセルラー基地局（ＣＣＢＳ）１０の制御下にある移動局の位置すなわち陸上線番号を記憶するデータベースである、ＣＣＢＳ ＶＬＲ２２８を加える。
【０１０７】
ステップ２３０でコードレスセルラー基地局１０がセルラーネットワーク１６に発呼する場合、コードレスセルラー基地局はＣＣＢＳ ＶＬＲ２２８と通信して、位置更新要求および位置更新取消し要求に関する情報を与える。位置更新要求を受信すると、ＣＣＢＳ ＶＬＲ２２８は、ステップ２３２で移動局に関連したＨＬＲ２２４に未登録メッセージを送り、その特定の移動局識別番号へ通話をルーティングするための情報がこのＣＣＢＳ ＶＬＲ２２８から入手可能であることをＨＬＲ２２４に通知する。これに対してステップ２３４で、ＨＬＲ２２４は未登録リザルト返答メッセージで応答し、位置更新メッセージを受信したことを報せる。
【０１０８】
ＰＳＴＮ１５上で移動局識別番号をダイヤルして発呼が行われると、ステップ２３６でこの発呼はＭＳＣ２２２へ送られる。発呼元のＭＳＣ２２２はステップ２３８で位置要求メッセージを移動局のＨＬＲ２２４に送る。ＨＬＲ２２４は、移動局の位置が、以前に移動局にコンタクトしたＣＣＢＳ ＶＬＲ２２８によって制御されていることを認識する。ステップ２４０で、ＨＬＲ２２４はルーティング要求メッセージを構成して、このメッセージを移動局の位置更新を伝えた未登録メッセージを以前に送ったＣＣＢＳ ＶＬＲ２２８に送る。ＣＣＢＳ ＶＬＲ２２８は、コードレスセルラー基地局が接続されている陸上線のＴＬＤＮの位置を突き止め、ステップ２４２でこの情報をルーティング要求応答メッセージでＨＬＲ２２４に返送する。ＨＬＲ２２４はルーティング情報に移動局のＭＩＮおよびＥＳＮを追加し、ステップ２４４で発呼元のＭＳＣ２２２へ位置応答メッセージを返送する。ＭＳＣ２２２はＰＳＴＮ１５を介して発呼を行い、この発呼は、移動局へ通話をルーティングするコードレスセルラー基地局１０の陸上線番号に配信される。ステップ２４６で、コードレスセルラー基地局１０は以下に示すように待機モードとして記載されている移動局１２を呼び出し、ＰＳＴＮ１５は陸上線番号に取り付けられている内線電話を鳴らして、通話転送過程が完了する。２台以下の移動局が待機モードとして記載されている場合は、送信ボタンが押下されるとコードレスセルラー基地局は地域セルが移動局を呼び出すのと同じ従来の方法で、つまりデジタル制御チャンネル情報と発呼先番号情報とを与えて移動局がその着信に応答できるようにして、移動局を呼び出す。３台以上の移動局が待機モードとして記載されている場合は、どの移動局も電話機を鳴らす警報メッセージは受け取るが、これは着信に答えるためのデジタルトラフィックチャンネルは含んでいない。この場合、コードレスセルラー基地局は、送信ボタンを押す最初の移動局を聴き分ける。コードレスセルラー基地局はこの移動局に、着信に対する応答を可能にするデジタルトラフィックチャンネル情報を送る。他の実施形態では、プライマリユーザが待機モードとして記載されている場合は、着信に応答するためにプライマリユーザが常にデジタル制御チャンネル情報で呼び出され、それ以外の待機状態と記載されている移動局には警報メッセージが送られて電話機が鳴る。プライマリユーザが送信ボタンを最初に押せば、すぐに着信に応答できる。他の移動局の１つが最初に送信ボタンを押下すると、プライマリユーザは直ぐには着信に応答できない。コードレスセルラー基地局は、最初に応答した移動局にデジタルトラフィックチャンネル情報を送る。デジタルトラフィックチャンネル情報を受け取ると、その移動局が着信に応答できる。
【０１０９】
セルラーネットワークからコードレスセルラー基地局への自動コンタクト
セルラーネットワーク１６がコードレスセルラー基地局１０の動作パラメータを定期的に変更できるようにするために、コードレスセルラー基地局１０は、好適には、コードレスセルラー基地局１０がセルラーネットワーク１６に最後にコンタクトしてからの時間量をカウントダウンするプリセットタイマーを含む。タイマーが切れると、コードレスセルラー基地局１０は自動的にセルラーネットワーク１６にコンタクトする。好適な実施形態では、タイマーは３０日間にセットされており、このため例えばコードレスセルラー基地局１０が３０日以内にセルラーネットワーク１６にコンタクトしていなければ、登録されている移動局の位置の更新を要求するためにコードレスセルラー基地局１０は自動的にセルラーネットワーク１６にコンタクトする。これに応答して、セルラーネットワークはコードレスセルラー基地局に新しい許可メッセージを送る必要があるかどうかを判断する。新しい許可メッセージが必要な場合は、セルラーネットワークはそのメッセージをコードレスセルラー基地局に送る。新しい確認メッセージが不要な場合は、セルラーネットワークはコードレスセルラー基地局に結果返送メッセージを送る。セルラーネットワークからどちらかのメッセージを受信すると、コードレスセルラー基地局中のタイマーが３０日間にリセットされる。この機能は以下の幾つかの理由で有利である。
【０１１０】
第１に、セルラーネットワーク１６はコードレスセルラー基地局１０の動作パラメータを定期的に更新して、コードレスセルラー基地局１０が含まれるエリアのサービスの変更に対処できるようにし、かつセルラーネットワーク１６の機能に何らかの変更が生じた場合にコードレスセルラー基地局を更新できる。例えば、セルラーネットワーク１６は、コードレスセルラー基地局１０が位置更新／通話転送機能にアクセスするために掛ける電話番号を一時的に変更する場合がある。
【０１１１】
また、この機能はコードレスセルラー基地局１０の不正使用防止にも役立つ。例えば、所有者がサービスに対する料金を支払っておらず、かつコードレスセルラー基地局１０の使用を停止しているか、または移動局を家庭専用にしているがＣＣＢＳの使用は続行している場合、コードレスセルラー基地局１０はセルラーネットワーク１６と一度もコンタクトしたことがない可能性があるため、セルラーネットワーク１６がコードレスセルラー基地局１０の動作を遠隔操作で取り消すことは困難と考えられる。自動コンタクト機能があれば、セルラーネットワーク１６は３０日毎に自動的にコードレスセルラー基地局１０にコンタクトできる。そしてネットワーク１６は、料金未払いの顧客が所有するコードレスセルラー基地局から全ての動作周波数を除去する新しい許可メッセージを送って、コードレスセルラー基地局１０を動作不能にできる。
【０１１２】
発呼および受呼
図１および図２を再び参照する。登録済みの待機モードの移動局１２から発呼が行われると、コードレスセルラー基地局１０はセルラーからの発呼を確立するのに必要なエアーインターフェーストランザクションを処理して、この発呼を陸上線サービスに接続する。しかし発呼を陸上線１４に接続する前に、コードレスセルラー基地局１０は、好適には、まずその電話番号がコードレスセルラー基地局１０の登録テーブル１１３（図８）に待機モードとして記載されている他の移動局１２の１つのＭＩＮと一致するかどうかをチェックする。電話番号が待機モードの移動局１２の１つのＭＩＮと一致する場合は、コードレスセルラー基地局１０はその移動局１２を呼び出し、２つの移動局間でインターコム会話を開始する。インターコム機能については以下に詳述する。インターコム会話は陸上線１４をビジー状態にしないため、陸上線１４に有線接続された内線がコードレスセルラー基地局１０に関連した陸上線１４を介して受呼を開始できる。
【０１１３】
移動局の１つがコードレスセルラー基地局１０に関連した陸上線番号に発呼すると、待機モードとして記載されている移動局１２のみが鳴る。これには２つの理由がある。第１に、陸上線１４に関連した電話機用のリング信号はＰＳＴＮ１５によってのみ与えられるため、コードレスセルラー基地局１０はこれらの電話機を鳴らす機能を持たない。さらに、コードレスセルラー基地局１０が他の陸上線の内線に発呼できるようにコードレスセルラー基地局１０を設定できる（ＣＣＢＳを２つの別個のＰＳＴＮラインに接続する等によって）が、これは付加価値がほとんどない割には費用が非常に高い。従ってこれは好適な実施形態とは言えない。
【０１１４】
コードレスセルラー基地局１０に関連した陸上線１４上に着信があると、陸上線１４に接続された全ての内線が鳴り、コードレスセルラー基地局１０は待機状態である登録済みの移動局１２を全て呼び出す。移動局１２が移動局１２上の送信ボタンを押して着信に応答すると、コードレスセルラー基地局１０は陸上線１４と移動局１２との間に音声信号を送信する。この呼び出しには、陸上線１４に関連したどの内線でも、またはどの移動局１２でも応答できる。
【０１１５】
１台以上の移動局１２が送信ボタンを押して着信に応答する場合、コードレスセルラー基地局１０は、各移動局１２が１つの「内線」として機能するように着信を橋渡しする。好適な実施形態では、コードレスセルラー基地局１０は１つの着信に対して最大２台までの移動局１２の橋渡しが可能である。３台目またはそれ以上の移動局が着信に加入しようとすると、追加移動局１２のコードレスセルラー基地局１０へのアクセスは拒否され、着信には加えられず、待機モードのまま留まる。コードレスセルラー基地局１０による着信の処理が進行中で、かつ活動状態として記載されている移動局が１台しかない場合は、待機モードの第２の移動局１２がその上の送信ボタンを押して通話に加えられる。２つの通話間を橋渡しするには、図１６から図１８を参照して以下に詳述するように、コードレスセルラー基地局１０から聞き手である移動局群１２へ２つの音声信号を送信しなければならない。同じ通話に２台以上の移動局１２を加入させたい場合は、当業者に公知のように、コードレスセルラー基地局１０に送受信機を追加できる。
【０１１６】
コードレスセルラー基地局上での２通話間の橋渡し
コードレスセルラー基地局ＣＣＢＳ１０によってＰＳＴＮ１５上の着信に２台の移動局１２が橋渡しされている場合、コードレスセルラー基地局１０は通常の内線電話動作の機能性および性能に一致できる。各移動局１２は、他方の移動局とＰＳＴＮ１５との両方から音声データ信号を受信できる。
【０１１７】
好適な実施形態では、移動局１２とＰＳＴＮ１５との音声信号の和が符号化されるシステムを用いる。図１６に示すように、コードレスセルラー基地局（ＣＣＢＳ）１０は、当業者に公知のように、ＶＳＥＬＰ音声符号化器（ＶＳＥ）２５２とＶＳＥＬＰ音声復号器（ＶＳＤ）２５４とを含むＣＯＤＥＣ（符復号器）２５０を利用する。図１６では単純化して、コードレスセルラー基地局１０用に２つのＣＯＤＥＣを使用する。好適な実施形態では、ＣＯＤＥＣ２５０は１つだけ使用され、各移動局１２との送信は時間毎にずらされるため、コードレスセルラー基地局１０中の１つのＣＯＤＥＣが両方の移動局１２用に音声信号の符号化および復号ができる。好適な実施形態では、第１の移動局（ＭＳ１）からの通信すなわち音声信号は、ＶＳＥＬＰ音声符号化器（ＶＳＥ）２５２によってデジタル的に符号化され、好適にはＩＳ−１３６セルラー通信プロトコルを用いてコードレスセルラー基地局１０へ送信される。コードレスセルラー基地局１０はこの信号を受信し、ＶＳＥＬＰ音声復号器（ＶＳＤ）２５４によって音声信号に復号する。第１の移動局からの音声信号は、ＰＳＴＮ１５から受信した音声信号と合計器２５６で合計され、２線／４線ハイブリッド装置（Ｈ）によって符号化される。合計した信号はその後、ＶＳＥＬＰ音声符号化器（ＶＳＥ）２５２によってデジタル的に圧縮した信号に符号化され、この信号はＩＳ−１３６セルラー通信プロトコルを用いて第２の移動局（ＭＳ２）へ送られる。第２の移動局はＶＳＥＬＰ音声復号器（ＶＳＤ）２５４を用いて、デジタル的に圧縮した信号をユーザが聴けるように可聴音声信号に復号する。こうして、第２の移動局のユーザはＰＳＴＮ１５および第１の移動局の両方の相手の音声を聴くことができる。
【０１１８】
同様に、第２の移動局（ＭＳ２）からの音声通信は、ＶＳＥＬＰ音声符号化器（ＶＳＥ）２５２によってデジタル的に符号化され、ＩＳ−１３６セルラー通信プロトコルを用いてコードレスセルラー基地局１０に送信される。コードレスセルラー基地局１０はこの信号を受信し、ＶＳＥＬＰ音声復号器（ＶＳＤ）２５４によって音声信号に復号する。第２の移動局からの音声信号は合計器２５８でＰＳＴＮ１５から受信した音声信号と合計され、ハイブリッド装置（Ｈ）によって符号化される。合計された信号はＶＳＥＬＰ音声符号化器（ＶＳＥ）２５２によってデジタル的に圧縮された信号に符号化され、ＩＳ−１３６セルラー通信プロトコルを用いて第１の移動局（ＭＳ１）へ送信される。第１の移動局は、ＶＳＥＬＰ音声復号器（ＶＳＤ）２５４を用いて、このデジタル的に圧縮された信号をユーザが聴けるように可聴音声信号に復号する。こうして、第１の移動局のユーザは、ＰＳＴＮ１５と第２の移動局との両方の相手の音声を聴くことができる。
【０１１９】
第２の移動局からの音声信号は第１の移動局からの音声信号と合計され、ハイブリッド装置（Ｈ）によって符号化されてＰＳＴＮ１５上のユーザに配信される。
【０１２０】
第２の実施形態では、図１７に示すように、コードレスセルラー基地局１０は一方の移動局からの音声信号をＰＳＴＮからの音声信号と比較し、そのうち大きい方の信号を他方の移動局に送信する。図１６の実施形態と同様に、コードレスセルラー基地局は、当業者に公知のように、ＶＳＥＬＰ音声符号化器（ＶＳＥ）２５２とＶＳＥＬＰ音声復号器（ＶＳＤ）２５４とを含むＣＯＤＥＣ２５０を使用する。図１７では単純化して、コードレスセルラー基地局１０は２つのＣＯＤＥＣを使用する。好適な実施形態では、１つのＣＯＤＥＣ２５０だけが使用され、各移動局との送信は時間がずらされるため、コードレスセルラー基地局中の１つのＣＯＤＥＣが両方の移動局用に音声信号の符号化および復号が可能である。好適な実施形態では、第１の移動局（ＭＳ１）からの通信すなわち音声信号は、ＶＳＥＬＰ音声符号化器（ＶＳＥ）２５２によってデジタル的に符号化され、ＩＳ−１３６セルラー通信プロトコルを用いてコードレスセルラー基地局１０に送信される。コードレスセルラー基地局１０はこの信号を受信し、ＶＳＥＬＰ音声復号器（ＶＳＤ）２５４によって音声信号に復号する。第１の移動局からの音声信号は、音声レベル比較器（ＶＬＣ）２６０によって、ＰＳＴＮ１５から受信した音声信号と比較され、ハイブリッド装置（Ｈ）で符号化される。音声レベル比較器２６０は、２つの信号のうち大きい方の信号を選択し、スイッチ２６２の動作を制御して、２つの信号のうち大きい方の信号が第２の移動局（ＭＳ２）用のＶＳＥＬＰ符号化器（ＶＳＥ）２５０に進むことができるようにし、この信号はデジタル的に圧縮された信号に符号化され、ＩＳ−１３６セルラー通信プロトコルを用いて第２の移動局（ＭＳ２）に送られる。第２の移動局は、デジタル的に圧縮された信号をＶＳＥＬＰ音声復号器（ＶＳＤ）２５４を用いてユーザが聴けるように可聴音声信号に復号する。こうして、第２の移動局のユーザは、ＰＳＴＮ１５または第１の移動局上の相手のうち、どちらか大きい方の音声を聴くことができる。
【０１２１】
同様に、第２の移動局（ＭＳ２）からの通信すなわち音声信号は、ＶＳＥＬＰ音声符号化器（ＶＳＥ）２５２によってデジタル的に符号化され、ＩＳ−１３６セルラー通信プロトコルを用いてコードレスセルラー基地局１０へ送信される。
【０１２２】
コードレスセルラー基地局はこの信号を受信し、ＶＳＥＬＰ音声復号器（ＶＳＤ）２５４によって音声信号に復号する。第２の移動局からの音声信号は、音声レベル比較器（ＶＬＣ）２６０によって、ＰＳＴＮ１５から受信した音声信号と比較され、ハイブリッド装置（Ｈ）で符号化される。音声信号比較器２６０は、２つの信号のうち大きい方の信号を選択し、スイッチ２６２の動作を制御して、２つの信号のうちの大きい方の信号が第１の移動局（ＭＳ１）用のＶＳＥＬＰ符号化器（ＶＳＥ）２５２へ進むことができるようにし、この信号はデジタル的に圧縮された信号に符号化され、ＩＳ−１３６セルラー通信プロトコルを用いて第１の移動局（ＭＳ１）へ送信される。第１の移動局は、デジタル的に圧縮された信号をＶＳＥＬＰ音声復号器（ＶＳＤ）２５４を用いてユーザが聴けるように可聴音声信号に復号する。こうして、第１の移動局のユーザは、ＰＳＴＮ１５または第２の移動局上の相手の音声信号のうち、どちらか大きい方の音声を聴くことができる。さらに、第２の移動局からの音声信号は、合計器２６４で第１の移動局から受信した音声信号と合計され、ハイブリッド装置（Ｈ）によって符号化されてＰＳＴＮ１５上のユーザへ配信される。こうして、ＰＳＴＮ１５上のユーザは、どちらが大きいかに関係なく両方の移動局の音声を聴くことができる。
【０１２３】
第３の実施形態では、図１８に示すように、コードレスセルラー基地局１０は、２つの移動局のうちどちらか大きい方の信号を送信している局の音声を聴き、その移動局からの音声通信を受信する。コードレスセルラー基地局１０は、当業者に公知のようにＶＳＥＬＰ音声符号化器（ＶＳＥ）２５２とＶＳＥＬＰ音声復号器（ＶＳＤ）２５４とから構成されるＣＯＤＥＣ２５０を使用する。好適な実施形態では、１つのＣＯＤＥＣ２５０を用いて両方の移動局の音声信号の符号化および復号を行う。好適な実施形態では、第１の移動局（ＭＳ１）からの通信すなわち音声信号は、ＶＳＥＬＰ音声符号化器（ＶＳＥ）２５２によってデジタル的に符号化され、ＩＳ−１３６セルラー通信プロトコルを用いてコードレスセルラー基地局１０に送信される。同様に、第２の符号化器（ＭＳ２）からの通信すなわちアナログ音声信号は、ＶＳＥＬＰ音声符号化器（ＶＳＥ）２５２によってデジタル的に符号化され、ＩＳ−１３６セルラー通信プロトコルを用いてコードレスセルラー基地局１０に送信される。検出器２６６は、２つの信号のどちらが大きいかを判断し、その信号をＶＳＥＬＰ音声復号器（ＶＳＤ）２５４へ送って音声信号に復号し、ハイブリッドに送ってＰＳＴＮ１５上のリスナーが聴けるようにする。ＰＳＴＮ１５からの信号はハイブリッドを通ってＶＳＥＬＰ符号化器（ＶＳＥ）２５２に送られ、ここで信号はデジタル的に圧縮される。ＶＳＥＬＰ符号化器（ＶＳＥ）２５２からの信号は、ＩＳ−１３６セルラー通信プロトコルを用いて、第１および第２の移動局（ＭＳ１／ＭＳ２）の両方に送られる。各移動局（ＭＳ１／ＭＳ２）が信号を受信すると、移動局はデジタル的に圧縮された信号をＶＳＥＬＰ音声復号器（ＶＳＤ）２５４を用いて、リスナーが聴けるように可聴音声信号に復号する。こうして、第１および第２の移動局のユーザはＰＳＴＮ１５上の相手の音声を聴くことができるが、各移動局のユーザはもう一方の移動局のユーザの音声は聴くことができない。
【０１２４】
インターコム機能
進行中の通話がない場合は、コードレスセルラー基地局１０は、コードレスセルラー基地局１０を介して登録済みの待機状態の移動局１２を互いに接続できるインターコム機能を有する。コードレスセルラー基地局１０の回路の一例として図１６に示す構成を用いる場合、インターコム機能では、２台の移動局１２がコードレスセルラー基地局１０に接続され、ＰＳＴＮ１５への音声接続はない。コードレスセルラー基地局１０は、符号化された音声データストリームを、コードレスセルラー基地局１０で復号せずに各移動局１２から他方の移動局へと中継する。各移動局１２は、他方の移動局１２から受信した符号化された音声データをユーザが聞けるように復号する。このように、インターコム機能を使用する場合は、図１６から図１８に関して説明したコードレスセルラー基地局１０のＶＳＥＬＰ処理はバイパスされる。
【０１２５】
移動局の登録抹消
移動局１２は、移動局１２の電源が切られると、コードレスセルラー基地局１０にパワーダウン登録抹消（ＩＳ−１３６メッセージ）を送信する。又、移動局１２は、コードレスセルラー基地局の信号が非常に弱くなった場合、つまり移動局１２がコードレスセルラー基地局１０範囲外に出たときや、ユーザが移動局１２のキーパッドソフトキー配列を押して登録抹消を強制する場合は、コードレスセルラー基地局１０から登録を外れる。上記の登録抹消要求のいずれかを受信すると、コードレスセルラー基地局１０は、登録リスト（図８）中の移動局１２の状態を「活動」または「待機」状態から休止状態へと更新する。さらに、コードレスセルラー基地局１０は好適には、移動局識別番号（ＭＩＮ）への着信を陸上線番号へルーティングすることを不能化するようにセルラーネットワーク１６に通知する。移動局１２はその後、当業者に公知のように、近隣セルについての受信信号強度の測定値を用いて地域セルラーネットワーク１６に登録してもよい。
【０１２６】
他の実施形態では、コードレスセルラー基地局１０は、移動局１２が定期的に登録するよう要求してもよい。好適な実施形態では、移動局１２の登録期間はほぼ５分おきであり、つまりコードレスセルラー基地局１０との接続を維持するためには移動局１２は最低５分ごとにコードレスセルラー基地局１０に登録しなければならない。５分間の登録期間中に移動局１２の登録が検出されなければ、コードレスセルラー基地局１０は上記の登録抹消処理を用いて移動局１２を自動的に登録から外す。
【０１２７】
上記のように、一般には、移動局１２がコードレスセルラー基地局１０とのコンタクトを切断すると、コードレスセルラー基地局１０は移動局識別番号への着信をコードレスセルラー基地局１０に関連した陸上線へ転送するのを取り消すようにＣＣＢＳ ＶＬＲにネットワーク転送取消メッセージを送る。コードレスセルラー基地局１０には、初期許可メッセージの間に、ＣＣＢＳ ＶＬＲがどのタイプの登録／登録抹消活動を通知してほしいかが知らされている。ネットワークが通知を望む可能性のある登録抹消イベントの種類には、移動局がオフにされる場合つまりパワーダウン登録抹消の場合や、コードレスサービスモードの手動取消つまり強制登録抹消が発生した場合等がある。このような特定の登録抹消イベントの一つが発生すると、コードレスセルラー基地局はネットワーク取消メッセージをＣＣＢＳ ＶＬＲに送信する。コードレスセルラー基地局１０が一度目の試みでは通話転送機能のネットワーク取消を完了できなければ、二度目が試行される。二度目の試みも不成功な場合は、コードレスセルラー基地局１０にはそれ以上の動作は求められない。ただしこの場合、移動局１２への着信は、移動局１２がセルラーネットワーク１６に登録して、ネットワーク１６が移動局１２の位置を自動的に更新し、旧通話転送メッセージを取り消すまで、コードレスセルラー基地局１０に関連した陸上線番号に転送され続ける。
【０１２８】
ネットワーク転送取消
一般には、移動局がコードレスセルラー基地局１０とのコンタクトを切断すると、コードレスセルラー基地局１０は、移動局識別番号への着信をコードレスセルラー基地局１０に関連した陸上線番号へ転送するのを取り消すネットワーク転送取消メッセージをセルラーネットワーク１６に送る。上述したように、ＣＣＢＳ ＶＬＲは、初期許可メッセージ中でコードレスセルラー基地局に、ＣＣＢＳ ＶＬＲがどのタイプの登録／登録抹消活動を通知してほしいのかを知らせている。
【０１２９】
ＣＣＢＳ ＶＬＲに移動局の登録抹消を通知するのが適切になると、図１９ａに示すネットワーク転送取消処理が開始される。コードレスセルラー基地局（ＣＣＢＳ）１０は、ネットワークコンタクトコールステップ（ネットワークコンタクトコール）２６８で、公衆交換電話網１５を介してリモートネットワーク更新番号に発呼し（ＣＣＢＳ１０はまずリモートネットワーク更新番号１を試し、これがビジーの場合はリモートネットワーク更新番号２を試す）、セルラーネットワーク（ＣＮ）１６にコンタクトする。セルラーネットワーク１６はこの発呼に応答して、ステップ２７２でモデムリンクをセットアップする。認証ステップ（ＡＵＴＨ）２７４では、コードレスセルラー基地局１０は許可タイマーをスタートさせ、コードレスセルラー基地局識別番号および陸上線番号のコードレスセルラー基地局許可カウントを含む認証メッセージをセルラーネットワーク１６に送る。認証メッセージはまた、通話転送メッセージの取消を行う移動局の識別番号を含んでもよい。移動局識別番号が含まれない場合は、セルラーネットワーク１６は、コードレスセルラー基地局１０に現在登録されているすべての移動局に対する通話転送を取り消す。コードレスセルラー基地局許可カウントは、不正使用防止メカニズムとして、コードレスセルラー基地局１０がこの陸上線番号に対して行った更新回数の実行スコアを維持する。セルラーネットワーク１６は、発呼したコードレスセルラー基地局１０の陸上線番号についてのＰＳＴＮからの通話番号ＩＤ（ＣＮＩ）を、セルラーネットワーク１６のデータベースに記憶したコードレスセルラー基地局１０の陸上線番号と比較する。セルラーネットワーク１６はまた、コードレスセルラー基地局１０から与えられる、もし含まれているのなら更新すべき移動システム識別番号と、コードレスセルラー基地局識別番号と、コードレスセルラー基地局許可カウントとが、セルラーネットワーク１６に記憶した値に一致するかどうか確認する。認証メッセージが処理され確認されると、ステップ２７６でコードレスセルラー基地局１０に結果返送メッセージが送られ、コードレスセルラー基地局１０の許可カウントが更新される。また、セルラーネットワーク１６は、コードレスセルラー基地局１０がセルラーネットワーク１６にメッセージを送ろうとしているかどうかを判断するためにメッセージ受信タイマーをセットする。認証メッセージが確認できない場合、つまり上記の値のいずれかが一致しない場合は、セルラーネットワークはモデム接続を切断し、コールを解放し、処理を離れる。
【０１３０】
一方、コードレスセルラー基地局１０は、セルラーネットワーク１６からの結果返送メッセージの受信を待機している。認証タイマー期間内に結果返送メッセージが受信されない場合、またはエラー結果が受信された場合は、コードレスセルラー基地局はエラーを処理し、特定の時間期間の経過後にセルラーネットワーク１６と新たな接続を試行できる。
【０１３１】
結果返送メッセージを受信すると、コードレスセルラー基地局１０は認証タイマーを止め、メッセージ受信タイマーをスタートさせ、ステップ２７８でコードレスセルラー基地局への通話転送を取り消すネットワーク取消メーセージをモデムリンクを介してセルラーネットワーク１６に送る。好適な実施形態では、ネットワーク取消メッセージは、少なくとも、コードレスセルラー基地局１０が接続される陸上線番号を含む。また、ネットワーク取消メッセージは、通話転送取消を適用する移動局の移動システム識別番号を含んでもよい。移動局識別番号が与えられない場合は、セルラーネットワーク１６は指定された陸上線に接続されるコードレスセルラー基地局１０がサービスするすべての移動局について通話転送機能を取り消す。セルラーネットワーク１６は、コードレスセルラー基地局１０からネットワーク取消メッセージを受信し、これがセルラーネットワーク１６に記憶したパラメータと一致することを確認し、メッセージ受信タイマーを止める。コードレスセルラー基地局１０から受信したパラメータがセルラーネットワーク１６に記憶したパラメータと一致しなければ、セルラーネットワーク１６はコードレスセルラー基地局１０にエラーメッセージ送り、メッセージ受信タイマーをリセットする。メッセージ受信タイマーが切れてもコードレスセルラー基地局１０からメッセージが受信されなければ、ネットワーク１６は結果返送メッセージを再送し、メッセージ受信タイマーをリセットし、応答を待つ。二度のタイムアウト後もコードレスセルラー基地局１０からメッセージが受信されなければ、ネットワーク１６はモデム接続を切断し、コールを解放し、処理を離れる。コードレスセルラー基地局１０から受信したパラメータがセルラーネットワーク１６に記憶したパラメータと一致する場合は、セルラーネットワーク１６は、移動局の位置に関してコードレスセルラー基地局ビジター位置レジスタ（ＣＣＢＳ ＶＬＲ）に記憶した情報を更新し、ステップ２８０で結果返送メッセージをコードレスセルラー基地局１０にモデムリンクを介して送り、情報の受信を確認する。
【０１３２】
一方、コードレスセルラー基地局１０はセルラーネットワーク１６からの結果返送メッセージの受信を待機している。メッセージ受信タイマーの期間内に結果返送メッセージが受信されない、またはエラー結果が受信される場合は、コードレスセルラー基地局１０はエラーを処理し、特定の時間期間の経過後に位置更新メッセージの送信を再試行できる。コードレスセルラー基地局１０が結果返送メッセージを受信すると、メッセージ受信タイマーは止められる。セルラーネットワークは通話転送取消処理を終了し、セルラーネットワーク１６またはコードレスセルラー基地局１０のいずれかがステップ２８６でコールを解放する（コール解放）。
【０１３３】
図１９ｂは、ネットワーク転送取り消し処理の他の実施形態を示し、このうちステップ２６８−２７８は図１９ａの処理と同じである。ネットワーク取消メッセージを受信し、メッセージ中の情報を記憶したパラメータと比較して一致が検出され、ネットワークが移動局の位置に関する情報を更新すると、セルラーネットワークはコードレスセルラー基地局１０に更新した許可メッセージを送る必要があるかどうかをチェックする。セルラーネットワークが、図１９ａのように結果返送メッセージを送る代わりに許可メッセージを送る必要がある場合は、ステップ２８２でセルラーネットワークは、上述した初期許可メッセージと同じくコードレスセルラー基地局の識別番号と動作周波数のリストとを含む許可メッセージをコードレスセルラー基地局に送り、結果返送タイマーをセットする。メッセージ受信タイマーが切れてもセルラーネットワーク１６からメッセージが受信されない場合は、コードレスセルラー基地局１０はネットワーク取消メッセージを再送し、タイマーをリセットし、応答を待つ。二度のタイムアウト後もネットワーク１６からメッセージが返送されない場合は、コードレスセルラー基地局１０はモデム接続を切断し、コールを解放し、処理を離れる。有効でない許可メッセージが受信された場合は、コードレスセルラー基地局１０はセルラーネットワーク１６に許可エラーメッセージを送り、タイマーをリセットし、新たな許可メッセージの受信を待機できる。
【０１３４】
ステップ２８２で、モデムリンクを介してコードレスセルラー基地局１０が有効な許可メッセージを受け取ると、コードレスセルラー基地局１０はメッセージで受信したようにその動作周波数を更新し、許可タイマーを止める。セルラーネットワーク１６は、コードレスセルラー基地局の許可メッセージを用いて、コードレスセルラー基地局の動作許可の取り消し、またはコードレスセルラー基地局１０の動作パラメータの更新ができる。ステップ２８４で、コードレスセルラー基地局１０は結果返送メッセージをセルラーネットワーク１６に送ってメッセージの受信を確認する。セルラーネットワーク１６の結果返送タイマーが切れる前に結果返送メッセージが受信されない場合は、セルラーネットワーク１６はＣＣＢＳ許可メッセージを再送し、結果返送タイマーをリセットし、応答を待つ。二度のタイムアウト後もコードレスセルラー基地局１０からメッセージが受信されなければ、セルラーネットワーク１６は通話転送の更新を取り消し、モデム接続を切断し、コールを解放し、処理を離れる。結果返送メッセージを受信すると、セルラーネットワークは通話転送取消処理を終了し、セルラーネットワーク１６またはコードレスセルラー基地局１０のいずれかがステップ２８６でコールを解放する（コール解放）。
【０１３５】
通話転送取消過程が完了すると、セルラーネットワーク１６は、登録された移動局１２の移動局識別番号へのどの着信も、コードレスセルラー基地局１０に関連した陸上線番号へはルーティングしない。セルラーネットワーク内での取消更新処理は、通話転送の開始について図１４ａおよび図１４ｂに関連して説明した方法と同じであるが、ただしＣＣＢＳ ＶＬＲ２２８はＨＬＲ２２４からの位置変更要求を無効にし、ＨＬＲ２２４に移動局１２への要求をすべて処理させる。
【０１３６】
妨害の測定および回避
処理の概要
図１および図２を再び参照する。コードレスセルラー基地局１０は、住宅または職場環境で動作するように設計されている。この環境は非常に騒音が大きい可能性がある。この理由は、コードレスセルラー基地局の動作に割り当てられる専用周波数スペクトルがなく、かつＣＣＢＳの周波数使用が地域セルラーネットワークの周波数使用と明確には整合していないためである。コードレスセルラー基地局１０は地域セルラーネットワーク１６が使用するのと同じセルラー帯域中に共存しなければならず、地域セルラーネットワーク１６を背景妨害源と見なす。
【０１３７】
コードレスセルラー基地局１０は、コードレスセルラー基地局１０が判断できる限りで近隣の地域セル１８または他の近隣コードレスセルラー基地局１０によって使用されていない周波数を選択して、セルラーネットワーク１６による電力妨害をなくそうとする。
地域セルラーネットワーク１６はコードレスセルラー基地局１０の動作周波数を通知されていないため、このシステムは音声または制御トラフィックをコードレスセルラー基地局が動作しているチャンネルに割り当てる場合がある。また、近くに位置する別のコードレスセルラー基地局１０が同じ周波数を使用する場合もある。コードレスセルラー基地局１０と地域セルラーネットワーク１６との間でこのような「衝突」が発生すると、地域セルラー基地局１８が優先される。
【０１３８】
好適には、コードレスセルラー基地局１０は、コードレスセルラー基地局１０のメモリに記憶されているソフトウェア命令を用いてチャンネル選択アルゴリズムを実行する。好適には、コードレスセルラー基地局のプロセッサがこの命令に従って動作して、チャンネル選択アルゴリズムを実行する。アップリンクチャンネルとダウンリンクチャンネルとは対になって割り当てられるため、ある対がクリアかどうかを判断するには、各対のアップリンク周波数およびダウンリンク周波数の両方をモニターし続ける必要はない。好適な実施形態のチャンネル選択アルゴリズムは、セルラー帯域中のダウンリンク周波数をスキャンして、以下に詳述するように、どの場合にもコードレス動作にベストの、および次にベストのダウンリンクセルラー周波数を求める。簡潔には、コードレスセルラー基地局１０は、コードレスセルラー基地局１０に許可された各ダウンリンク周波数の受信信号強度（ＲＳＳ）を定期的に測定する。また、コードレスセルラー基地局は現在のアップリンク動作周波数に対してもＲＳＳ測定を行う。最後に、通話が進行中の場合は、コードレスセルラー基地局はアップリンクワードエラーレート（ＷＥＲ）測定も行う。これらの測定はすべて当業者に公知である。一定の条件下では、上記の測定は、当業者に公知のＩＳ−１３６ＭＡＨＯ測定機能を用いて移動局によっても行われる。移動局１２はその測定値をコードレスセルラー基地局１０に中継する。コードレスセルラー基地局１０は、ＲＳＳおよびＷＥＲ測定値を、記憶されたスコア増分テーブルに基づいてスコア増分値または減分値に変換する。各測定ごとに、現在のスコア増分値／減分値が以前のスコア値に加えられる。
周波数のスコアはその周波数上で遭遇する妨害の量を表し、高いスコアは妨害が大きいことを、低いスコアは妨害が小さいことを表す。妨害がない場合は、より多くの測定を行うごとに、スコア値は徐々にゼロに減衰する。また、周波数に大きな妨害があると分かった場合は、その周波数は即座に考慮の対照から外され、本願に詳細に説明するスコアリングメカニズムおよびしきい値に従って、ある長い沈黙期間後にのみ再考慮される。
【０１３９】
コードレスセルラー基地局１０は、動作周波数を選択する際に妨害スコア測定値を用いる。妨害スコアが一番低い周波数群の中から周波数を選択し、かつ以下に説明する適当なチャンネル放棄しきい値を使用することによって、コードレスセルラー基地局１０は、同一エリア内で公衆セルラーネットワーク１６または他のコードレスセルラー基地局１０によってすでに使用されている周波数上で送信を行わないようにする。好適には、コードレスセルラー基地局は、初期動作周波数として妨害スコアの最も低い周波数を選択する。コードレスセルラー基地局１０は、バックアップ周波数としては、スコアが高しきい値（Ｈｔ）より下の特定数のダウンリンク周波数を選択する。好適には、通話が進行中であるかどうか、またはプライマリ移動局が登録されているかどうかによって、もし現在の動作周波数の妨害スコアが第１の低しきい値（Ｌｔ）または高しきい値（Ｈｔ）を上回る場合は、コードレスセルラー基地局１０は、以下に詳述するようにその動作周波数を自動的に第１のバックアップ周波数に切り替える。コードレスセルラー基地局１０はまた、妨害スコアが高しきい値（Ｈｔ）を上回る場合は、その周波数をバックアップ周波数リストから外す。コードレスセルラー基地局は、高しきい値（Ｈｔ）より下のスコア値を持つ特定数（Ｍとする）のダウンリンク周波数の位置を知る必要がある。十分な数の周波数が入手できない場合、つまり利用可能な周波数がＭ個未満の場合は、コードレスセルラー基地局１０はセルラーネットワーク１６に問題を報告する。一実施形態では、セルラーネットワーク１６はコードレスセルラー基地局に別の動作用周波数のリストを与える。他の実施形態では、セルラーネットワーク１６はコードレスセルラー基地局１０をある時間期間の間、一時的に不能化し、その後妨害がなくなっていると思われる時点で同じ周波数で動作を可能化する。妨害測定処理の残りの部分について次に説明する。
【０１４０】
妨害の測定
コードレスセルラー基地局１０は、実行される妨害測定の回数および種類に影響するさまざまな動作モードを持つ。コードレスセルラー基地局１０の使用が許可され、かつその登録済みの移動局１２のどれもが通話を処理していない、つまり活動状態ではない基本動作モードでは、コードレスセルラー基地局１０は、コードレスセルラー基地局送信時間フレーム３６の時間スロット４（４０）の間に妨害測定を行う。図４を参照すると、コードレスセルラー基地局１０が処理中の通話がゼロまたは１つの場合、移動局は第２の移動局（ＤＴＣ２）のデジタルトラフィックチャンネルに音声情報を送信しないので、受信機の時間フレーム３５の時間スロット５（４１）では受信機はサイレントである。さらに、送信機は送信機時間フレーム３６の時間スロット４（４０）では何の情報も送信せず、コードレスセルラー基地局１０はそれ自体の妨害は生じないので、その環境から生じる妨害を正確に測定できる。当業者には公知のように、コードレスセルラー基地局１０が独自の動作周波数上の妨害を測定する場合、コードレスセルラー基地局の受信機に特に何の送信も放送されていなければ、受信機で受信される妨害の強度が測定される。
【０１４１】
コードレスセルラー基地局１０が動作周波数以外のダウンリンク周波数の活動を測定する場合は、受信するｄＢｍ単位の信号強度（ＲＳＳ）は、ノイズに妨害を加えた電力（ＮＰＩＰ）である。コードレスセルラー基地局１０は、コードレスセルラー基地局のＴＤＭＡ送信フレーム３６の時間スロット４（４０）の送信休止期間中に、ダウンリンク動作周波数、つまりセルラー基地局が移動局１２との通信に使用する周波数の信号強度の測定ができる。活動中の移動局１２が１台以下の場合は、コードレスセルラー基地局１０は、以下に詳述するように未使用の時間スロットの間に、アップリンク動作周波数、つまりセルラー基地局が移動局１２との通信に使用する周波数の受信信号強度を測定する。
【０１４２】
コードレスセルラー基地局１０が、アップリンク動作周波数についてデジタルトラフィックチャンネル（ＤＴＣ）時間スロット中の信号強度およびワードエラーレート（ＷＥＲ）を測定する場合、ＲＳＳは所望の信号とノイズおよび妨害との両方を含む。これらの測定値に対して、コードレスセルラー基地局１０はまず、測定したワードエラーレート（ＷＥＲ）を、当業者に公知の変換関数を用いて、等価の信号対ノイズおよび妨害比（ＳＮＩＲ）に変換する。ＳＮＩＲが求められると、コードレスセルラー基地局１０はノイズおよび妨害信号強度を次の式から推定する。
【０１４３】
ＮＰＩＰ＝ＲＳＳ／ＳＮＩＲ
【０１４４】
ここでＲＳＳは総受信電力を示す。測定結果はノイズおよび妨害（ＮＰＩＰ）値の等価電力（ｄＢｍ）で表される。
【０１４５】
各種動作モードでの妨害測定
上述したように、コードレスセルラー基地局１０は、実行可能な測定の回数および種類に影響する複数の異なる動作モードを持つ。各動作モード、および各モードで行われる測定の種類を次に詳述する。また、以下の表１に、全動作モードと、各モードで実行可能な測定の種類をまとめる。
【０１４６】
【表１】
2007053811.tif 000003
【０１４７】
サイレントモードでのコードレスセルラー基地局の測定
サイレントモードは、コードレスセルラー基地局の送信機がオフにされた場合のあらゆる状態を含む。コードレスセルラー基地局がオフになるには多くの理由があり、すなわち（１）コードレスセルラー基地局１０がネットワーク送信許可を受け取っていない、（２）送信許可は受け取ったが、許容可能な動作周波数、すなわち妨害スコアがＨｔより下の周波数の数が不十分、（３）コードレスセルラー基地局１０がその最後の動作周波数を廃棄した際に、最初に許容可能な周波数の数が不十分なことがわかった、または（４）送信許可が無効にされた、という理由による。
【０１４８】
許可周波数リスト受信前のサイレントモード
初期許可処理中にセルラーネットワークから許可周波数を受信する前のサイレントモードでは、コードレスセルラー基地局１０は妨害測定は要求されない。また、許可周波数リストを受け取っていないので、コードレスセルラー基地局１０との登録を許可されている移動局１２はなく、従ってどの移動局１２も測定値報告の必要はない。
【０１４９】
許可周波数リスト受信後のサイレントモード
許可周波数リスト受信後の一定期間の間、コードレスセルラー基地局１０のもつ受容可能なクリアなチャンネルの数が不十分なために送信機がサイレントになる場合がある。別の場合では、最後の動作周波数を廃棄した際にコードレスセルラー基地局１０のもつ受容可能なチャンネルの数が不十分なため、一時的にサイレントになる場合がある。最低一つのクリアなチャンネルがなければ、コードレスセルラー基地局１０はどの移動局とも通信できないため、コードレスセルラー基地局は電話に関連した送信または受信義務をもたない。このため、コードレスセルラー基地局はすべての時間スロット１−６で妨害測定を行うことができる。
【０１５０】
妨害測定に利用可能な時間スロットが増えるため、このコードレスセルラー基地局は高速妨害測定モードであると称する。高速妨害測定モードでは、１つのＴＤＭＡフレームに一回測定するよりはるかに高速な測定速度が期待できる。さらに、このモードでは、コードレスセルラー基地局はダウンリンク周波数のみの測定を行うため、Ｈｔしきい値より下の十分な数のクリアなチャンネルを確立できる。好適な実施形態では、最初の動作が開始できるようになるまでに、コードレスセルラー基地局には妨害スコアがＨｔより下のチャンネルがＭ個必要である。Ｈｔしきい値よりもスコアが下の十分な数のクリアなチャンネルが見つかると、コードレスセルラー基地局は好適には、妨害スコアが一番低い周波数をダウンリンク動作周波数として選択し、この周波数上でＤＣＣＨの放送を開始する。この時点でコードレスセルラー基地局は許可されたモードへと移行する。
【０１５１】
許可されたモードでのコードレスセルラー基地局の測定
送信許可を受け取ると、コードレスセルラー基地局１０はまず、許可トランザクションで与えられた周波数リストを調べる。妨害の測定はこの許可された周波数の集合に限られる。このリストはセルラー周波数範囲内の全周波数を含むことに注意されたい。
【０１５２】
動作（すなわちＤＣＣＨの送信）が許可されると、コードレスセルラー基地局１０は動作モードによって複数種類の測定を行う。
【０１５３】
活動モードの移動局がない場合
活動状態の移動局１２がない場合、コードレスセルラー基地局１０は、許可されたダウンリンク周波数のすべてについて以下に説明する方式を用いてダウンリンクＲＳＳ測定を行い、一方アップリンクＲＳＳ測定は現在のアップリンク周波数のみについて行う。活動モードの移動局１２がない場合、ＤＴＣ１またはＤＴＣ２に音声情報を送信する通話が進行していないため、コードレスセルラー基地局１０は、時間スロット１でハーフレートデジタル制御チャンネルを送信し、時間スロット２，３，５および６ではアイドルコード以外の送信は要求されない。
【０１５４】
また上述したように、コードレスセルラー基地局１０は送信フレームの時間スロット４では通常はサイレントなので、この間、送信機または受信機のどちらも未使用の場合は、コードレスセルラー基地局１０は以下に説明するように妨害測定を行う。
【０１５５】
好適にはコードレスセルラー基地局１０は、１つのＴＤＭＡフレームにつき、時間スロット４上で、名目上一回ダウンリンク妨害測定を行う。測定対象のダウンリンク周波数は次のように選択される。すなわち（１）測定が行われる４０ｍｓフレーム群の５０％では、コードレスセルラー基地局１０は現在のダウンリンク動作周波数を測定、（２）測定が行われる４０ｍｓフレーム群の２５％では、コードレスセルラー基地局１０は３つのダウンリンクバックアップ周波数の１つを測定、（３）測定が行われる４０ｍｓフレーム群の２０％では、コードレスセルラー基地局１０は許可された他のダウンリンク周波数のうちスコアが低しきい値（Ｌｔ）より下の１つの周波数を測定、（４）測定が行われる４０ｍｓフレーム群の５％では、コードレスセルラー基地局１０は他の許可されたダウンリンク周波数のうちスコアが低しきい値（Ｌｔ）以上の１つの周波数を測定する。
【０１５６】
ダウンリンク動作周波数を測定すると、推定されるノイズ＋妨害は、この４０ｍｓＴＤＭＡフレームに利用可能な動作周波数の他のすべてのノイズ＋妨害推定値に関連づけられる。最大の妨害推測推定値を使用し、その他はすべて無視する。コードレスセルラー基地局１０は以下に説明するようにこの周波数にスコアを付ける。
【０１５７】
アップリンクＲＳＳ測定は次のように行われる。受信時間スロット２、３、５および６上に活動状態の移動局がないため、コードレスセルラー基地局１０はこのうち一つの時間スロットにおいて、１フレームにつき最低一回、アップリンクＲＳＳの測定を行う。ＲＳＳ測定値は、動作周波数に対する推定ノイズ＋妨害信号強度として用いられる。この推定値は、動作周波数の他のノイズ＋妨害推定値と比較され、一番大きい妨害推定値が求められる。コードレスセルラー基地局１０は、以下に説明するようにこの周波数にスコアを付ける。
【０１５８】
活動状態の移動局が一つの場合
１台の移動局が活動状態である一実施形態では、コードレスセルラー基地局１０は現在のアップリンク周波数のみについてアップリンクＲＳＳおよびＷＥＲ測定を行い、移動局１２はダウンリンクＷＥＲ測定を行って、測定値をコードレスセルラー基地局へ転送する。好適な実施形態では、コードレスセルラー基地局はまた、以下に説明する方式を用いて、許可されたすべてのダウンリンク周波数のダウンリンクＲＳＳ測定を行う。しかし、他の実施形態では、コードレスセルラー基地局はダウンリンクＲＳＳ測定を行わなくてもよい。
【０１５９】
コードレスセルラー基地局１０は、１つのＴＤＭＡフレームにつき、時間スロット４上で、ダウンリンクＲＳＳ妨害測定を名目上一回行う。測定対象のダウンリンク周波数は次のように選択される。すなわち（１）測定が行われる４０ｍｓフレーム群の５０％では、コードレスセルラー基地局１０は現在のダウンリンク動作周波数を測定、（２）測定が行われる４０ｍｓフレーム群の２５％では、コードレスセルラー基地局１０は３つのバックアップダウンリンク周波数のうちの１つの周波数を測定、（３）測定が行われる４０ｍｓフレーム群２０％では、コードレスセルラー基地局１０は他の許可されたダウンリンク周波数のうちスコアがＬｔより下の１つの周波数を測定、（４）測定が行われる４０ｍｓフレーム群の５％では、コードレスセルラー基地局１０は他の許可されたダウンリンク周波数のうちスコアがＬｔ以上の１つの周波数を測定する。
【０１６０】
ダウンリンク動作周波数を測定すると、推定されたノイズ＋妨害は、この４０ｍｓＴＤＭＡフレームに対して利用可能な動作周波数の他のすべてのノイズ＋妨害測定値に関連づけられる。最大の妨害測定値を使用し、他はすべて無視する。コードレスセルラー基地局１０は以下に説明するようにこの周波数にスコアを付ける。
【０１６１】
１台の移動局１２が活動状態の場合、ＣＣＢＳは受信時間スロット３および６、すなわちＤＴＣ１上でデジタルトラフィックチャンネルを確立する。しかし、時間スロット２および５はなお未使用であるため、コードレスセルラー基地局１０はこれら利用可能な時間スロットの一つにおいて最低１フレームに一回アップリンクＲＳＳの測定を試みることができる。好適には、コードレスセルラー基地局のＤＣＣＨの送信による妨害を最も受けにくいのは受信時間スロット５なので、アップリンクＲＳＳ測定は受信時間スロット５の間に行われる。ＲＳＳ測定値は、動作周波数に対する推定ノイズ＋妨害信号強度として使用される。この推定値は、動作周波数の他のノイズ＋ノイズ妨害推定値と比較され、最大の妨害推定値が求められる。
【０１６２】
ＲＳＳアップリンク情報の測定に加えて、コードレスセルラー基地局１０はまた、該移動局１２から受信中のデジタルトラフィックチャンネル（ＤＴＣ）についてのアップリンクＷＥＲ測定を、４０ｍｓＴＤＭＡフレームごとに最低一回、より好適には二回、行う。アップリンクＷＥＲとアップリンクＲＳＳ測定値とは上記の式に従って組み合わされ、動作周波数に対するアップリンクノイズ＋妨害測定値となる。この推定値は、この４０ｍｓＴＤＭＡフレームについて利用可能な他のすべてのノイズ＋妨害推定値（移動局からの信号品質報告等）と比較され、最大の妨害推定値が求められる。コードレスセルラー基地局１０は以下に説明するようにこの周波数にスコアを付ける。
【０１６３】
コードレスセルラー基地局の移動局の一つが活動モードの場合、ＩＳ−１３６に従う該移動局は、ＣＣＢＳの命令に従って、自身のダウンリンクＭＡＨＯのＲＳＳおよびＷＥＲ妨害測定を行う。コードレスセルラー基地局１０は移動局１２からこれらの測定値を受信し、以下に説明するようにスコアを付ける。
【０１６４】
コードレスセルラー基地局１０は、移動局から妨害測定値スコアを受信する以外に、移動局１２との正しい通信を維持するために２秒〜１０秒ごとに移動局のＭＡＨＯ近隣リストを更新する。好適には、移動局のＭＡＨＯ近隣リストは５秒おきに更新される。ＩＳ−１３６標準に記載されているように、基地局から移動局１２へのデジタル制御チャンネルＤＣＣＨは、２つの制御チャンネルフォーマット、すなわち高速関連制御チャンネル（ＦＡＣＣＨ）および低速関連制御チャンネル（ＳＡＣＣＨ）フォーマットの内の１つを用いて、制御情報の送信ができる。
【０１６５】
ＳＡＣＣＨフォーマットは、複数のＴＤＭＡバーストから連結した１２ビットフィールドの集合を用いて、通常のＤＴＣの間に制御情報を送信する。ＦＡＣＣＨフォーマットは、制御情報が長く、メッセージの残りの部分を送信するのに次のＤＴＣ時間スロットまで待てない場合に使用される。ＦＡＣＣＨメッセージはデジタルトラフィックチャンネルから音声容量を取り去るため、ＦＡＣＣＨメッセージが送信されている間の途切れがユーザにわからないように、デジタルトラフイックチャンネル上に検知可能な会話の沈黙が生じるまで、ＦＡＣＣＨメッセージの送信を待つのが好ましい。近隣リストの更新はＦＡＣＣＨを使用して送信されるため、近隣リストの更新メッセージを送信する際に音声品質の劣化を最小にするためには、コードレスセルラー基地局１０は（おそらくはＶＳＥＬＰコーデックＲＯレベルに基づく）音声活動を検出し、会話中で沈黙期間がいつ発生するのかを決定しなければならない。近隣リスト更新メッセージは、好適には、以前のリストからのＭＡＨＯ報告を受信した後の最初の機会（すなわちコードレスセルラー基地局１０から移動局への音声信号中で沈黙が検出された時）に送信される。１０秒以内に機会がない場合は、コードレスセルラー基地局１０は無関係に近隣リスト更新メッセージを送信する。
【０１６６】
ＩＳ−１３６標準では、ＭＡＨＯ近隣リストは、好適には、最大２４のダウンリンク周波数を含む。コードレスセルラー基地局の場合は、コードレスセルラー基地局に割り当てられた許可済みのダウンリンク周波数のリストから１２のダウンリンク周波数が選択される。好適な実施形態では、１２のダウンリンク周波数は、コードレスセルラー基地局が選択した３つのバックアップ周波数と、コードレスセルラー基地局用に許可された残りのダウンリンク周波数のうちの９つの周波数とからなる。好適には、９つの周波数の内の７つは、スコアがＬｔより下の周波数から選択される。かかる周波数が７つ未満の場合は、コードレスセルラー基地局１０は妨害スコアがＬｔより下のすべての周波数を含む。９つの周波数の残りは、現在の動作周波数以外の残りの周波数から選択される。
【０１６７】
活動モードの移動局が２台の場合
２台の移動局１２が通話に接続される（つまり２つのＤＴＣが使用中である）状態では、コードレスセルラー基地局１０は、ＣＣＢＳ送信フレームの時間スロット４の間に信号強度の測定ができない。この理由は、ＣＣＢＳ受信フレームの時間スロット５が送信時間スロット４と同時に発生し、コードレスセルラー基地局の受信機は、受信フレーム時間スロット５で第２の移動局１２用の第２のデジタルトラフィックチャンネル（ＤＴＣ２）の一部として使用されるためである。
【０１６８】
このモードでは、コードレスセルラー基地局は、各移動局のアップリンクＷＥＲおよびＲＳＳのモニターだけが可能である。このため、コードレスセルラー基地局１０は、２台の移動局１２からのダウンリンクＲＳＳ ＭＡＨＯ測定値およびダウンリンクＷＥＲ測定値に頼らなければならず、これには各移動局の現在の動作周波数の測定はまったく含まれない。従って、コードレスセルラー基地局１０は、妨害がワードエラーレート（ＷＥＲ）に影響するほど大きくなければ、動作周波数の妨害のＲＳＳ測定ができない。
【０１６９】
このように、ＩＳ−１３６に従えば、両方の移動局は、自身でＭＡＨＯダウンリンクＲＳＳおよびダウンリンクＷＥＲ妨害の測定を行う。コードレスセルラー基地局１０は移動局１２の一方からこれらの測定値を受信し、以下に説明するように測定値をスコアする。  
【０１７０】
２台の移動局１２が活動状態の場合は、コードレスセルラー基地局１０が自身で行うことのできる唯一の測定は、移動局１２の各デジタルトラフィックチャンネル（ＤＴＣ）についてのアップリンクＷＥＲおよびＲＳＳの測定である。アップリンクＷＥＲの測定は、デジタルトラフィックチャンネル（ＤＴＣ）ごとに各４０ｍｓＴＤＭＡフレーにつき２回、行われる。コードレスセルラー基地局１０からのアップリンクＷＥＲ測定値は、一方の移動局が行ったダウンリンクＲＳＳ ＭＡＨＯ測定値およびダウンリンクＷＥＲ測定値と組み合わされ、ダウンリンクノイズ＋妨害の測定値として使用される。コードレスセルラー基地局１０は以下に記載するようにこの周波数のスコアを付ける。
【０１７１】
スコア決定
好適な実施形態では、妨害測定値はスコアの増分または減分に変換される。各周波数の妨害スコアの範囲は好適には０〜２22−１である。またセルラーネットワーク１６から送信される許可メッセージ中で、ＣＣＢＳ ＶＬＲは、コードレスセルラー基地局１０に、各動作周波数の初期スコア値を与える。他の実施形態では、初期スコア値はＣＣＢＳの製造時にデフォルト値に設定される。好適な実施形態では、起動時またはリセット時に、コードレスセルラー基地局１０は周波数スコアをある高しきい値（Ｈｔ）＋７５００に初期化する。このためこれらの周波数は当初は使用不能であるが、７５００の４０ｍｓＴＤＭＡフレーム群に相当する５分間、クリアな状態にとどまれば使用可能になる。その後、許可された新しい周波数のリストを受信すると、コードレスセルラー基地局１０は、以前は許可されていなかった任意の周波数のスコアをＨｔ＋７５００に初期化する。他の実施形態では、許可された新しい周波数リストのうちのいくつかの周波数は、事前に割り当てられた初期値と共に送信されてもよい。事前に割り当てられた初期値と共に送信される周波数は、製造時に設定された、またはＣＣＢＳ ＶＬＲによって以前に与えられた初期値を無効にする。
【０１７２】
コードレスセルラー基地局１０は、ノイズ＋妨害電力の等価値（単位ｄＢｍ）として表した各周波数の妨害測定値を考慮し、測定したノイズ＋妨害電力レベルを、図２０の階段関数２８８を用いてスコア増分または減分に変換する。コードレスセルラー基地局１０は、どのＸ値間で妨害測定が発生するのかを判断し、Ｙ軸から適当な減分値または増分値を読み取る。
以下に示すように、好適な実施形態では、移動局の測定用のＸ値はコードレスセルラー  
【０１７３】
基地局の測定用のＸ値とは異なる。この理由は、移動局１２は家庭または職場環境から外へ移動可能であり、このように屋外に位置可能なために僅かに高いレベルの妨害を受けると考えられているためである。これに対して、コードレスセルラー基地局１０は静止しており屋内にとどまるため、妨害をあまり受けないと考えられる。この差を調整するために、コードレスセルラー基地局１０が検知する少ない妨害値は妨害スコア中でより大きくジャンプさせる必要がある。
例えば、好適な実施形態では、コードレスセルラー基地局１０による妨害スコア測定値−９０ｄＢｍはＹ3レベルとなるが、移動局１２による妨害スコア測定値−９０ｄＢｍはＹ2レベルとなる。表２に、図２０の好ましいＸ値を示す。
【０１７４】
【表２】
2007053811.tif 000004
【０１７５】
表に示すように、コードレスセルラー基地局のＸ1の値は、受信機のノイズ面から６ｄＢｍ上に設定される。好適な実施形態では、受信機のノイズ面は−１１８ｄＢｍであるから、コードレスセルラー基地局の好適なＸ1の値は−１１２ｄＢｍとなる。
表３には、図２０の好ましいＹ値を示す。
【０１７６】
【表３】
2007053811.tif 000005
【０１７７】
表中、Ｙmax、は、スコアのフルスケール（飽和）値を示す。好適な実施形態では、Ｙmaxは２22−１である。移動局１２が存在しかつ活動（会話）モードの場合は、Ｎの値はこの表ではＮ／２に代わる。実際これにより、コードレスセルラー基地局１０と移動局１２とに重みの各半分を与えることができる。
【０１７８】
好適なＹ値の表に示すように、Ｙ0およびＹ2の値は、問題の周波数の連続測定間の間隔に比例する。これにより測定値を正規化し、クリアな周波数のスコアについての減衰率を測定速度とは無関係にする。例えば、ある特定のスコアが飽和値に達すると、この妨害を除去するとスコアは２22−１×４０ｍｓ、つまり約２日間で０に減衰する。Ｘ1，Ｘ2，Ｘ3，Ｙ0，Ｙ2およびＹ3の値、ならびに階段関数２８８の段数は、現在のところ好ましい値である。これらの値は、周波数に大きな妨害があると分かればその周波数を即座に考慮の対象から外し、ある長いサイレント期間後にのみ新しい周波数を再び考慮するという目的を守るために、システムの実際の用途に応じて変更可能である。
【０１７９】
コードレスセルラー基地局１０は、測定した周波数の以前の妨害スコアに、Ｙ軸から読み取った増分値または減分値を加える。Ｙ軸の増分値の選択方法は、Ｘ3値より上の妨害は妨害スコアを大きくジャンプさせ、即座にこのチャンネルをバックアップ周波数または動作周波数のいずれにも不適当とする。一方、Ｘ3値とＸ2値との間の妨害は、妨害スコアを中程度にジャンプさせ、動作周波数としては不適当だが、この妨害レベルがどの程度続くかによってはバックアップ周波数として使用可能とする。Ｘ2値とＸ1値との間の妨害は現在のスコア値を変化させないので、チャンネルは現在の使用レベルのままである。Ｘ1値より下の妨害は、妨害スコアを減分させ、これによりバックアップ用または動作周波数としての使用の可能性をより適当とする。増分値および減分値は、同じ周波数の妨害を連続して測定することによって、スコアを即座に増大させ、コードレスセルラー基地局１０に妨害を素早く警告できるように選択される。また、時々発生する本来バースト性の妨害、つまりチャンネル上で検出される場合とされない場合とがある妨害は、スコアをより緩やかに増大させるが、もし続くようならば、最終的にはチャンネルのスコアを許容不可に高くしてしまう。最後に、妨害がないまたはほとんどない場合、つまりＸ1値より下の場合、減分によってスコアを緩やかに０に減衰させることができる。
【０１８０】
スコアの記憶
コードレスセルラー基地局１０は、以下の表４に示すようなデータベースに各動作周波数のスコアを記憶する。コードレスセルラー基地局１０は、測定間の間隔に従ってスコアの増分および減分を正規化する。従って以下の表は、以下に詳述するように、妨害スコアを正規化するために、測定間に発生するＴＤＭＡフレーム数も記憶する。好適な実施形態では、コードレスセルラー基地局１０は、セルラー周波数帯域中のアップリンク周波数とダウンリンク周波数との利用可能な４１６の「Ａ」側対または「Ｂ」側対のうちの任意の周波数対で動作可能である。一実施形態では、上述したように、セルラーネットワーク１６はコードレスセルラー基地局１０に、その中で動作するようにセルラー周波数帯域から切り取った周波数リストすなわち周波数範囲を提供する。コードレスセルラー基地局１０およびその移動局１２の測定能力を有効利用するためには、このように提供される周波数リストでセルラーネットワークによって許可されると、コードレスセルラー基地局１０は、ネットワークから供給されるコードレスセルラー基地局１０が使用を許可された周波数リストには載っていない周波数のスコアは、更新しないか、または維持する。
【０１８１】
【表４】
2007053811.tif 000006
【０１８２】
測定値の正規化
測定速度は時間によって均一ではないので、コードレスセルラー基地局１０は、測定間の間隔に従ってスコアの増分および減分を正規化しなければならない。スコア更新過程では、コードレスセルラー基地局１０は更新速度を追跡しなければならない。更新速度は、任意のある周波数について最後に妨害を測定してからの４０ｍｓＴＤＭＡフレーム数Ｎとして表される。ある周波数の更新速度は測定源が違えば更新速度が異なる場合がある。Ｎの取り得る値の範囲は、以下に説明するように、測定モードによって限定される。
【０１８３】
一般に、Ｎの値は、コードレスセルラー基地局１０による測定、第１の移動局１２による測定、および第２の移動局１２による測定で異なる。Ｎの値は測定モードによって変化し、以下の表５に示すように計算できる。表中で使用する略語は、（１）ｆodはダウンリンク周波数、（２）ｆouは動作アップリンク周波数、（３）ｆ1，ｆ2およびｆ3は３つのバックアップ周波数、（４）ｎbはバックアップ周波数の数、（５）ｎlowは、スコアがＬｔ未満のｆ0−ｆ3以外の許可周波数の数、（６）ｎhighは、スコアがＬｔ以上のｆ0−ｆ3以外の許可周波数の数、を示す。
【０１８４】
【表５】
2007053811.tif 000007
【０１８５】
例えば、１台の移動局１２が活動モード状態のコードレスセルラー基地局１０が行う測定について考える（表中の第３行、第１セル参照）。この例では、コードレスセルラー基地局１０は、動作周波数ｆodに対して２フレームごとにダウンリンク妨害を測定するが、ただし測定８回の内１回は上記に説明したようにアイドルコードの送信によってすでに占有されている。このようにダウンリンク測定が事前に占有されるため、表中の何カ所かでは、コードレスセルラー基地局１０の列の除数は０．８７５となる。同様に、活動中の移動局が１台の場合、動作周波数ｆouのアップリンク妨害については、コードレスセルラー基地局１０は１フレームに一回測定する。この測定は時間スロット４では発生しないためアイドルコードの送信で事前に占有されることはなく、従ってＮは１である。ダウンリンクバックアップ周波数ｆ1-3の１つに対するダウンリンク妨害については、コードレスセルラー基地局１０は平均４フレームごとに（つまり、上述したように測定フレームの２５％で）測定する。このため、全バックアップ周波数を一度に測定するには４ｎbフレームが必要であり、時間スロット４はアイドルコードの送信によって時折占有されるため、ここでも除数は０．８７５を用いなければならない。測定フレームの２０％では、コードレスセルラー基地局１０は、スコアがＬｔより下の許可周波数の一つについてダウンリンク妨害の測定を行う。つまり事前占有されていない測定間の平均フレーム数は５／０．８７５、すなわちこれらの周波数すべてを一度測定するには５ｎlow／０．８７５フレームかかることを意味する。測定フレームの５％では、コードレスセルラー基地局１０は、スコアがＬｔ以上の許可周波数の一つに対してダウンリンク妨害を測定する。つまり事前占有されていない測定間の平均フレーム数が２０／０．８７５、すなわちこれらの周波数すべてを一度測定するには２０ｎhigh／０．８７５フレームかかることを意味する。
【０１８６】
上記の表の第３行、第２セルには、活動（会話）モードの移動局の測定を記載する。これらの値は、連続したＭＡＨＯの各報告間が平均３秒（ＩＳ−１３６の許容可能な範囲は２秒〜１０秒）であると仮定する。測定は次のように行われる。動作周波数のダウンリンク妨害の間接的な測定は、７５フレーム（３秒）ごとに行われる。この測定に対して、コードレスセルラー基地局１０は、上記の式を用いて移動局のダウンリンクＷＥＲとダウンリンクＲＳＳの結果を組合せ、ノイズ＋妨害測定値を作成する。各バックアップ周波数に対するダウンリンク妨害の直接的な測定は、７５フレームごとに行われる。上述したように、ダウンリンクバックアップ周波数はすべて各ＭＡＨＯリストに記載される。７５フレームごとに、ＭＡＨＯリストに記載された許可周波数の内、スコアがＬｔより下の７つの周波数のダウンリンク妨害が測定される。従って、これらの周波数を一回ずつ測定するには７５ｎlow／７フレーム必要である。７５フレームごとに、許可周波数の内、スコアがＬｔ以上の２つの周波数のダウンリンク妨害が測定される。従って、これらの周波数を一回ずつ測定するには７５ｎlow／２フレーム必要となる。
【０１８７】
周波数の選択
コードレスセルラー基地局１０は、その妨害スコアを入力として用いて、動作周波数またはバックアップ周波数の選択、維持、または廃棄を決定する。動作周波数またはバックアップ周波数の変更は、周波数のスコアが特定のしきい値を超えることに起因する。コードレスセルラー基地局１０が使用する２つのしきい値は、高しきい値Ｈｔおよび低しきい値Ｌｔである。好適な実施形態では、ＨｔはＹmax／２すなわち２21に設定され、ＬｔはＹmax／８すなわち２19に設定される。一実施形態では、低しきい値と高しきい値とは同一値に設定される。
【０１８８】
コードレスセルラー基地局１０は、上記の全周波数スコアのリストから、許容可能な最も低い周波数スコアを持つ４Ｍ、すなわちＭの４倍のダウンリンク周波数のランク付けしたリストを構成する。このリストには、妨害スコアが高しきい値（Ｈｔ）より下のダウンリンク周波数だけを入れることができる。従って、条件によっては、リストに含まれる周波数は４Ｍ未満となる。好適な実施形態では、コードレスセルラー基地局１０はこのランク付けしたリストを２秒ごとにコンパイルし直す。
【０１８９】
コードレスセルラー基地局１０はまた、妨害スコアが低しきい値（Ｌｔ）より下の全周波数の、ランク付けしていないリストを維持する。好適な実施形態ではコードレスセルラー基地局１０はこのリストを最低２秒に一度コンパイルし直す。
【０１９０】
図２１は、特定の周波数の妨害スコア２９０を単純化した例を示す（本例は通話状態またはプライマリ移動局がコードレスセルラー基地局に登録されているかどうかは考慮していない）。妨害スコアがＬｔを上回るＡ点では、この周波数が動作周波数であり、かつ他のスコアがＬｔを下回る場合は、コードレスセルラー基地局１０はこの周波数を廃棄する。妨害スコアがＨｔを上回るＢ点では、この周波数は動作周波数またはバックアップ周波数のいずれにも使用できないように無条件に拒否される。妨害スコアがＨｔを下回って減衰するＣ点では、この周波数は再びバックアップ周波数または動作周波数としての選択範囲内に入る。
【０１９１】
動作周波数の初期選択および再選択
初期ダウンリンク動作周波数は、好適には、許可された周波数リストの内、妨害スコアの最も低い周波数、つまりランク付けされたリストの一番上に位置する周波数である。スコアがＨｔより小さい周波数の数がＭ未満の場合は、コードレスセルラー基地局１０は、好適には送信を開始せず、ＣＣＢＳ ＶＬＲに問題を警告する。
【０１９２】
現在のダウンリンク動作周波数のスコアが更新されるたびに、コードレスセルラー基地局１０は新しいスコアを評価して、動作周波数を変更するかどうかを判断する。好適な実施形態では、動作周波数変更の法則は、プライマリ移動局が登録されているかどうか、または通話が進行中であるかどうかによっても異なる。
【０１９３】
このため、好適な実施形態では、コードレスセルラー基地局のプライマリ移動局１２が活動モードまたは待機モードの場合、または登録した移動局のいずれかが通話中である場合は、コードレスセルラー基地局１０は、現在の動作周波数の妨害スコアがＬｔ以上で、かつ第１のバックアップ周波数の妨害スコアが動作周波数のスコアより低ければ、現在の動作周波数での動作を停止する。コードレスセルラー基地局のプライマリ移動局１２が休止モードで、かつどのデジタルトラフィックチャンネル（ＤＴＣ）も活動していない、すなわち登録した移動局のどれも通話中でない場合は、コードレスセルラー基地局１０は、現在の動作周波数の妨害スコアがＨｔ以上ならば、現在の動作周波数での動作を停止する。そうでない場合は、コードレスセルラー基地局は、プライマリ移動局のユーザがコードレスセルラー基地局に登録するか、または妨害レベルがＨｔを超えるまで、現在の動作周波数での動作を続ける。この機能によって、プライマリユーザの電話機は、コードレスセルラー基地局１０に近づくと自動的にその位置を突き止めることができる。プライマリ移動局が登録されていない場合にコードレスセルラー基地局１０が頻繁にその動作周波数を変更すると、移動局１２が周波数を変更し、移動局１２がコードレスセルラー基地局１０との最後の登録時に記憶した動作周波数およびバックアップ周波数のリストに現在の動作周波数がない場合が生じうる。このため、プライマリ移動局には基地局１０の現在の動作周波数がわからず、その新しい周波数をどこで探せばいいのかが分からないため、プライマリ移動局はコードレスセルラー基地局１０の位置を自動的に突き止め、かつ移動局と登録することができない。この状況になると、ユーザは移動局から手動でテスト登録を行わなければならない。
【０１９４】
コードレスセルラー基地局１０が現在の動作周波数での動作を停止する場合、代替えとなる動作周波数は第１のバックアップ周波数ｆ1である。コードレスセルラー基地局１０が動作周波数を廃棄する時に通話が進行中の場合は、コードレスセルラー基地局１０は、好適には、当業者に公知の受け渡し処理を用いて、新しい周波数への受け渡しを行う。ただし一般的な受け渡しでは、移動局をあるセルから別のセルへ切り替える。コードレスセルラー基地局が開始した受け渡しの場合は、移動局は同じセル（コードレスセルラー基地局のセル）にとどまり、その動作周波数を変更する。周波数切替の間に通話制御を行う高周波送受信機は変わらないので、送受信機が新しい周波数に同調している間に通話を失わないように、受け渡し処理は注意深く制御される。通話が進行中でない場合は、コードレスセルラー基地局１０は、その動作周波数を第１のバックアップ周波数ｆ1に変更し、上記で説明したように、次の近隣リストメッセージ中で新しい動作周波数を送信して、待機モードの移動局１２に通知する。
【０１９５】
コードレスセルラー基地局１０がその動作周波数を廃棄する際に、スコアがＨｔより下の周波数の数がＭ未満の場合、コードレスセルラー基地局１０は好適には、ＣＣＢＳ ＶＬＲにコンタクトし、ＣＣＢＳ ＶＬＲに動作用に十分な数のクリアなチャンネルがないことを通知する。ＣＣＢＳ ＶＬＲは、コードレスセルラー基地局に新しいチャンネル群またはより低いＭ値を送信するか、もしくは空の許可周波数リストを送って、新しい許可周波数群が与えられるまで送信を停止させる。コードレスセルラー基地局１０は自身の測定を行って、新たに与えられた許可周波数のリストについての妨害スコアを維持する。スコアがＨｔより下の周波数の数がＭ以上になると、コードレスセルラー基地局１０は妨害スコアがＨｔより下の周波数の一つで送信を開始する。
【０１９６】
他の実施形態では、コードレスセルラー基地局１０がその動作周波数を廃棄する際にスコアがＨｔより下の周波数の数がＭ未満の場合は、コードレスセルラー基地局１０はＤＣＣＨの送信を停止する。コードレスセルラー基地局１０は自身の測定を行って妨害スコアを維持し、スコアがＨｔより下の周波数の数を定期的かつ頻繁にチェックする。スコアがＨｔより下の周波数の数がＭ以上になると、コードレスセルラー基地局１０は０分〜５分の間に均等に分配した待機時間をランダムに選択する。この待機時間の経過後もスコアがＨｔより下の周波数の数がＭ以上の場合は、コードレスセルラー基地局１０は、好適には一番低いスコアの周波数で送信を開始する。
【０１９７】
進行中の通信を失わないようにするために、コードレスセルラー基地局１０はデジタルトラフィックチャンネル（ＤＴＣ）の使用中は、一時的にＭ＝１に設定する。通話が終了する（つまりどのＤＴＣも未使用になる）と、コードレスセルラー基地局１０はＭを真の値にリセットする。コードレスセルラー基地局１０が通信中に動作周波数を変更した場合は、コードレスセルラー基地局１０は通話終了後、次のふくそう試験を行う。すなわち、スコアがＨｔより下の周波数の数がＭ未満の場合は、コードレスセルラー基地局１０は好適にはＣＣＢＳ ＶＬＲにコンタクトして、動作用に十分な数のクリアなチャンネルがないことを通知する。ＣＣＢＳ ＶＬＲは、コードレスセルラー基地局に新しいチャンネル群を送信するか、より低いＭ値を送信するか、またはコードレスセルラー基地局に空の周波数リストを送って新しい許可周波数群が与えられるまで送信を停止させる。
【０１９８】
バックアップ周波数の初期選択および再選択
最初の選択およびその後の選択のどちらにおいても、コードレスセルラー基地局１０は、コードレスセルラー基地局１０のスコア表に記載した、最も許容可能な周波数のランク付けリストの一番上の２Ｍ（すなわちＭの２倍）の周波数のうちから、各バックアップ周波数を同程度の確率で選択する。動作周波数はバックアップ周波数が選択される前にランク付けリストから削除される。バックアップ周波数を決定論的に選択するのではなく、選択可能な周波数リストから同程度の確率で選択する理由は、２つの隣接するコードレスセルラー基地局同士が同じバックアップ周波数群を選択しないようにするためである。最良の妨害スコアが選択された場合、２つの隣接するコードレスセルラー基地局が同じチャンネルに妨害スコア測定値を同じようにランク付けしている可能性が高い。隣接するコードレスセルラー基地局に同じバックアップ周波数が選択されていると、これらの隣接するコードレスセルラー基地局が新たな動作周波数として同じ周波数を選択し、衝突を引き起こしてしまう可能性がきわめて高い。適当な周波数のリストからバックアップ周波数を同程度の確率で選択することによって、２つの隣接するコードレスセルラー基地局が同じバックアップ周波数群を持つ確率を大幅に低くできる。バックアップ周波数の一つのスコアが更新されるごとに、コードレスセルラー基地局１０は新しいスコアを評価して、このバックアップ周波数を変更すべきかどうかを判断する。あるバックアップ周波数の妨害スコアがＨｔより上、または全体のランク付けの中で（４Ｍ）番目より下になる場合、コードレスセルラー基地局１０はこのバックアップ周波数を交換する。
【０１９９】
バックアップ周波数を交換する際には、コードレスセルラー基地局１０は、放送される近隣リストの順序を正しくするため、バックアップ周波数リスト｛ｆ1，ｆ2，ｆ3｝の順序を維持する。交換バックアップ周波数はｆ3となるが、旧ｆ3が交換されなければｆ2となり、旧ｆ2が交換されなければｆ1となる。
【０２００】
スコアベースの周波数選択および再選択の例
図２２に関連して以下に説明する例は、周波数選択概念をより明確にするためのものである。本例では、ａ，ｂ，およびｃとラベルをつけた３つの許可済み周波数が存在する。また、本例ではＭは２に設定されており、このためコードレスセルラー基地局の動作を可能化するためにスコアがＨｔ未満の２つの周波数が利用可能であり、かつコードレスセルラー基地局にはプライマリ移動局が登録されているとする。図２２は、これら３つの周波数の妨害スコアと時間との関係、およびコードレスセルラー基地局の動作周波数ｆ0およびバックアップ周波数ｆ1，ｆ2の選択と時間との関係を示す。最初に利用可能な周波数は（ａ）および（ｂ）である。周波数（ａ）の方がスコアが低いので、これが動作周波数となり、（ｂ）は第１のバックアップ周波数となる。時間ｔ1では、周波数（ｃ）が利用可能となり、第２のバックアップ周波数として加えられる。
【０２０１】
時間ｔ2では、動作周波数（ａ）のスコアがＬｔを超える。この時点で周波数（ａ）よりもスコアが低い第１のバックアップ周波数（ｂ）が、新しい動作周波数となる。第２のバックアップ周波数は第１の位置へと移動し、以前の動作周波数（ａ）は交換用バックアップ周波数として選択される。
【０２０２】
時間ｔ3では、第２のバックアップ周波数（ａ）のスコアがＨｔを超えるため、バックアップ用リストから削除される。
【０２０３】
時間ｔ4では、周波数（ｂ）がＬｔを超え、好適な実施形態では、プライマリ移動局がコードレスセルラー基地局に登録される。周波数（ｂ）よりもスコアが低い第１のバックアップ周波数（ｃ）が新しい動作周波数となる。間欠的な妨害または妨害の質が弱いため、以前の動作周波数（ｂ）の妨害スコアはなおＨｔより下である。このため、周波数（ｂ）は交換バックアップ周波数として選択される。
【０２０４】
時間ｔ5では、第１のバックアップ周波数（ｂ）のスコアがＨｔを超えるため、バックアップ用リストから削除される。これにより許容可能なスコアを持つ周波数は一つだけになる。これは、Ｈｔより下の周波数の最低数（Ｍ）が２以上でなければならないという規則に反するように見えるが、この制約はコードレスセルラー基地局１０が動作周波数を変更するときにだけ必要である。間欠的な妨害または弱い妨害については、連続動作時には許容可能な周波数がＭ−１、初期動作時には許容可能な周波数がＭとなっている。こうしてコードレスセルラー基地局１０は時間ｔ5で送信を続行する。
時間ｔ6では、周波数（ａ）が許容可能となり、第１のバックアップ周波数として加えられる。時間ｔ7では、周波数（ｂ）が許容可能となり第２のバックアップ周波数として加えられる。
【０２０５】
クイックスタート
クイックスタート機能は、コードレスセルラー基地局が位置するエリア中でクリアなチャンネルとして知られる、セルラーネットワーク１６から与えられる「クイックスタート周波数」と呼ばれるいくつかの周波数を用いて、コードレスセルラー基地局１０を迅速に作動状態にする機能である。このクイックスタート周波数を使用する目的は、これらの専用周波数を用いてコードレスセルラー基地局を迅速に作動させ、その後、他チャンネルの周波数がクリアであると分かれば、基地局を他チャンネルへ移動させることである。一実施形態では、これらのコードレスセルラー基地局のダウンリンク周波数は、登録されたセルラーネットワークによって別途設定され、コードレスセルラー基地局を一種の安全地帯として使用できるようにする。好適な実施形態では、初期許可メッセージ中で、コードレスセルラー基地局１０に２組の周波数が送られる。第１組は、初期妨害スコアが低い「クイックスタート周波数」と呼ばれる、クリアであると分かっているセルラーネットワーク１６からの短い周波数リストである。第２組は、初期妨害スコアが高い多数の周波数群である。好適には、クイックスタート周波数用の初期化スコアは、少なくとも高しきい値Ｈｔに近い。低い初期妨害スコアからスタートするため、クイックスタート周波数は、周波数がクリアなので少なくともその内の一つが高しきい値（Ｈｔ）を下回って初期動作周波数として利用可能になるまでスコアが減分して、すぐに動作周波数として使用可能となる。より好適な実施形態では、クイックスタート周波数用の初期化スコアは高しきい値Ｈｔより下なので、クイックスタート周波数のすべてが動作周波数としてすぐに利用可能になる。これら２組の周波数に加えて、セルラーネットワーク１６は、コードレスセルラー基地局が動作しなければならないクリアなチャンネルの最小数Ｍの初期値Ｍiを与える。初期許可メッセージ中では、Ｍは与えられるクイックスタート周波数の数に等しい。この方式は、高層ビル等のスペクトルがふくそうしている環境で有用である。
【０２０６】
特定の時間期間Ｘの経過後、セルラーネットワーク１６はコードレスセルラー基地局１０をクイックスタート周波数から移動させようとする。好適な実施形態では、この時間期間Ｘは４８時間である。Ｘの経過後、次のネットワーク更新（位置更新またはネットワーク取消のいずれか）の間に、セルラーネットワーク１６はＭをＭn、つまりコードレスセルラー基地局が動作を維持するために必要なクリアな最小チャンネル数に増やす。この情報は、位置更新またはネットワーク取消工程が上記のように完了した後、セルラーネットワークからコードレスセルラー基地局１０に返送される許可メッセージでコードレスセルラー基地局に与えられる。もしコードレスセルラー基地局１０がこの最小限の動作周波数を持たなければ、コードレスセルラー基地局１０はセルラーネットワーク１６に警告メッセージを送る。この場合、セルラーネットワークは、ＭiがＭnに増大し、かつコードレスセルラー基地局が動作用に十分な数のセルラー周波数を持つまで、コードレスセルラー基地局１０が上記の両方の周波数の組で動作できるようにする。
【０２０７】
コードレスセルラー基地局１０が要求された数の動作周波数を持っている場合は、セルラーネットワークは元の「クイックスタート周波数」を削除し、コードレスセルラー基地局１０が残りのクリアなチャンネル上で動作できるようにする。「クイックスタート周波数」の削除は、次回のネットワーク更新時に許可メッセージを用いて行う。許可メッセージは第２の周波数の組、つまり「クイックスタート周波数」以外の周波数と、Ｍn−Ｍi等しい新しいＭ値とだけを含む。
【０２０８】
ローカル周波数のモニター
上述したようにコードレスセルラー基地局は、ＣＣＢＳ ＶＬＲに定期的に電話をかける。好適な実施形態では、発呼後、コードレスセルラー基地局１０は有利には、すべての許可周波数について上記のアルゴリズムを用いて測定した記憶済みの妨害スコアを、すべてダウンロードする。ＣＣＢＳ ＶＬＲは、セルラーネットワーク中のデータ収集ノード（ＤＣＮ）に妨害スコア情報を転送する。
【０２０９】
他の実施形態では、ＣＣＢＳ ＶＬＲは新しい許可メッセージを、位置更新情報用の電話番号ではなくてデータ収集ノードの電話番号とともにコードレスセルラー基地局に定期的に送信する。コードレスセルラー基地局は、新しい電話番号に発呼し、データ収集ノードに直接妨害データを報告する。一実施形態では、特定の時間期間後、ＣＣＢＳとネットワークとの次のネットワークコンタクト時に、ＣＣＢＳ ＶＬＲはコードレスセルラー基地局に新しい許可メッセージを送って、その位置更新メッセージを報告する電話番号を復帰させる。他の実施形態では、データ収集ノードがコードレスセルラー基地局に新しい許可メッセージを送って、その位置更新メッセージを報告するためのＣＣＢＳ ＶＬＲの電話番号を復帰させる。
【０２１０】
有利には、セルラーネットワークはこれらの妨害スコアを用いて、ＣＣＢＳを含むセルのピーク妨害期間を学習する。さらにこの妨害スコアは、地域セルに動作周波数を割り当てる、または割り当てをやり直す際に有用である。
【０２１１】
本発明は、本発明の精神またはその本質的な特徴を逸脱しない限り他の特定の形態で実施可能である。上記の実施形態はすべて例として考慮すべきものであり、本発明を限定するものではない。従って本発明の範囲は、上記の説明ではなく添付の請求の範囲によって示される。請求の範囲の等価物の意味および範囲内の変更は、すべて本発明の範囲内とする。
【図面の簡単な説明】
【０２１２】
【図１】セルラーネットワークと公衆交換電話網とセルラーネットワーク互換の移動装置と通信する望ましい実施形態に係るコードレスセルラーシステムのブロック図である。
【図２】複数のセルラーネットワーク互換の移動装置と公衆交換電話網と通信する望ましい実施形態に係るコードレスセルラーシステムの一部ブロック図である。
【図３】望ましい実施形態に係るコードレスセルラー基地局のハードウェアのブロック図である。
【図４】フレームを受信するコードレスセルラー基地局及びフレームを送信するコードレスセルラー基地局に対するＴＤＭＡ時間スロットの使用の概略図である。
【０２１３】
【図５】望ましい実施形態に係る移動局のハードウェアのブロック図である。
【図６】移動局が通信するあるコードレスセルラー基地局に関するデータを格納する移動局のメモリ格納テーブルの概略図である。
【図７】コードレスセルラー基地局の特徴的初期認証に関連する処理を示す図である。
【図８】コードレスセルラー基地局によって維持される登録リストの概略図である。
【図９】コードレスセルラー基地局と移動局の初期登録に関連する移動局との通信を示す図である。
【図１０】初期登録要求を処理するためコードレスセルラー基地局が行う工程を示すフローチャートである。
【図１０ａ】初期登録要求を処理するためコードレスセルラー基地局が行う工程を示すフローチャートである。
【図１０ｂ】初期登録要求を処理するためコードレスセルラー基地局が行う工程を示すフローチャートである。
【図１１】コードレスセルラー基地局への自動的な登録を試みる前にその位置を決定するための移動局が実行するステップを示すフローチャートである。
【図１２】移動局のコードレスセルラー基地局への自動登録を示すフローチャートである。
【図１３】コードレスセルラー基地局のネットワーク更新試行処理を示すフローチャートである。
【図１４ａ】コードレスセルラー基地局の特徴的転送におけるネットワーク更新の一実施例に関連する工程を示す図である。
【図１４ｂ】コードレスセルラー基地局の特徴的転送におけるネットワーク更新の変形実施例に関する工程を示す図である。
【図１５】コードレスセルラー基地局により用いられる移動局へ呼を転送するため、コードレスセルラー基地局とセルラーネットワークとの間の通信の概略ブロック図である。
【図１６】コードレスセルラー基地局の拡張音声結合回路の一実施例を示す概略ブロック図である。
【図１７】コードレスセルラー基地局の拡張音声結合回路の第２実施例を示す概略ブロック図である。
【図１８】コードレスセルラー基地局の拡張音声結合回路の第３実施例を示す概略ブロック図である。
【図１９ａ】コードレスセルラー基地局の特徴的転送におけるネットワーク取消しの一実施例に関する工程を示す図である。
【図１９ｂ】コードレスセルラー基地局の特徴的転送におけるネットワーク取消しの変形実施例に関する工程を示す図である。
【図２０】ノイズと電力妨害レベルを加算したものをスコア増加に変換するために用いられる階段関数のグラフである。
【図２１】時間に従った代表的な妨害スコアの変化のグラフである。
【図２２】時間に従った周波数の変化の代表的スコアの図である。
【図１】
2007053811.tif 000008
【図２】
2007053811.tif 000009
【図３】
2007053811.tif 000010
【図４】
2007053811.tif 000011
【図５】
2007053811.tif 000012
【図６】
2007053811.tif 000013
【図７】
2007053811.tif 000014
【図８】
2007053811.tif 000015
【図９】
2007053811.tif 000016
【図１０】
2007053811.tif 000017
【図１０ａ】
2007053811.tif 000018
【図１０ｂ】
2007053811.tif 000019
【図１１】
2007053811.tif 000020
【図１２】
2007053811.tif 000021
【図１３】
2007053811.tif 000022
【図１４ａ】
2007053811.tif 000023
【図１４ｂ】
2007053811.tif 000024
【図１５】
2007053811.tif 000025
【図１６】
2007053811.tif 000026
【図１７】
2007053811.tif 000027
【図１８】
2007053811.tif 000028
【図１９ａ】
2007053811.tif 000029
【図１９ｂ】
2007053811.tif 000030
【図２０】
2007053811.tif 000031
【図２１】
2007053811.tif 000032
【図２２】
2007053811.tif 000033